(57)【要約】  駆動回路の出力負荷が低減され、表示品質が向上した表示装置を提供する。複数の発光画素を有する表示装置は、複数の発光画素行を一駆動ブロックとした２以上の駆動ブロックを構成し、発光画素列ごとに設けられた出力線に信号電圧を出力する信号線駆動回路と、出力線から出力される信号電圧を、発光画素列ごとに設けられた第１信号線（１５１）及び第２信号線（１５２）のいずれかに供給し、固定電圧源から供給される固定電圧を上記２信号線のいずれかに供給し、信号電圧及び固定電圧を排他的に上記２信号線に供給するセレクタ回路（１６）とを備え、各発光画素は、電流制御部と、有機ＥＬ素子とを備え、さらに、ｋ番目の駆動ブロックの発光画素（１１Ａ）は第１信号線（１５１）に接続され、（ｋ＋１）番目の駆動ブロックの発光画素（１１Ｂ）は第２信号線（１５２）に接続されている。
2012032565.tif 000002
【特許請求の範囲】
【請求項１】
マトリクス状に配置された複数の発光画素を有する表示装置であって、
発光画素列ごとに設けられた出力線に、発光画素の輝度を決定する信号電圧を出力する信号線駆動回路と、
発光画素列ごとに配置され、前記信号電圧を前記発光画素に与える第１信号線及び第２信号線と、
前記出力線から出力される前記信号電圧を、前記第１信号線及び第２信号線のいずれかに選択的に供給する、発光画素列ごとに配置された第１セレクタと、
固定電圧源から供給される固定電圧を、前記第１信号線及び第２信号線のいずれかに選択的に供給する、発光画素列ごとに配置された第２セレクタと、
前記第１信号線及び前記第２信号線に対して、前記信号電圧及び前記固定電圧が互いに排他的に供給されるよう、前記第１セレクタ及び前記第２セレクタを制御するセレクタ制御部と、
第１電源線及び第２電源線と、
発光画素行ごとに配置された走査線とを備え、
前記複数の発光画素は、複数の発光画素行を一駆動ブロックとした２以上の駆動ブロックを構成し、
前記複数の発光画素のそれぞれは、
一方の端子が前記第２電源線に接続され、前記信号電圧に応じた信号電流が流れることにより発光する発光素子と、
前記第１電源線及び前記発光素子の他方の端子に接続され、前記信号電圧が印加されることにより前記信号電圧を前記信号電流に変換し、前記固定電圧が印加されることにより閾値電圧に応じた電圧または初期化電圧を保持する電流制御部とを備え、
ｋ（ｋは自然数）番目の駆動ブロックに属する前記発光画素は、さらに、ゲートが前記走査線に接続され、ソース及びドレインの一方が前記第１信号線に接続され、ソース及びドレインの他方が前記電流制御部に接続され、前記第１信号線と前記電流制御部との導通及び非導通を切り換える第１スイッチングトランジスタを備え、
（ｋ＋１）番目の駆動ブロックに属する前記発光画素は、さらに、ゲートが前記走査線に接続され、ソース及びドレインの一方が前記第２信号線に接続され、ソース及びドレインの他方が前記電流制御部に接続され、前記第２信号線と前記電流制御部との導通及び非導通を切り換える第２スイッチングトランジスタを備え、
同一の前記駆動ブロック内の全ての発光画素では、前記電流制御部に前記固定電圧が印加されることにより前記閾値電圧が検出される閾値検出期間及び前記電流制御部が初期化される初期化期間の少なくとも一方が共通化されており、異なる前記駆動ブロック間では、前記駆動ブロック内で共通化された前記閾値検出期間及び前記初期化期間の少なくとも一方が独立している
表示装置。
【請求項２】
前記第１セレクタは、前記出力線と前記第１信号線との導通及び非導通を切り換える第１スイッチ素子と、前記出力線と前記第２信号線との導通及び非導通を切り換える第２スイッチ素子とを備え、
前記第２セレクタは、前記固定電圧源と前記第１信号線との導通及び非導通を切り換える第３スイッチ素子と、前記固定電圧源と前記第２信号線との導通及び非導通を切り換える第４スイッチ素子とを備え、
前記セレクタ制御部は、前記第１スイッチ素子、前記第２スイッチ素子、前記第３スイッチ素子及び前記第４スイッチ素子をオンまたはオフさせることにより、前記第１セレクタ及び前記第２セレクタを制御する
請求項１に記載の表示装置。
【請求項３】
前記第１スイッチ素子をオンまたはオフさせるための制御線と、前記第４スイッチ素子をオンまたはオフさせるための制御線とが共通化されており、前記第２スイッチ素子をオンまたはオフさせるための制御線と、前記第３スイッチ素子をオンまたはオフさせるための制御線とが共通化されていることにより、
前記セレクタ制御部は、前記第１スイッチ素子と前記第４スイッチ素子とのオンオフを同期させ、前記第２スイッチ素子と前記第３スイッチ素子とのオンオフを同期させ、前記第１スイッチ素子及び前記第４スイッチ素子のオンオフと前記第２スイッチ素子及び前記第３スイッチ素子のオンオフとを排他的に行う
請求項２に記載の表示装置。
【請求項４】
さらに、発光画素行ごとに配置され、前記電流制御部に接続された第１制御線を備え、
前記第１制御線は、同一の前記駆動ブロック内の全ての発光画素では共通化されており、異なる前記駆動ブロック間では独立している
請求項１〜３のいずれか１項に記載の表示装置。
【請求項５】
さらに、発光画素行ごとに配置され、前記電流制御部に接続された第２制御線を備え、
前記電流制御部は、
ソース及びドレインの一方が前記発光素子の他方の端子に接続され、ゲート−ソース間に印加される前記信号電圧を、ドレイン電流である前記信号電流に変換する駆動トランジスタと、
一方の端子が前記駆動トランジスタのゲートに接続され、他方の端子が前記駆動トランジスタのソースに接続された第１容量素子と、
一方の端子が前記駆動トランジスタのソースに接続され、他方の端子が前記第１制御線に接続された第２容量素子と、
ゲートが前記第２制御線に接続され、ソース及びドレインが前記第１電源線と前記発光素子の他方の端子との間に挿入され、前記駆動トランジスタのドレイン電流のオンオフを切り換える第３スイッチングトランジスタとを備え、
前記第１スイッチングトランジスタは、ゲートが前記走査線に接続され、ソース及びドレインの一方が前記第１信号線に接続され、ソース及びドレインの他方が前記駆動トランジスタのゲートに接続され、
前記第２スイッチングトランジスタは、ゲートが前記走査線に接続され、ソース及びドレインの一方が前記第２信号線に接続され、ソース及びドレインの他方が前記駆動トランジスタのゲートに接続されている
請求項４に記載の表示装置。
【請求項６】
前記第２制御線は、同一駆動ブロック内の全ての発光画素では共通化されており、異なる駆動ブロック間では独立している
請求項５に記載の表示装置。
【請求項７】
さらに、発光画素行ごとに配置された第２制御線を備え、
前記電流制御部は、
ソース及びドレインの一方が前記発光素子の他方の端子に接続され、ゲート−ソース間に印加される前記信号電圧を、ドレイン電流である前記信号電流に変換する駆動トランジスタと、
一方の端子が前記駆動トランジスタのゲートに接続され、他方の端子が前記駆動トランジスタのソースに接続された第３容量素子と、
一方の端子が前記駆動トランジスタのソースに接続され、他方の端子が前記第１制御線に接続された第４容量素子と、
ゲートが前記第２制御線に接続され、ソース及びドレインの一方が前記第３容量素子の他方の端子に接続され、ソース及びドレインの他方が前記駆動トランジスタのソースに接続された第４スイッチングトランジスタとを備え、
前記第１スイッチングトランジスタは、ゲートが前記走査線に接続され、ソース及びドレインの一方が前記第１信号線に接続され、ソース及びドレインの他方が前記駆動トランジスタのゲートに接続され、
前記第２スイッチングトランジスタは、ゲートが前記走査線に接続され、ソース及びドレインの一方が前記第２信号線に接続され、ソース及びドレインの他方が前記駆動トランジスタのゲートに接続されている
請求項４に記載の表示装置。
【請求項８】
前記電流制御部は、
ソース及びドレインの一方が第１電源線に接続され、ソース及びドレインの他方が前記発光素子の他方の端子に接続され、ゲート−ソース間に印加される前記信号電圧を前記信号電流に変換する駆動トランジスタと、
一方の端子が前記駆動トランジスタのゲートに接続された第５容量素子と、
ゲートが前記走査線に接続され、ソース及びドレインの一方が前記第５容量素子の一方の端子に接続され、ソース及びドレインの他方が参照電源線に接続された第５スイッチングトランジスタと、
ゲートが前記第１制御線に接続され、ソース及びドレインの一方が前記第５容量素子の他方の端子に接続され、ソース及びドレインの他方が前記駆動トランジスタのソースに接続された第６スイッチングトランジスタとを備え、
前記第１スイッチングトランジスタは、ゲートが前記走査線に接続され、ソース及びドレインの一方が前記第５容量素子の他方の端子に接続され、ソース及びドレインの他方が前記第１信号線に接続され、
前記第２スイッチングトランジスタは、ゲートが前記走査線に接続され、ソース及びドレインの一方が前記第５容量素子の他方の端子に接続され、ソース及びドレインの他方が前記第２信号線に接続されている
請求項４に記載の表示装置。
【請求項９】
前記第１電源線は、発光画素行ごとに配置され、前記固定電圧よりも低い電圧である第１電圧と、前記固定電圧よりも高い電圧である第２電圧とを供給し、
前記電流制御部は、
ソース及びドレインの一方が前記発光素子の他方の端子に接続され、ソース及びドレインの他方が前記第１電源線に接続され、ゲート−ソース間に印加される前記信号電圧を、ドレイン電流である前記信号電流に変換する駆動トランジスタと、
一方の端子が前記駆動トランジスタのゲートに接続され、他方の端子が前記駆動トランジスタのソース及びドレインの一方に接続され、少なくとも前記信号電圧あるいは前記固定電圧に対応した電圧を保持する第６容量素子とを備え、
前記第１スイッチングトランジスタは、ゲートが前記走査線に接続され、ソース及びドレインの一方が前記第１信号線に接続され、ソース及びドレインの他方が前記駆動トランジスタのゲートに接続され、
前記第２スイッチングトランジスタは、ゲートが前記走査線に接続され、ソース及びドレインの一方が前記第２信号線に接続され、ソース及びドレインの他方が前記駆動トランジスタのゲートに接続され、
同一の前記駆動ブロック内の全ての発光画素に対し、前記閾値検出期間及び前記初期化期間の少なくとも一方においては前記第１電圧及び前記第２電圧の供給を同じタイミングで制御し、異なる前記駆動ブロック間では、前記タイミングと異なるタイミングで前記第１電圧及び前記第２電圧の供給を制御する制御部を備える
請求項１〜３のいずれか１項に記載の表示装置。
【請求項１０】
前記発光素子は、前記信号電圧に応じて発光する有機ＥＬ（Ｅｌｅｃｔｒｏ  Ｌｕｍｉｎｅｓｃｅｎｃｅ）素子である
請求項１〜９のいずれか１項に記載の表示装置。
【請求項１１】
発光画素列ごとに配置された第１信号線及び第２信号線のうちいずれかの信号線から供給された信号電圧を当該電圧に対応した信号電流に変換する駆動トランジスタを有する電流制御部と、前記信号電流が流れることにより発光する発光素子とを備える発光画素がマトリクス状に配置され、複数の前記発光画素行を一駆動ブロックとした２以上の駆動ブロックを構成する表示装置の制御方法であって、
前記信号電圧を出力する信号線駆動回路と前記第１信号線とを非接続とし前記固定電圧を出力する固定電圧源と前記第１信号線とを接続することにより、ｋ（ｋは自然数）番目の駆動ブロックの有する全ての前記電流制御部に、前記固定電圧源から前記第１信号線を介して前記固定電圧を同時に印加し、前記駆動トランジスタの閾値電圧またはリセット電圧に対応した電圧を同時に保持させる第１電圧保持ステップと、
前記第１電圧保持ステップの後、前記固定電圧源と前記第１信号線とを非接続とし前記信号線駆動回路と前記第１信号線とを接続することにより、前記ｋ番目の駆動ブロックの有する前記発光画素において、前記電流制御部に、前記信号線駆動回路から前記第１信号線を介して前記信号電圧を印加し、当該信号電圧に対応する電圧を発光画素行順に保持させる第１輝度保持ステップと、
前記第１電圧保持ステップの後、前記信号線駆動回路と前記第２信号線とを非接続とし前記固定電圧源と前記第２信号線とを接続することにより、（ｋ＋１）番目の駆動ブロックの有する全ての前記電流制御部に、前記固定電圧源から前記第２信号線を介して前記固定電圧を同時に印加し、前記駆動トランジスタの閾値電圧またはリセット電圧に対応した電圧を同時に保持させる第２電圧保持ステップとを含む
表示装置の制御方法。
【発明の詳細な説明】
【技術分野】
【０００１】
本発明は、表示装置及びその制御方法に関し、特に電流駆動型の発光素子を用いた表示装置及びその制御方法に関する。
【背景技術】
【０００２】
電流駆動型の発光素子を用いた表示装置として、有機エレクトロルミネッセンス（ＥＬ）素子を用いた表示装置が知られている。この自発光する有機ＥＬ素子を用いた有機ＥＬ表示装置は、液晶表示装置に必要なバックライトが不要で装置の薄型化に最適である。また、視野角にも制限がないため、次世代の表示装置として実用化が期待されている。また、有機ＥＬ表示装置に用いられる有機ＥＬ素子は、各発光素子の輝度がそこに流れる電流値により制御される点で、液晶セルがそこに印加される電圧により制御されるのとは異なる。【０００３】
有機ＥＬ表示装置では、通常、画素を構成する有機ＥＬ素子がマトリクス状に配置される。複数の行電極（走査線）と複数の列電極（データ線）との交点に有機ＥＬ素子を設け、選択した行電極と複数の列電極との間にデータ信号に相当する電圧を印加するようにして有機ＥＬ素子を駆動するものをパッシブマトリクス型の有機ＥＬディスプレイと呼ぶ。【０００４】
一方、複数の走査線と複数のデータ線との交点にスイッチング薄膜トランジスタ（ＴＦＴ：Ｔｈｉｎ  Ｆｉｌｍ  Ｔｒａｎｓｉｓｔｏｒ）を設け、このスイッチングＴＦＴに駆動素子のゲートを接続し、選択した走査線を通じてこのスイッチングＴＦＴをオンさせて信号線からデータ信号を駆動素子に入力する。この駆動素子によって有機ＥＬ素子を駆動するものをアクティブマトリクス型の有機ＥＬ表示装置と呼ぶ。【０００５】
パッシブマトリクス型の有機ＥＬ表示装置では、各行電極（走査線）を選択している期間のみ、それに接続された有機ＥＬ素子が発光する。それに対して、アクティブマトリクス型の有機ＥＬ表示装置は、次の走査（選択）まで有機ＥＬ素子を発光させることが可能である。そのため、走査線の数が増えてもディスプレイの輝度減少を招くようなことはない。従って、アクティブマトリクス型の有機ＥＬ表示装置は、低電圧で駆動でき、低消費電力化が可能となる。しかしながら、アクティブマトリクス型の有機ＥＬディスプレイでは、駆動トランジスタの特性のばらつきに起因して、同じデータ信号を与えても、各画素において有機ＥＬ素子に流れる電流が異なることに起因して輝度が異なり、輝度むらが発生するという欠点がある。【０００６】
この問題に対し、例えば、特許文献１では、駆動トランジスタの特性のばらつきによる輝度ムラの補償方法として、簡単な画素回路で、画素ごとの特性バラツキを補償する方法が開示されている。【０００７】
図２９は、特許文献１に記載された従来の表示装置の構成を示すブロック図である。同図に記載された表示装置５００は、画素アレイ部５０２と、これを駆動する駆動部からなる。画素アレイ部５０２は、行ごとに配置された走査線７０１〜７０ｍと、列ごとに配置された信号線６０１〜６０ｎと、両者が交差する部分に配置された行列状の発光画素５０１と、行ごとに配置された給電線８０１〜８０ｍとを備える。また、駆動部は、信号セレクタ５０３と、走査線駆動部５０４と、給電線駆動部５０５とを備える。【０００８】
走査線駆動部５０４は、各走査線７０１〜７０ｍに水平周期（１Ｈ）で順次制御信号を供給して発光画素５０１を行単位で線順次走査する。給電線駆動部５０５は、この線順次走査に合わせて各給電線８０１〜８０ｍに第１電圧と第２電圧で切り換える電源電圧を供給する。信号セレクタ５０３は、この線順次走査に合わせて映像信号となる信号電圧と基準電圧とを切り換えて列状の信号線６０１〜６０ｎに供給する。【０００９】
ここで、列状の信号線６０１〜６０ｎは、それぞれ、列ごとに２本配置されており、一方の信号線は奇数行の発光画素５０１に基準電圧及び信号電圧を供給し、他方の信号線は偶数行の発光画素５０１に基準電圧及び信号電圧を供給している。【００１０】
図３０は、特許文献１に記載された従来の表示装置の有する発光画素の回路構成図である。なお、同図には１行目かつ１列目の発光画素５０１を記載している。この発光画素５０１に対して走査線７０１、給電線８０１及び信号線６０１が配されている。なお、信号線６０１は２本あるうちの１本が、発光画素５０１に接続されている。発光画素５０１は、スイッチングトランジスタ５１１と、駆動トランジスタ５１２と、保持容量素子５１３と、発光素子５１４とを備える。スイッチングトランジスタ５１１は、ゲートが走査線７０１に、ソース及びドレインの一方が信号線６０１に、その他方が駆動トランジスタ５１２のゲートにそれぞれ接続されている。駆動トランジスタ５１２は、ソースが発光素子５１４のアノードに、ドレインが給電線８０１にそれぞれ接続されている。発光素子５１４は、カソードが接地配線５１５に接続されている。保持容量素子５１３は、駆動トランジスタ５１２のソース及びゲートに接続されている。【００１１】
上記構成において、給電線駆動部５０５は、信号線６０１が基準電圧である状態で、給電線８０１を第１電圧（高電圧）から第２電圧（低電圧）に切り換える。走査線駆動部５０４は、同じく信号線６０１が基準電圧である状態で、走査線７０１の電圧を“Ｈ”レベルにしてスイッチングトランジスタ５１１を導通させ、基準電圧を駆動トランジスタ５１２のゲートに印加するとともに、駆動トランジスタ５１２のソースをリセット電圧である第２電圧に設定する。以上の動作により、駆動トランジスタ５１２の閾値電圧Ｖｔｈの補正のための準備が完了する。続いて、給電線駆動部５０５は、信号線６０１の電圧が基準電圧から信号電圧に切り換わる前の補正期間で、給電線８０１の電圧を第２電圧から第１電圧に切り換えて、駆動トランジスタ５１２の閾値電圧Ｖｔｈに相当する電圧を保持容量素子５１３に保持させる。次に、スイッチングトランジスタ５１１の電圧を“Ｈ”レベルにして信号電圧を保持容量素子５１３に保持させる。つまり、この信号電圧は、先に保持された駆動トランジスタ５１２の閾値電圧Ｖｔｈに相当する電圧に加算されて保持容量素子５１３に書き込まれる。そして、駆動トランジスタ５１２は、第１電圧にある給電線８０１から電流の供給を受け、上記保持電圧に応じた駆動電流を発光素子５１４に流す。【００１２】
上述した動作では、信号線６０１は列ごとに２本配置されていることにより、各信号線が基準電圧にある時間帯を長くしている。よって、駆動トランジスタ５１２の初期化期間及び閾値電圧Ｖｔｈに相当する電圧を保持容量素子５１３に保持するための補正期間を確保するようにしている。【００１３】
図３１は、特許文献１に記載された表示装置の動作タイミングチャートである。同図には、上から順に、１ライン目の走査線７０１及び給電線８０１、２ライン目の走査線７０２及び給電線８０２、３ライン目の走査線７０３及び給電線８０３、奇数行の発光画素に割り当てられた信号線、偶数行の発光画素に割り当てられた信号線の信号波形が記載されている。走査線に印加される走査信号は、１水平期間（１Ｈ）ずつ順次１ラインごとにシフトしていく。１ライン分の走査線に印加される走査信号は、２個のパルスを含んでいる。１番目のパルスは時間幅が長く１Ｈ以上である。２番目のパルスは時間幅が狭く、１Ｈの一部である。１番目のパルスは上述した初期化期間及び閾値補正期間に対応し、２番目のパルスは信号電圧サンプリング期間及び移動度補正期間に対応している。また、給電線に供給される電源パルスも１Ｈ周期で１ラインごとにシフトしていく。これに対して、各信号線は２Ｈに１回、信号電圧が印加され、基準電圧にある時間帯を１Ｈ以上確保することが可能となる。【００１４】
以上のように、特許文献１に記載された従来の表示装置では、発光画素ごとに駆動トランジスタ５１２の閾値電圧Ｖｔｈがばらついても、十分な初期化期間及び閾値電圧補正期間が確保されることにより、発光画素ごとに当該ばらつきはキャンセルされ、画像の輝度ムラ抑止が図られるとしている。
【先行技術文献】
【特許文献】
【００１５】
【特許文献１】特開２００８−１２２６３３号公報
【発明の概要】
【発明が解決しようとする課題】
【００１６】
しかしながら、特許文献１に記載された従来の表示装置は、発光画素行ごとに配置された走査線及び給電線の信号レベルのオンオフが多い。例えば、リセット期間及び閾値補正期間を発光画素行ごとに設定しなければならない。また、信号線からスイッチングトランジスタを介して信号電圧がサンプリングされると、引き続いて発光期間を設けなければならない。よって、画素行ごとの初期化期間及び閾値補正タイミング及び発光タイミングを設定する必要がある。このため、表示パネルが大面積化されるにつれ、行数も増加するので、各駆動回路から出力される信号が多くなり、また、その信号切り換えの周波数が高くなり、走査線駆動回路及び給電線駆動回路の信号出力負荷が大きくなる。【００１７】
また、発光画素列ごとの信号線の増加に伴い、信号線駆動回路の出力本数を増加させてしまうので、駆動回路の大型化及びコストの増加をもたらし、また、実装歩留まりが低下してしまう。【００１８】
また、特許文献１に記載された従来の表示装置は、駆動トランジスタの初期化期間及び閾値電圧Ｖｔｈの補正期間は２Ｈ未満であり、高精度の補正が要求される表示装置としては限界がある。【００１９】
上記課題に鑑み、本発明は、駆動トランジスタの初期化期間及び閾値電圧を高精度に補正できる期間が確保され、かつ、駆動回路の出力負荷が低減された表示装置及びその制御方法を提供することを目的とする。
【課題を解決するための手段】
【００２０】
上記目的を達成するために、本発明の一態様に係る表示装置は、マトリクス状に配置された複数の発光画素を有する表示装置であって、発光画素列ごとに設けられた出力線に、発光画素の輝度を決定する信号電圧を出力する信号線駆動回路と、発光画素列ごとに配置され、前記信号電圧を前記発光画素に与える第１信号線及び第２信号線と、前記出力線から出力される前記信号電圧を、前記第１信号線及び第２信号線のいずれかに選択的に供給する、発光画素列ごとに配置された第１セレクタと、固定電圧源から供給される固定電圧を、前記第１信号線及び第２信号線のいずれかに選択的に供給する、発光画素列ごとに配置された第２セレクタと、前記第１信号線及び前記第２信号線に対して、前記信号電圧及び前記固定電圧が互いに排他的に供給されるよう、前記第１セレクタ及び前記第２セレクタを制御するセレクタ制御部と、第１電源線及び第２電源線と、発光画素行ごとに配置された走査線とを備え、前記複数の発光画素は、複数の発光画素行を一駆動ブロックとした２以上の駆動ブロックを構成し、前記複数の発光画素のそれぞれは、一方の端子が前記第２電源線に接続され、前記信号電圧に応じた信号電流が流れることにより発光する発光素子と、前記第１電源線及び前記発光素子の他方の端子に接続され、前記信号電圧が印加されることにより前記信号電圧を前記信号電流に変換し、前記固定電圧が印加されることにより閾値電圧に応じた電圧または初期化電圧を保持する電流制御部とを備え、ｋ（ｋは自然数）番目の駆動ブロックに属する前記発光画素は、さらに、ゲートが前記走査線に接続され、ソース及びドレインの一方が前記第１信号線に接続され、ソース及びドレインの他方が前記電流制御部に接続され、前記第１信号線と前記電流制御部との導通及び非導通を切り換える第１スイッチングトランジスタを備え、（ｋ＋１）番目の駆動ブロックに属する前記発光画素は、さらに、ゲートが前記走査線に接続され、ソース及びドレインの一方が前記第２信号線に接続され、ソース及びドレインの他方が前記電流制御部に接続され、前記第２信号線と前記電流制御部との導通及び非導通を切り換える第２スイッチングトランジスタを備え、同一の前記駆動ブロック内の全ての発光画素では、前記電流制御部に前記固定電圧が印加されることにより前記閾値電圧が検出される閾値検出期間及び前記電流制御部が初期化される初期化期間の少なくとも一方が共通化されており、異なる前記駆動ブロック間では、前記駆動ブロック内で共通化された前記閾値検出期間及び前記初期化期間の少なくとも一方が独立していることを特徴とする。
【発明の効果】
【００２１】
本発明の表示装置及びその制御方法によれば、駆動トランジスタの初期化期間及び閾値電圧補正期間を駆動ブロック内で一致させることが可能となるので、当該初期化期間及び補正期間を１フレーム期間の中で大きくとることができる。よって、高精度に補正された駆動電流が発光素子に流れ、画像表示品質が向上する。また、駆動ブロック化により、上記期間における駆動回路の出力する信号レベルの切替え回数を減らすことができ、さらに、信号線駆動回路と信号線との間に配置されたセレクタにより、当該信号線駆動回路からの出力本数を低減できる。よって、駆動回路の出力負荷及び実装コストの低減、ならびに実装歩留まりの向上が図られる。
【図面の簡単な説明】
【００２２】
【図１】図１は、本発明の実施の形態に係る表示装置の電気的な構成を示すブロック図である。
【図２Ａ】図２Ａは、本発明の実施の形態に係る表示装置における奇数駆動ブロックの発光画素の回路構成図である。
【図２Ｂ】図２Ｂは、本発明の実施の形態に係る表示装置における偶数駆動ブロックの発光画素の回路構成図である。
【図３】図３は、本発明の実施の形態に係る表示装置の有するセレクタ回路およびその周辺回路の回路構成図である。
【図４】図４は、本発明の実施の形態１に係る表示装置の有する表示パネルの一部を示す回路構成図である。
【図５】図５は、本発明の実施の形態１に係る表示装置の駆動方法の動作タイミングチャートである。
【図６】図６は、本発明の実施の形態１に係る表示装置の有する発光画素の状態遷移図である。
【図７】図７は、本発明の実施の形態１に係る表示装置の動作フローチャートである。
【図８】図８は、本発明の実施の形態に係るセレクタ回路を駆動するための動作タイミングチャートである。
【図９Ａ】図９Ａは、図８に記載された期間Ｔ１〜Ｔ２におけるセレクタ回路の状態遷移図である。
【図９Ｂ】図９Ｂは、図８に記載された期間Ｔ０〜Ｔ１におけるセレクタ回路の状態遷移図である。
【図１０】図１０は、走査線及び信号線の波形特性を説明する図である。
【図１１】図１１は、本発明の実施の形態に係る駆動方法により発光した駆動ブロックの状態遷移図である。
【図１２】図１２は、本発明の実施の形態２に係る表示装置の有する表示パネルの一部を示す回路構成図である。
【図１３】図１３は、本発明の実施の形態２に係る表示装置の駆動方法の動作タイミングチャートである。
【図１４】図１４は、本発明の実施の形態２に係る駆動方法により発光した駆動ブロックの状態遷移図である。
【図１５Ａ】図１５Ａは、本発明の実施の形態３に係る表示装置における奇数駆動ブロックの発光画素の具体的な回路構成図である。
【図１５Ｂ】図１５Ｂは、本発明の実施の形態３に係る表示装置における偶数駆動ブロックの発光画素の具体的な回路構成図である。
【図１６】図１６は、本発明の実施の形態３に係る表示装置の有する表示パネルの一部を示す回路構成図である。
【図１７】図１７は、本発明の実施の形態３に係る表示装置の駆動方法の動作タイミングチャートである。
【図１８】図１８は、本発明の実施の形態３に係る表示装置の有する発光画素の状態遷移図である。
【図１９】図１９は、本発明の実施の形態３に係る表示装置の動作フローチャートである。
【図２０】図２０は、本発明の実施の形態３に係るセレクタ回路を駆動するための動作タイミングチャートである。
【図２１Ａ】図２１Ａは、本発明の実施の形態４に係る表示装置における奇数駆動ブロックの発光画素の具体的な回路構成図である。
【図２１Ｂ】図２１Ｂは、本発明の実施の形態４に係る表示装置における偶数駆動ブロックの発光画素の具体的な回路構成図である。
【図２２】図２２は、本発明の実施の形態４に係る表示装置の駆動方法の動作タイミングチャートである。
【図２３】図２３は、本発明の実施の形態４に係る表示装置の動作フローチャートである。
【図２４Ａ】図２４Ａは、本発明の実施の形態５に係る表示装置における奇数駆動ブロックの発光画素の具体的な回路構成図である。
【図２４Ｂ】図２４Ｂは、本発明の実施の形態５に係る表示装置における偶数駆動ブロックの発光画素の具体的な回路構成図である。
【図２５】図２５は、本発明の実施の形態５に係る表示装置の有する表示パネルの一部を示す回路構成図である。
【図２６】図２６は、本発明の実施の形態５に係る表示装置の駆動方法の動作タイミングチャートである。
【図２７】図２７は、本発明の実施の形態に係る表示装置の動作フローチャートである。
【図２８】図２８は、本発明の画像表示装置を内蔵した薄型フラットＴＶの外観図である。
【図２９】図２９は、特許文献１に記載された従来の表示装置の構成を示すブロック図である。
【図３０】図３０は、特許文献１に記載された従来の表示装置の有する発光画素の回路構成図である。
【図３１】図３１は、特許文献１に記載された表示装置の動作タイミングチャートである。
【発明を実施するための形態】
【００２３】
上記目的を達成するために、本発明の一態様に係る表示装置は、マトリクス状に配置された複数の発光画素を有する表示装置であって、発光画素列ごとに設けられた出力線に、発光画素の輝度を決定する信号電圧を出力する信号線駆動回路と、発光画素列ごとに配置され、前記信号電圧を前記発光画素に与える第１信号線及び第２信号線と、前記出力線から出力される前記信号電圧を、前記第１信号線及び第２信号線のいずれかに選択的に供給する、発光画素列ごとに配置された第１セレクタと、固定電圧源から供給される固定電圧を、前記第１信号線及び第２信号線のいずれかに選択的に供給する、発光画素列ごとに配置された第２セレクタと、前記第１信号線及び前記第２信号線に対して、前記信号電圧及び前記固定電圧が互いに排他的に供給されるよう、前記第１セレクタ及び前記第２セレクタを制御するセレクタ制御部と、第１電源線及び第２電源線と、発光画素行ごとに配置された走査線とを備え、前記複数の発光画素は、複数の発光画素行を一駆動ブロックとした２以上の駆動ブロックを構成し、前記複数の発光画素のそれぞれは、一方の端子が前記第２電源線に接続され、前記信号電圧に応じた信号電流が流れることにより発光する発光素子と、前記第１電源線及び前記発光素子の他方の端子に接続され、前記信号電圧が印加されることにより前記信号電圧を前記信号電流に変換し、前記固定電圧が印加されることにより閾値電圧に応じた電圧または初期化電圧を保持する電流制御部とを備え、ｋ（ｋは自然数）番目の駆動ブロックに属する前記発光画素は、さらに、ゲートが前記走査線に接続され、ソース及びドレインの一方が前記第１信号線に接続され、ソース及びドレインの他方が前記電流制御部に接続され、前記第１信号線と前記電流制御部との導通及び非導通を切り換える第１スイッチングトランジスタを備え、（ｋ＋１）番目の駆動ブロックに属する前記発光画素は、さらに、ゲートが前記走査線に接続され、ソース及びドレインの一方が前記第２信号線に接続され、ソース及びドレインの他方が前記電流制御部に接続され、前記第２信号線と前記電流制御部との導通及び非導通を切り換える第２スイッチングトランジスタを備え、同一の前記駆動ブロック内の全ての発光画素では、前記電流制御部に前記固定電圧が印加されることにより前記閾値電圧が検出される閾値検出期間及び前記電流制御部が初期化される初期化期間の少なくとも一方が共通化されており、異なる前記駆動ブロック間では、前記駆動ブロック内で共通化された前記閾値検出期間及び前記初期化期間の少なくとも一方が独立している。
【００２４】
本態様によれば、駆動トランジスタの閾値電圧補正期間及び／又は初期化期間とタイミングを駆動ブロック内で一致させることが可能となるので、走査線、信号線及び電源線から画素回路への信号レベルのオンからオフもしくはオフからオンへの切替え回数を減らすことができ、画素回路を駆動する駆動回路の負荷が低減する。また、上記駆動ブロック化及び発光画素列ごとに配置された２本の信号線により、駆動トランジスタの閾値電圧補正期間及び／又は初期化期間を１フレーム期間の中で大きくとることができるので、高精度な駆動電流が発光素子に流れ、画像表示品質が向上する。
【００２５】
さらに、１発光画素列に対して配置された２本の信号線に対し、信号線駆動回路の出力線が１本とされているため、信号線駆動回路を小型化することができ、出力線の減少に伴う駆動回路のコスト低減及びパネル実装歩留まりの向上を図ることができる。
【００２６】
また、本発明の一態様に係る表示装置は、前記第１セレクタは、前記出力線と前記第１信号線との導通及び非導通を切り換える第１スイッチ素子と、前記出力線と前記第２信号線との導通及び非導通を切り換える第２スイッチ素子とを備え、前記第２セレクタは、前記固定電圧源と前記第１信号線との導通及び非導通を切り換える第３スイッチ素子と、前記固定電圧源と前記第２信号線との導通及び非導通を切り換える第４スイッチ素子とを備え、前記セレクタ制御部は、前記第１スイッチ素子、前記第２スイッチ素子、前記第３スイッチ素子及び前記第４スイッチ素子をオンまたはオフさせることにより、前記第１セレクタ及び前記第２セレクタを制御してもよい。
【００２７】
本態様によれば、第１セレクタは、２つのスイッチ素子により、信号電圧を第１信号線及び第２信号線のいずれかに選択的に供給する。また、第２セレクタは、２つのスイッチ素子により、固定電圧を第１信号線及び第２信号線のいずれかに選択的に供給する。よって、複雑な回路構成を必要としない簡便な回路構成にてセレクタ回路を実現できる。
【００２８】
また、本発明の一態様に係る表示装置は、前記第１スイッチ素子をオンまたはオフさせるための制御線と、前記第４スイッチ素子をオンまたはオフさせるための制御線とが共通化されており、前記第２スイッチ素子をオンまたはオフさせるための制御線と、前記第３スイッチ素子をオンまたはオフさせるための制御線とが共通化されていることにより、前記セレクタ制御部は、前記第１スイッチ素子と前記第４スイッチ素子とのオンオフを同期させ、前記第２スイッチ素子と前記第３スイッチ素子とのオンオフを同期させ、前記第１スイッチ素子及び前記第４スイッチ素子のオンオフと前記第２スイッチ素子及び前記第３スイッチ素子のオンオフとを排他的に行ってもよい。
【００２９】
本態様によれば、簡便な回路構成を有するセレクタ回路により、信号電圧及び固定電圧を、第１信号線及び第２信号線に排他的に供給することが可能となる。また、制御部が４つのスイッチ素子に対し、個別に制御信号を出力する必要がなく、第１スイッチ素子及び第４スイッチ素子に対して共通の制御信号を出力し、第２スイッチ素子及び第３スイッチ素子に対して共通の制御信号を出力すればよいので、制御線からセレクタ回路への信号レベルのオンからオフもしくはオフからオンへの切替えのための出力負荷を減らすことができる。
【００３０】
また、本発明の一態様に係る表示装置は、さらに、発光画素行ごとに配置され、前記電流制御部に接続された第１制御線を備え、前記第１制御線は、同一の前記駆動ブロック内の全ての発光画素では共通化されており、異なる前記駆動ブロック間では独立していてもよい。
【００３１】
本態様によれば、第１制御線信号のタイミングを駆動ブロック内で一致させることが可能となる。よって、発光素子に流れる駆動電流を制御する信号を出力する駆動回路の負荷が低減する。また、上記駆動ブロック化及び発光画素列ごとに配置された２本の信号線により、第１制御線による電流制御部の制御動作期間を１フレーム期間の中で長くとることができるので、高精度な駆動電流が発光素子に流れ、画像表示品質を向上させることが可能となる。
【００３２】
また、本発明の一態様に係る表示装置は、さらに、発光画素行ごとに配置され、前記電流制御部に接続された第２制御線を備え、前記電流制御部は、ソース及びドレインの一方が前記発光素子の他方の端子に接続され、ゲート−ソース間に印加される前記信号電圧を、ドレイン電流である前記信号電流に変換する駆動トランジスタと、一方の端子が前記駆動トランジスタのゲートに接続され、他方の端子が前記駆動トランジスタのソースに接続された第１容量素子と、一方の端子が前記駆動トランジスタのソースに接続され、他方の端子が前記第１制御線に接続された第２容量素子と、ゲートが前記第２制御線に接続され、ソース及びドレインが前記第１電源線と前記発光素子の他方の端子との間に挿入され、前記駆動トランジスタのドレイン電流のオンオフを切り換える第３スイッチングトランジスタとを備え、前記第１スイッチングトランジスタは、ゲートが前記走査線に接続され、ソース及びドレインの一方が前記第１信号線に接続され、ソース及びドレインの他方が前記駆動トランジスタのゲートに接続され、前記第２スイッチングトランジスタは、ゲートが前記走査線に接続され、ソース及びドレインの一方が前記第２信号線に接続され、ソース及びドレインの他方が前記駆動トランジスタのゲートに接続されていてもよい。
【００３３】
本態様によれば、電流制御部は、信号電圧を信号電流に変換する駆動トランジスタと、信号電圧及び固定電圧に対応した電圧を保持する第１容量素子と、駆動トランジスタのゲート及びソース電位を安定化する第２容量素子と、ドレイン電流のオンオフを切り換える第３スイッチングトランジスタとで構成される。上記電流制御部の回路構成、駆動ブロック化された各発光画素への制御線、走査線及び信号線の配置により、駆動トランジスタの閾値電圧補正期間及びそのタイミングを同一駆動ブロック内で一致させることが可能となる。よって、電流パスを制御する信号を出力し信号電圧を制御する駆動回路の負荷が低減する。また、さらに、上記駆動ブロック化及び発光画素列ごとに配置された２本の信号線により、駆動トランジスタの閾値電圧補正期間を、全ての発光画素を書き換える時間である１フレーム期間Ｔｆのなかで大きくとることができる。これは、ｋ番目の駆動ブロックにおいて輝度信号がサンプリングされている期間に、（ｋ＋１）番目の駆動ブロックにおいて閾値電圧補正期間が設けられることによるものである。よって、閾値電圧補正期間は、発光画素行ごとに分割されるのではなく、駆動ブロックごとに分割される。よって、表示領域が大面積化されるほど、発光デューティを減少させることなく、１フレーム期間に対する相対的な閾値電圧補正期間を長く設定することが可能となる。これにより、高精度に補正された信号電圧に基づいた駆動電流が発光素子に流れ、画像表示品質が向上する。さらに、第３スイッチングトランジスタにより、駆動トランジスタへの信号電圧印加タイミングと独立して発光素子の発光動作を制御することが可能となる。
【００３４】
また、本発明の一態様に係る表示装置は、前記第２制御線は、同一駆動ブロック内の全ての発光画素では共通化されており、異なる駆動ブロック間では独立していてもよい。
【００３５】
これにより、第２制御線により第３スイッチングトランジスタを同一ブロック内で同時制御することにより、同一ブロック内での同時発光を実現することが可能となり、第２制御線からの信号を出力する駆動回路の負荷が低減する。
【００３６】
また、本発明の一態様に係る表示装置は、さらに、発光画素行ごとに配置された第２制御線を備え、前記電流制御部は、ソース及びドレインの一方が前記発光素子の他方の端子に接続され、ゲート−ソース間に印加される前記信号電圧を、ドレイン電流である前記信号電流に変換する駆動トランジスタと、一方の端子が前記駆動トランジスタのゲートに接続され、他方の端子が前記駆動トランジスタのソースに接続された第３容量素子と、一方の端子が前記駆動トランジスタのソースに接続され、他方の端子が前記第１制御線に接続された第４容量素子と、ゲートが前記第２制御線に接続され、ソース及びドレインの一方が前記第３容量素子の他方の端子に接続され、ソース及びドレインの他方が前記駆動トランジスタのソースに接続された第４スイッチングトランジスタとを備え、前記第１スイッチングトランジスタは、ゲートが前記走査線に接続され、ソース及びドレインの一方が前記第１信号線に接続され、ソース及びドレインの他方が前記駆動トランジスタのゲートに接続され、前記第２スイッチングトランジスタは、ゲートが前記走査線に接続され、ソース及びドレインの一方が前記第２信号線に接続され、ソース及びドレインの他方が前記駆動トランジスタのゲートに接続されていてもよい。
【００３７】
本態様によれば、電流制御部は、信号電圧を信号電流に変換する駆動トランジスタと、信号電圧及び固定電圧に対応した電圧を保持する第３容量素子と、駆動トランジスタのゲート及びソース電位を安定化する第４容量素子と、駆動トランジスタのソースと第３容量素子との導通及び非導通を切り換える第４スイッチングトランジスタとで構成される。上記電流制御部の回路構成、駆動ブロック化された各発光画素への制御線、走査線及び信号線の配置により、駆動トランジスタの閾値電圧補正期間及びそのタイミングを同一駆動ブロック内で一致させることが可能となる。よって、電流パスを制御する信号を出力し信号電圧を制御する駆動回路の負荷が低減する。また、さらに、上記駆動ブロック化及び発光画素列ごとに配置された２本の信号線により、駆動トランジスタの閾値電圧補正期間を、全ての発光画素を書き換える時間である１フレーム期間Ｔｆのなかで大きくとることができる。これにより、高精度に補正された信号電圧に基づいた駆動電流が発光素子に流れ、画像表示品質が向上する。また、第４スイッチングトランジスタの配置により、第３容量素子に正確な信号電圧に対応した電圧を保持させることが可能となる。
【００３８】
また、本発明の一態様に係る表示装置は、前記電流制御部は、ソース及びドレインの一方が第１電源線に接続され、ソース及びドレインの他方が前記発光素子の他方の端子に接続され、ゲート−ソース間に印加される前記信号電圧を前記信号電流に変換する駆動トランジスタと、一方の端子が前記駆動トランジスタのゲートに接続された第５容量素子と、ゲートが前記走査線に接続され、ソース及びドレインの一方が前記第５容量素子の一方の端子に接続され、ソース及びドレインの他方が参照電源線に接続された第５スイッチングトランジスタと、ゲートが前記第１制御線に接続され、ソース及びドレインの一方が前記第５容量素子の他方の端子に接続され、ソース及びドレインの他方が前記駆動トランジスタのソースに接続された第６スイッチングトランジスタとを備え、前記第１スイッチングトランジスタは、ゲートが前記走査線に接続され、ソース及びドレインの一方が前記第５容量素子の他方の端子に接続され、ソース及びドレインの他方が前記第１信号線に接続され、前記第２スイッチングトランジスタは、ゲートが前記走査線に接続され、ソース及びドレインの一方が前記第５容量素子の他方の端子に接続され、ソース及びドレインの他方が前記第２信号線に接続されていてもよい。
【００３９】
本態様によれば、電流制御部は、信号電圧を信号電流に変換する駆動トランジスタと、信号電圧及び固定電圧に対応した電圧を保持する第５容量素子と、駆動トランジスタのゲートに参照電位を与えるための第５スイッチングトランジスタと、駆動トランジスタのソースと第５容量素子との導通及び非導通を切り換える第６スイッチングトランジスタとで構成される。上記電流制御部の回路構成、駆動ブロック化された各発光画素への制御線、走査線及び信号線の配置により、駆動トランジスタの初期化期間及びそのタイミングを同一駆動ブロック内で一致させることが可能となる。よって、電流パスを制御する信号を出力し信号電圧を制御する駆動回路の負荷が低減する。また、さらに、上記駆動ブロック化及び発光画素列ごとに配置された２本の信号線により、駆動トランジスタのリセット期間を、全ての発光画素を書き換える時間である１フレーム期間Ｔｆのなかで大きくとることができる。これにより、高精度に補正された信号電圧に基づいた駆動電流が発光素子に流れ、画像表示品質が向上する。また、第６スイッチングトランジスタの配置により、第５容量素子に正確な信号電圧に対応した電圧を保持させることが可能となる。
【００４０】
また、本発明の一態様に係る表示装置は、前記第１電源線は、発光画素行ごとに配置され、前記固定電圧よりも低い電圧である第１電圧と、前記固定電圧よりも高い電圧である第２電圧とを供給し、前記電流制御部は、ソース及びドレインの一方が前記発光素子の他方の端子に接続され、ソース及びドレインの他方が前記第１電源線に接続され、ゲート−ソース間に印加される前記信号電圧を、ドレイン電流である前記信号電流に変換する駆動トランジスタと、一方の端子が前記駆動トランジスタのゲートに接続され、他方の端子が前記駆動トランジスタのソース及びドレインの一方に接続され、少なくとも前記信号電圧あるいは前記固定電圧に対応した電圧を保持する第６容量素子とを備え、前記第１スイッチングトランジスタは、ゲートが前記走査線に接続され、ソース及びドレインの一方が前記第１信号線に接続され、ソース及びドレインの他方が前記駆動トランジスタのゲートに接続され、前記第２スイッチングトランジスタは、ゲートが前記走査線に接続され、ソース及びドレインの一方が前記第２信号線に接続され、ソース及びドレインの他方が前記駆動トランジスタのゲートに接続され、同一の前記駆動ブロック内の全ての発光画素に対し、前記閾値検出期間及び前記初期化期間の少なくとも一方においては前記第１電圧及び前記第２電圧の供給を同じタイミングで制御し、異なる前記駆動ブロック間では、前記タイミングと異なるタイミングで前記第１電圧及び前記第２電圧の供給を制御する制御部を備えてもよい。
【００４１】
本態様によれば、電流制御部は、信号電圧を信号電流に変換する駆動トランジスタと、信号電圧及び固定電圧に対応した電圧を保持する第６容量素子とで構成される。上記電流制御部の回路構成、駆動ブロック化された各発光画素への制御線、走査線、信号線及び電源線の配置により、駆動トランジスタの閾値電圧補正期間及びそのタイミングを同一駆動ブロック内で一致させることが可能となる。よって、電流パスを制御する信号を出力し信号電圧を制御する駆動回路の負荷が低減する。また、さらに、上記駆動ブロック化及び発光画素列ごとに配置された２本の信号線により、駆動トランジスタの閾値電圧補正期間を、全ての発光画素を書き換える時間である１フレーム期間Ｔｆのなかで大きくとることができる。これにより、高精度に補正された信号電圧に基づいた駆動電流が発光素子に流れ、画像表示品質が向上する。
【００４２】
また、本発明の一態様に係る表示装置は、前記発光素子は、前記信号電圧に応じて発光する有機ＥＬ（Ｅｌｅｃｔｒｏ  Ｌｕｍｉｎｅｓｃｅｎｃｅ）素子であってもよい。
【００４３】
本態様によれば、アクティブマトリクス型の有機ＥＬ表示パネルにおいて、駆動ブロック化及びセレクタ回路の配置により、初期化期間及び閾値電圧補正期間を１フレーム期間の中で大きくとることができ、駆動回路の出力負荷及びコストの低減、ならびに実装歩留まりの向上が図られる。
【００４４】
また、本発明は、このような特徴的な手段を備える表示装置として実現することができるだけでなく、表示装置に含まれる特徴的な手段をステップとする表示装置の制御方法として実現することができる。
【００４５】
（実施の形態１）
以下、本発明の実施の形態１について、図面を参照しながら説明する。
【００４６】
図１は、本発明の実施の形態１に係る表示装置の電気的な構成を示すブロック図である。同図における表示装置１は、マトリクス状に配置された複数の発光画素を有する表示装置であって、表示パネル１０と、制御回路２０とを備える。表示パネル１０は、複数の発光画素１１Ａ及び１１Ｂと、信号線群１２と、制御線群１３と、走査／制御線駆動回路１４と、信号線駆動回路１５と、セレクタ回路１６とを備える。
【００４７】
発光画素１１Ａ及び１１Ｂは、表示パネル１０上に、マトリクス状に配置されている。ここで、発光画素１１Ａ及び１１Ｂは、複数の発光画素行を一駆動ブロックとする２以上の駆動ブロックを構成している。具体的には、発光画素１１Ａは、ｋ（ｋは自然数）番目の駆動ブロックを構成し、また、発光画素１１Ｂは（ｋ＋１）番目の駆動ブロックを構成する。これは、例えば、発光画素１１Ａは奇数番目の駆動ブロックを構成し、発光画素１１Ｂは偶数番目の駆動ブロックを構成するということを意味する。但し、表示パネル１０をＮ個の駆動ブロックに分割したとすると、（ｋ＋１）はＮ以下の自然数である。
【００４８】
信号線群１２は、発光画素列ごとに配置された複数の信号線からなる。ここで、各発光画素列につき２本の信号線（第１信号線１５１及び第２信号線１５２）が配置されており、奇数番目の駆動ブロックの発光画素は第１信号線に接続され、偶数番目の駆動ブロックの発光画素は第１信号線と異なる第２信号線に接続されている。このように、この２本の信号線（第１信号線１５１及び第２信号線１５２）は、発光画素列ごとに配置され、駆動トランジスタの閾値電圧を検出するため及び駆動トランジスタを初期化するための固定電圧、及び、発光画素の輝度を決定する信号電圧を発光画素１１Ａ及び１１Ｂに与えるためのものである。
【００４９】
制御線群１３は、発光画素ごとに配置された走査線、制御線及び電源線からなる。
【００５０】
走査／制御線駆動回路１４は、制御線群１３の各走査線へ走査信号を、制御線群１３の各制御線へ制御信号を出力することにより、発光画素の有する回路素子を駆動する。
【００５１】
信号線駆動回路１５は、発光画素列ごとに設けられた出力線に、発光画素の輝度を決定する信号電圧を出力する。具体的には、信号線駆動回路１５は、信号線群１２の各信号線へ、セレクタ回路１６を介して発光輝度を決定する信号電圧を出力することにより、発光画素の有する回路素子を駆動する。
【００５２】
セレクタ回路１６は、信号線駆動回路１５から出力される信号電圧を、第１信号線及び第２信号線のいずれかに選択的に供給し、また、固定電圧源から供給される固定電圧を、第１信号線及び第２信号線のいずれかに選択的に供給する機能を有する。さらに、セレクタ回路１６は、上記信号電圧及び固定電圧を、第１信号線及び第２信号線に排他的に供給する。詳細は後述するため、ここでの説明は省略する。
【００５３】
制御回路２０は、走査／制御線駆動回路１４から出力される走査信号及び制御信号の出力タイミング及び電圧レベルを制御する。また、制御回路２０は、信号線駆動回路１５から出力される信号電圧を出力するタイミングを制御する。さらに、制御回路２０は、走査／制御線駆動回路１４から出力される制御信号により、第１信号線及び第２信号線に信号電圧及び固定電圧が互いに排他的に供給されるよう、セレクタ回路１６の信号線選択動作を制御するセレクタ制御部でもある。つまり、第１信号線へ信号電圧を出力させている間には第２信号線へ固定電圧を出力させ、第２信号線へ信号電圧を出力させている間には第１信号線へ固定電圧を出力させる。
【００５４】
なお、制御回路２０及び走査／制御線駆動回路１４は、各発光画素の動作を制御する制御部を構成する。制御回路２０は、同一の駆動ブロック内の全ての発光画素では、各発光画素に固定電圧を印加して画素回路の閾値電圧を検出する閾値検出期間及び画素回路を初期化する初期化期間の少なくとも一方を共通化し、異なる駆動ブロック間では、駆動ブロック内で共通化された閾値検出期間及び初期化期間の少なくとも一方を異ならせる。ここで、同一の駆動ブロック内において、上記閾値検出期間及び上記初期化期間の少なくとも一方を共通化するとは、当該期間の開始時刻及び終了時刻を同一の駆動ブロック内における各発光画素において一致させることをいう。また、異なる駆動ブロック間では、駆動ブロック内で共通化された上記閾値検出期間及び上記初期化期間の少なくとも一方を異ならせるとは、当該期間の開始時刻及び終了時刻を異なる駆動ブロック間における各発光画素において異ならせ、かつ、異なる駆動ブロック間において当該期間を重複させないことをいう。
【００５５】
図２Ａは、本発明の実施の形態１に係る表示装置における奇数駆動ブロックの発光画素の具体的な回路構成図であり、図２Ｂは、本発明の実施の形態１に係る表示装置における偶数駆動ブロックの発光画素の具体的な回路構成図である。図２Ａ及び図２Ｂに記載された発光画素１１Ａ及び１１Ｂは、いずれも、有機ＥＬ（Ｅｌｅｃｔｒｏ  Ｌｕｍｉｎｅｓｃｅｎｃｅ）素子１１３と、駆動トランジスタ１１４と、スイッチングトランジスタ１１５及び１１６と、静電保持容量１１７及び１１８と、第２制御線１３１と、第１制御線１３２と、走査線１３３と、第１信号線１５１と、第２信号線１５２とを備える。ここで、駆動トランジスタ１１４と、スイッチングトランジスタ１１６と、静電保持容量１１７及び１１８とは、電流制御部１００を構成している。
【００５６】
電流制御部１００は、電源線１１２及び、有機ＥＬ素子１１３の他方の端子及び第１制御線１３２に接続され、信号電圧を信号電流に変換する。具体的には、電流制御部１００は、第１電源線である電源線１１０、有機ＥＬ素子１１３のアノード、第２制御線１３１、第１制御線１３２及びスイッチングトランジスタ１１５のソース及びドレインの一方の端子に接続されている。この構成により、電流制御部１００は、第１信号線１５１又は第２信号線１５２から供給される信号電圧を駆動トランジスタ１１４のソースドレイン電流である信号電流に変換する機能を有する。
【００５７】
有機ＥＬ素子１１３は、一方の端子が電源線１１２に接続され、信号電圧に応じた信号電流が流れることにより発光する。具体的には、カソードが第２電源線である電源線１１２に接続されアノードが駆動トランジスタ１１４のソースに接続された発光素子であり、駆動トランジスタ１１４の駆動電流が流れることにより発光する。
【００５８】
駆動トランジスタ１１４は、本発明の電流制御部に含まれ、ソース及びドレインの一方が有機ＥＬ素子１１３の他方の端子に接続され、ゲート−ソース間に印加される信号電圧を、ドレイン電流である信号電流に変換する。具体的には、ゲート−ソース間に、信号電圧に対応した電圧が印加されることにより、当該電圧を当該電圧に対応したドレイン電流に変換する。そして、このドレイン電流は、駆動電流として有機ＥＬ素子１１３に供給される。駆動トランジスタ１１４は、例えば、ｎ型の薄膜トランジスタ（ｎ型ＴＦＴ）で構成される。
【００５９】
スイッチングトランジスタ１１５は、走査線１３３がゲート電極に接続され、ソース及びドレインの一方が第１信号線１５１に接続された第３スイッチングトランジスタであり、ソース及びドレインの他方が電流制御部に接続され、第１信号線１５１と電流制御部との導通及び非導通を切り換える。具体的には、ゲートが走査線１３３に接続され、ソース及びドレインの一方が駆動トランジスタ１１４のゲートに接続されている。また、そのソース及びドレインの他方は、奇数駆動ブロックの発光画素１１Ａにおいては、第１信号線１５１に接続され、第１スイッチングトランジスタとして機能し、偶数駆動ブロックの発光画素１１Ｂにおいては、第２信号線１５２に接続され、第２スイッチングトランジスタとして機能する。
【００６０】
スイッチングトランジスタ１１６は、ゲートが第２制御線１３１に接続され、ソース及びドレインの他方が正電源線である電源線１１０に接続された第３スイッチングトランジスタである。スイッチングトランジスタ１１６は、駆動トランジスタ１１４のドレイン電流をオンオフさせる機能を有する。
【００６１】
なお、スイッチングトランジスタ１１６は、そのソース及びドレインが電源線１１０と有機ＥＬ素子１１３のアノードとの間に接続されていればよい。この配置により、駆動トランジスタ１１４のドレイン電流をオンオフさせることが可能となる。スイッチングトランジスタ１１５及び１１６は、例えば、ｎ型の薄膜トランジスタ（ｎ型ＴＦＴ）で構成される。
【００６２】
静電保持容量１１７は、一方の端子が駆動トランジスタ１１４のゲートに接続され、他方の端子が駆動トランジスタ１１４のソースに接続された第１容量素子である。静電保持容量１１７は、第１信号線１５１または第２信号線１５２から供給された信号電圧に対応した電荷を保持し、例えば、スイッチングトランジスタ１１５がオフ状態となった後に、駆動トランジスタ１１４から有機ＥＬ素子１１３へ供給する信号電流を制御する機能を有する。
【００６３】
静電保持容量１１８は、静電保持容量１１７の他方の端子と第１制御線１３２との間に接続された第２容量素子である。静電保持容量１１８は、まず、定常状態において駆動トランジスタ１１４のソース電位を記憶し、信号電圧がスイッチングトランジスタ１１５から印加された場合でもそのソース電位の情報は静電保持容量１１７と静電保持容量１１８との間のノードに残る。なおこのタイミングでのソース電位とは駆動トランジスタ１１４の閾値電圧である。その後、上記信号電圧の保持から発光までのタイミングが発光画素行ごとに異なっても、静電保持容量１１７の他方の端子の電位が確定されるので駆動トランジスタ１１４のゲート電圧が確定される。一方、駆動トランジスタ１１４のソース電位は既に定常状態であるので、静電保持容量１１８は、結果的に駆動トランジスタ１１４のソース電位を保持する機能を有する。
【００６４】
第２制御線１３１は、発光画素行ごとに配置され、同一の駆動ブロック内の全ての発光画素では共通化されており、異なる駆動ブロック間では独立している。ここで、第２制御線１３１が同一の駆動ブロック内の全ての発光画素で共通化されているとは、走査／制御線駆動回路１４から出力される一の制御信号が、同一の駆動ブロック内の第２制御線１３１に同時に供給されることをいう。例えば、同一の駆動ブロック内では、走査／制御線駆動回路１４に接続された一本の制御線が、発光画素行ごとに配置された第２制御線１３１に分岐している。また、第２制御線１３１が、異なる駆動ブロック間では独立しているとは、走査／制御線駆動回路１４から出力される個別の制御信号が、複数の駆動ブロックに対して供給されることをいう。例えば、第２制御線１３１が、走査／制御線駆動回路１４に、駆動ブロックごとに、個別に接続されている。具体的には、第２制御線１３１は、走査／制御線駆動回路１４に接続され、発光画素１１Ａ及び１１Ｂを含む画素行に属する各発光画素に接続されている。これにより、第２制御線１３１は、駆動トランジスタ１１４のドレイン電流をオンオフするタイミングを供給する機能を有する。
【００６５】
第１制御線１３２は、発光画素行ごとに配置され、同一の駆動ブロック内の全ての発光画素では共通化されており、異なる駆動ブロック間では独立している。具体的には、第１制御線１３２は、走査／制御線駆動回路１４に接続され、発光画素１１Ａ及び１１Ｂを含む画素行に属する各発光画素に接続されている。これにより、第１制御線１３２は、電圧レベルを切り換えることにより、駆動トランジスタ１１４の閾値電圧を検出する環境を整える機能を有する。
【００６６】
走査線１３３は、発光画素１１Ａ及び１１Ｂを含む画素行に属する各発光画素へ信号電圧または駆動トランジスタ１１４の閾値電圧を検出するための固定電圧を書き込むタイミングを供給する機能を有する。
【００６７】
第１信号線１５１及び第２信号線１５２は、セレクタ回路１６に接続され、それぞれ、発光画素１１Ａ及び１１Ｂを含む画素列に属する各発光画素へ接続され、駆動トランジスタ１１４の閾値電圧を検出するための固定電圧と、発光強度を決定する信号電圧とを供給する機能を有する。
【００６８】
なお、図２Ａ及び図２Ｂには記載されていないが、電源線１１０及び電源線１１２は、それぞれ、他の発光画素にも接続されており電圧源に接続されている。
【００６９】
次に、セレクタ回路１６の回路構成およびその機能を詳細に説明する。
【００７０】
図３は、本発明の実施の形態に係る表示装置の有するセレクタ回路およびその周辺回路の回路構成図である。同図に記載されたセレクタ回路１６は、発光画素列ごとに、スイッチングトランジスタ１６１〜１６４を備える。また、信号線駆動回路１５は、発光画素列ごとにデータドライバ１５３を備える。データドライバ１５３は、制御回路２０からの入力信号に対応した信号電圧を、接続された発光画素列に出力するＩＣである。なお、発光画素が、Ｒ（赤色）画素、Ｇ（緑色）画素及びＢ（青色）画素のサブ画素から構成されている場合には、セレクタ回路１６は、サブ画素列ごとに、スイッチングトランジスタ１６１〜１６４を備え、また、信号線駆動回路１５は、サブ画素列ごとにデータドライバ１５３を備える。
【００７１】
また、図３には、表示パネル１０の有する発光画素の一部が記載されており、２行が一駆動ブロック化を構成し、最終ブロックの発光画素１１Ｂ（２行）及び最終ブロックの１ブロック前のブロックの発光画素１１Ａ（１行のみ）が記載されている。
【００７２】
スイッチングトランジスタ１６１は、ゲートが制御線１４１に接続され、ソース及びドレインの一方が第２信号線１５２に接続され、ソース及びドレインの他方が固定電圧線１１９に接続された第４スイッチ素子である。
【００７３】
スイッチングトランジスタ１６２は、ゲートが制御線１４２に接続され、ソース及びドレインの一方が第１信号線１５１に接続され、ソース及びドレインの他方が固定電圧線１１９に接続された第３スイッチ素子である。
【００７４】
固定電圧線１１９は、表示装置１の有する固定電圧源に接続されており、セレクタ回路１６の近傍または内部に配置されている。なお、固定電圧が、例えば、０Ｖである場合には、固定電圧源及び固定電圧線１１９を設置せずに、スイッチングトランジスタ１６１及び１６２の接続先として、固定電圧線１１９の代わりに電源線１１２を用いてもよい。この場合には、実装コストの低減化及び実装面積の縮小化が図られる。
【００７５】
スイッチングトランジスタ１６１及び１６２は、固定電圧源から供給される固定電圧を、第１信号線１５１及び第２信号線１５２のいずれかに選択的に供給する、発光画素列ごとに配置された第２セレクタ１６Ｂを構成する。
【００７６】
スイッチングトランジスタ１６３は、ゲートが制御線１４３に接続され、ソース及びドレインの一方が第２信号線１５２に接続され、ソース及びドレインの他方がデータドライバ１５３に接続された第２スイッチ素子である。
【００７７】
スイッチングトランジスタ１６４は、ゲートが制御線１４４に接続され、ソース及びドレインの一方が第１信号線１５１に接続され、ソース及びドレインの他方がデータドライバ１５３に接続された第１スイッチ素子である。
【００７８】
スイッチングトランジスタ１６３及び１６４は、信号線駆動回路１５から出力される信号電圧を、第１信号線１５１及び第２信号線１５２のいずれかに選択的に供給する、発光画素列ごとに配置された第１セレクタ１６Ａを構成する。
【００７９】
ここで、本実施の形態では、制御線１４１と制御線１４４とは接続されて共通化されており、一本の制御線となっている。また、制御線１４２と制御線１４３とは接続されて共通化されており、一本の制御線となっている。これにより、走査／制御線駆動回路１４から一の制御信号が制御線１４１及び制御線１４４に同時に出力されることにより、スイッチングトランジスタ１６１及び１６４のオンオフが同期する。同様に、走査／制御線駆動回路１４から一の制御信号が制御線１４２及び制御線１４３に同時に出力されることにより、スイッチングトランジスタ１６２及び１６３のオンオフが同期する。さらに、走査／制御線駆動回路１４は、制御線１４１及び制御線１４４へ与える制御信号の電圧レベルと、制御線１４２及び制御線１４３へ与える制御信号の電圧レベルとを排他的に変化させることにより、スイッチングトランジスタ１６１及び１６４のオンオフとスイッチングトランジスタ１６２及び１６３のオンオフとを排他的に行う。これにより、信号電圧及び固定電圧は、第１信号線１５１及び第２信号線１５２へ排他的に供給されることになる。セレクタ回路１６の駆動方法の詳細については、図８、図９Ａ及び図９Ｂを用いて後述する。
【００８０】
従来の信号線駆動回路では、信号線の本数と同数のデータドライバＩＣ及び出力線を配置し、信号線ごとに独立して信号電圧を駆動する必要があった。本発明では、信号線駆動回路１５と信号線群１２との間に、セレクタ回路１６が配置されていることにより、１発光画素列に対して配置された２本の信号線に対し、信号線駆動回路１５の出力線が１本とされているため、信号線駆動回路１５を小型化することができ、データドライバ１５３の実装数及び出力線の減少に伴う駆動回路実装のためのコスト低減及び実装歩留まりの向上が図られる。
【００８１】
なお、制御線１４１と制御線１４４とが共通化されず、走査／制御線駆動回路１４により個別に制御され、制御線１４２と制御線１４３とが共通化されず、走査／制御線駆動回路１４により個別に制御されてもよい。この場合には、走査／制御線駆動回路１４は、制御線１４１に出力する制御信号と制御線１４４に出力する制御信号とを同期させることによりスイッチングトランジスタ１６１及び１６４のオンオフを同期させる。同様にして、走査／制御線駆動回路１４は、制御線１４２に出力する制御信号と制御線１４３に出力する制御信号とを同期させることによりスイッチングトランジスタ１６２及び１６３のオンオフを同期させる。
【００８２】
次に、第２制御線１３１、第１制御線１３２、走査線１３３、第１信号線１５１及び第２信号線１５２の発光画素間における接続関係について説明する。
【００８３】
図４は、本発明の実施の形態１に係る表示装置の有する表示パネルの一部を示す回路構成図である。同図には、２つの隣接する駆動ブロック及び各制御線、各走査線及び各信号線が記載されている。図面及び以下の説明では、各制御線、各走査線及び各信号線を“符号（ブロック番号、当該ブロックにおける行番号）”または“符号（ブロック番号）”で表している。
【００８４】
前述したように、駆動ブロックとは、複数の発光画素行で構成されており、表示パネル１０の中には２以上の駆動ブロックが存在する。例えば、図４に記載された各駆動ブロックは、ｍ行の発光画素行で構成されている。
【００８５】
図４の上段に記載されたｋ番目の駆動ブロックでは、第２制御線１３１（ｋ）が当該駆動ブロック内の全ての発光画素１１Ａの有するスイッチングトランジスタ１１６のゲートに共通して接続されている。また、第１制御線１３２（ｋ）が当該駆動ブロック内の全ての発光画素１１Ａの有する静電保持容量１１８に共通して接続されている。一方、走査線１３３（ｋ、１）〜走査線１３３（ｋ、ｍ）は、それぞれ、発光画素行ごとに個別に接続されている。また、図５の下段に記載された（ｋ＋１）番目の駆動ブロックでも、ｋ番目の駆動ブロックと同様の接続がなされている。ただし、ｋ番目の駆動ブロックに接続された第２制御線１３１（ｋ）と（ｋ＋１）番目の駆動ブロックに接続された第２制御線１３１（ｋ＋１）とは、異なる制御線であり、走査／制御線駆動回路１４から個別の制御信号が出力される。また、ｋ番目の駆動ブロックに接続された第１制御線１３２（ｋ）と（ｋ＋１）番目の駆動ブロックに接続された第１制御線１３２（ｋ＋１）とは、異なる制御線であり、走査／制御線駆動回路１４から個別の制御信号が出力される。
【００８６】
また、ｋ番目の駆動ブロックでは、第１信号線１５１が当該駆動ブロック内の全ての発光画素１１Ａの有するスイッチングトランジスタ１１５のソース及びドレインの他方に接続されている。一方、（ｋ＋１）番目の駆動ブロックでは、第２信号線１５２が当該駆動ブロック内の全ての発光画素１１Ｂの有するスイッチングトランジスタ１１５のソース及びドレインの他方に接続されている。
【００８７】
上述したように、上記駆動ブロック化を行うことにより、駆動トランジスタ１１４のドレインへの電圧印加のオンオフを制御する第２制御線１３１の本数が削減される。また、駆動トランジスタ１１４の閾値電圧Ｖｔｈを検出するＶｔｈ検出回路を制御する第１制御線１３２の本数が削減される。よって、これらの制御線に駆動信号を出力する走査／制御線駆動回路１４の出力本数が低減し、回路規模の削減を可能にする。
【００８８】
次に、本実施の形態に係る表示装置１の制御方法について図５を用いて説明する。なお、ここでは、図２Ａ及び図２Ｂに記載された具体的回路構成を有する表示装置についての制御方法を詳細に説明する。
【００８９】
図５は、本発明の実施の形態１に係る表示装置の駆動方法の動作タイミングチャートである。同図において、横軸は時間を表している。また縦方向には、上から順に、ｋ番目の駆動ブロックの走査線１３３（ｋ、１）、１３３（ｋ、２）及び１３３（ｋ、ｍ）、第１信号線１５１、第２制御線１３１（ｋ）及び第１制御線１３２（ｋ）に発生する電圧の波形図が示されている。また、これらに続き、（ｋ＋１）番目の駆動ブロックの走査線１３３（ｋ＋１、１）、１３３（ｋ＋１、２）及び１３３（ｋ＋１、ｍ）、第２信号線１５２、第２制御線１３１（ｋ＋１）及び第１制御線１３２（ｋ＋１）に発生する電圧の波形図が示されている。また、図６は、本発明の実施の形態１に係る表示装置の有する発光画素の状態遷移図である。また、図７は、本発明の実施の形態１に係る表示装置の動作フローチャートである。
【００９０】
まず、時刻ｔ０の直前では、走査線１３３（ｋ、１）〜１３３（ｋ、ｍ）の電圧レベルは全てＬＯＷであり、第１制御線１３２（ｋ）及び第２制御線１３１（ｋ）もＬＯＷである。図６（ａ）のように、第２制御線１３１（ｋ）をＬＯＷとした瞬間から、スイッチングトランジスタ１１６はオフ状態となる。これにより、有機ＥＬ素子１１３は消光し、ｋブロックにおける発光画素の一斉発光が終了する。同時に、ｋブロックにおける非発光期間が開始する。
【００９１】
次に、時刻ｔ０において、走査／制御線駆動回路１４は、走査線１３３（ｋ、１）〜１３３（ｋ、ｍ）の電圧レベルを同時にＬＯＷからＨＩＧＨに変化させ、スイッチングトランジスタ１１５をオン状態とする。ただし、この時、既に第２制御線１３１（ｋ）はＬＯＷとなってスイッチングトランジスタ１１６はオフとなっており（図７のＳ１１）、信号線駆動回路１５は、第１信号線１５１の電圧を、信号電圧から駆動トランジスタ１１４がオフとなる固定電圧に変化させてある（図７のＳ１２）。
【００９２】
ここで、セレクタ回路１６を用いて、第１信号線１５１の電圧を信号電圧から固定電圧に変化させる方法について説明する。
【００９３】
図８は、本発明の実施の形態１に係るセレクタ回路を駆動するための動作タイミングチャートである。同図において、横軸は時間を表している。また縦方向には、上から順に、第１駆動ブロックの走査線１３３（１、１）及び１３３（１、ｍ）、第２駆動ブロックの走査線１３３（２、１）及び１３３（２、ｍ）、第３駆動ブロックの走査線１３３（３、１）及び１３３（３、ｍ）、第４駆動ブロックの走査線１３３（４、１）及び１３３（４、ｍ）、第１信号線１５１、第２信号線１５２、制御線１４３、制御線１４４及び信号線駆動回路１５に発生する電圧の波形図が示されている。また、図９Ａは、図８に記載された期間Ｔ１〜Ｔ２におけるセレクタ回路の状態遷移図であり、図９Ｂは、図８に記載された期間Ｔ０〜Ｔ１におけるセレクタ回路の状態遷移図である。なお、図８では、セレクタ回路動作を解り易くするため、駆動ブロック数を４としている。
【００９４】
図８において、期間Ｔ０〜期間Ｔ１は第１駆動ブロックの閾値電圧検出期間、期間Ｔ１〜期間Ｔ２は第２駆動ブロックの閾値電圧検出期間、期間Ｔ２〜期間Ｔ３は第３駆動ブロックの閾値電圧検出期間、期間Ｔ３〜期間Ｔ４は第４駆動ブロックの閾値電圧検出期間に相当する。よって、期間Ｔ０〜期間Ｔ１では、走査線１３３（１、１）〜１３３（１、ｍ）の電圧レベルがＨＩＧＨとなっており、期間Ｔ１〜期間Ｔ２では、走査線１３３（２、１）〜１３３（２、ｍ）の電圧レベルがＨＩＧＨとなっており、期間Ｔ２〜期間Ｔ３では、走査線１３３（３、１）〜１３３（３、ｍ）の電圧レベルがＨＩＧＨとなっており、期間Ｔ３〜期間Ｔ４では、走査線１３３（４、１）〜１３３（４、ｍ）の電圧レベルがＨＩＧＨとなっている。これに対応して、期間Ｔ０〜期間Ｔ１及び期間Ｔ２〜期間Ｔ３では、制御線１４４がＬＯＷレベルかつ制御線１４３がＨＩＧＨレベルとなることで第１信号線１５１の電圧が固定電圧となっている。一方、期間Ｔ１〜期間Ｔ２及び期間Ｔ３〜期間Ｔ４では、制御線１４４がＨＩＧＨレベルかつ制御線１４３がＬＯＷレベルとなることで第２信号線１５２の電圧が固定電圧となっている。なお、信号線駆動回路１５からは常に信号電圧が出力されている。
【００９５】
図８における時刻Ｔ０及びＴ２は、図５における時刻ｔ０に相当し、時刻Ｔ０においては走査線１３３（１、１）〜１３３（１、ｍ）の電圧レベルを同時にＬＯＷからＨＩＧＨに変化させ、時刻Ｔ２においては走査線１３３（３、１）〜１３３（３、ｍ）の電圧レベルを同時にＬＯＷからＨＩＧＨに変化させる。また、このとき、走査／制御線駆動回路１４は、制御線１４４の電圧レベルをＨＩＧＨからＬＯＷに変化させ、制御線１４３の電圧レベルをＬＯＷからＨＩＧＨに変化させる。この時刻Ｔ０及びＴ２における電圧レベルの変化により、セレクタ回路１６の一発光画素列における回路状態は図９Ｂのようになる。つまり、ゲートが制御線１４３に接続されたスイッチングトランジスタ１６２及び１６３がオン状態となり、ゲートが制御線１４４に接続されたスイッチングトランジスタ１６１及び１６４がオフ状態となる。これにより、時刻Ｔ０及びＴ２において、それぞれ、第１駆動ブロック及び第３駆動ブロックの発光画素１１Ａが接続された第１信号線１５１の電圧は固定電圧に変化し、第２信号線１５２の電圧は信号電圧に変化する。
【００９６】
これにより、図５に記載された時刻ｔ０において、固定電圧が、ｋ番目の駆動ブロックの有する全ての駆動トランジスタ１１４のゲートに印加される。
【００９７】
次に、時刻ｔ１において、走査／制御線駆動回路１４は、第１制御線１３２（ｋ）の電圧レベルをＬＯＷからＨＩＧＨに変化させ、一定期間経った後、時刻ｔ２においてＬＯＷに変化させる（図７のＳ１３）。また、このとき、第２制御線１３１（ｋ）の電圧レベルはＬＯＷに維持されているので、駆動トランジスタ１１４のソース電極Ｓ（Ｍ）と有機ＥＬ素子１１３のカソード電極との間の電位差は、有機ＥＬ素子１１３の閾値電圧に漸近していく。ここで、例えば、固定電圧及び電源線１１２電位を０Ｖとし、第１制御線１３２（ｋ）のＨＩＧＨ電圧レベル（ＶｇＨ）とＬＯＷ電圧レベル（ＶｇＬ）の電位差（ＶｇＨ−ＶｇＬ）をΔＶｒｅｓｅｔ、静電保持容量１１８の静電容量値をＣ２、有機ＥＬ素子１１３の静電容量及び閾値電圧を、それぞれＣＥＬ及びＶＴ（ＥＬ）とする。このとき、第１制御線１３２（ｋ）の電圧レベルをＬＯＷからＨＩＧＨにした瞬間、駆動トランジスタ１１４のソース電極Ｓ（Ｍ）の電位Ｖｓは、Ｃ２とＣＥＬとで分配される電圧と、ＶＴ（ＥＬ）との和とほぼ等しく、
【００９８】
【数１】
2012032565.tif 000003
となる。その後、図６（ｂ）に示すように、有機ＥＬ素子１１３の自己放電がなされることにより、上記Ｖｓは、定常状態では、ＶＴ（ＥＬ）に漸近していく。すなわち、Ｖｓ→ＶＴ（ＥＬ）となる。
【００９９】
その後、時刻ｔ２において、走査／制御線駆動回路１４が第１制御線１３２（ｋ）の電圧レベルをＨＩＧＨからＬＯＷに変化させることにより、Ｖｓがバイアスされ、
【０１００】
【数２】
2012032565.tif 000004
となる。ここで、この第１制御線１３２（ｋ）のＨＩＧＨからＬＯＷへの変化により、駆動トランジスタ１１４のゲートソース間電圧であるＶｇｓには、駆動トランジスタ１１４の閾値電圧Ｖｔｈよりも大きな電圧が発生するようにΔＶresetを設定している。つまり、静電保持容量１１７に発生する電位差を駆動トランジスタ１１４の閾値電圧が検出できる電位差としている。このようにして、閾値電圧の検出過程への準備が完了する。
【０１０１】
次に、時刻ｔ３において、走査／制御線駆動回路１４は、第２制御線１３１（ｋ）の電圧レベルをＬＯＷからＨＩＧＨに変化させてスイッチングトランジスタ１１６をオン状態とする。これにより、図６（ｃ）に示すように、駆動トランジスタ１１４はオン状態となり、ドレイン電流を、静電保持容量１１７、１１８及びオフ状態となっている有機ＥＬ素子１１３へと流す。このとき、式２で規定されたＶｓは、−Ｖｔｈに漸近していく。これにより、静電保持容量１１７、１１８及び有機ＥＬ素子１１３には駆動トランジスタ１１４のゲート−ソース間電圧が記録される。なお、このとき、有機ＥＬ素子１１３のアノード電極電位すなわち駆動トランジスタ１１４のソース電極電位は−Ｖｔｈ（＜０）よりも低い電位であり、有機ＥＬ素子１１３のカソード電位は０Ｖであるので逆バイアス状態となり、有機ＥＬ素子１１３は発光せず、静電容量ＣＥＬとして機能する。
【０１０２】
そして、時刻ｔ３〜時刻ｔ４の期間、発光画素１１Ａの回路は定常状態となり、静電保持容量１１７及び１１８には駆動トランジスタ１１４の閾値電圧Ｖｔｈに相当する電圧が保持される。なお、閾値電圧Ｖｔｈに相当する電圧を静電保持容量１１７及び１１８に保持させるために流れる電流は微少であるため、定常状態となるまでには時間を要する。よって、この期間が長いほど、静電保持容量１１７に保持される電圧は安定し、この期間を十分長く確保することにより、高精度な電圧補償が実現される。
【０１０３】
次に、時刻ｔ４において、走査／制御線駆動回路１４は、第２制御線１３１（ｋ）の電圧レベルをＨＩＧＨからＬＯＷに変化させる（図７のＳ１４）。これにより、駆動トランジスタ１１４への電流供給が停止される。このとき、ｋ番目の駆動ブロックの全ての発光画素１１Ａの有する静電保持容量１１７及び１１８には駆動トランジスタ１１４の閾値電圧Ｖｔｈに相当する電圧が同時に保持される。
【０１０４】
次に、時刻ｔ５において、走査／制御線駆動回路１４は、走査線１３３（ｋ、１）〜１３３（ｋ、ｍ）の電圧レベルを同時にＨＩＧＨからＬＯＷに変化させ、スイッチングトランジスタ１１５をオフ状態とする。
【０１０５】
以上、時刻ｔ０〜時刻ｔ５の期間では、駆動トランジスタ１１４の閾値電圧Ｖｔｈの補正が、ｋ番目の駆動ブロック内において同時に実行されている。
【０１０６】
次に、時刻ｔ５〜時刻ｔ７の期間において、走査／制御線駆動回路１４は、走査線１３３（ｋ、１）〜１３３（ｋ、ｍ）の電圧レベルを、順次、ＬＯＷ→ＨＩＧＨ→ＬＯＷに変化させ、スイッチングトランジスタ１１５を、発光画素行ごとに順次オン状態とする。また、この時、信号線駆動回路１５は、第１信号線１５１の電圧を固定電圧から信号電圧Ｖｄａｔａに変化させる（図７のＳ１５）。
【０１０７】
ここで、セレクタ回路１６を用いて、第１信号線１５１の電圧を固定電圧から信号電圧に変化させる方法について説明する。
【０１０８】
図８における時刻Ｔ１及びＴ３は、図５における時刻ｔ５に相当し、時刻Ｔ１においては走査線１３３（１、１）〜１３３（１、ｍ）の電圧レベルを同時にＨＩＧＨからＬＯＷに変化させ、時刻Ｔ３においては走査線１３３（３、１）〜１３３（３、ｍ）の電圧レベルを同時にＨＩＧＨからＬＯＷに変化させる。また、このとき、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ１及びＴ３における電圧レベルの変化により、セレクタ回路１６の一発光画素列における回路状態は図９Ａのようになる。つまり、ゲートが制御線１４３に接続されたスイッチングトランジスタ１６２及び１６３がオフ状態となり、ゲートが制御線１４４に接続されたスイッチングトランジスタ１６１及び１６４がオン状態となる。これにより、時刻Ｔ１及びＴ３において、それぞれ、第２駆動ブロック及び第４駆動ブロックの発光画素１１Ｂが接続された第２信号線１５２の電圧は固定電圧に変化し、第１信号線１５１の電圧は信号電圧に変化する。
これにより、図５に記載された時刻ｔ５において、図６（ｄ）に示すように、駆動トランジスタ１１４のゲートに信号電圧Ｖｄａｔａが印加される。このとき、静電保持容量１１７及び１１８の接点Ｍにおける電位ＶＭ（＝Ｖｓ）は、信号電圧の変化量ΔＶｄａｔａがＣ１及びＣ２で分配された電圧と、時刻ｔ４におけるＶｓ電位である−Ｖｔｈとの和となり、
【０１０９】
【数３】
2012032565.tif 000005
となる。
【０１１０】
つまり、静電保持容量１１７に保持される電位差Ｖｇｓは、Ｖｄａｔａと上記式３で規定された電位との差分であり、
【０１１１】
【数４】
2012032565.tif 000006
となる。つまり、静電保持容量１１７には、この信号電圧Ｖｄａｔａに応じた電圧と、先に保持された駆動トランジスタ１１４の閾値電圧Ｖｔｈに相当する電圧とが加算された加算電圧が書き込まれる。
【０１１２】
以上、時刻ｔ５〜時刻ｔ７の期間では、補正された信号電圧の書き込みが、ｋ番目の駆動ブロック内で発光画素行ごとに、順次実行されている。
【０１１３】
次に、時刻ｔ７以降において、第２制御線１３１（ｋ）の電圧レベルをＬＯＷからＨＩＧＨに変化させる（図７のＳ１６）。これにより、上記加算電圧に応じた駆動電流が有機ＥＬ素子１１３に流れる。つまり、ｋ番目の駆動ブロック内の全ての発光画素１１Ａでは、同時に発光が開始される。
【０１１４】
以上、時刻ｔ７以降の期間では、有機ＥＬ素子１１３の発光が、ｋ番目の駆動ブロック内において同時に実行されている。ここで、駆動トランジスタ１１４を流れるドレイン電流ｉｄは、式４で規定されたＶｇｓから、駆動トランジスタ１１４の閾値電圧Ｖｔｈを減じた電圧値を用いて、
【０１１５】
【数５】
2012032565.tif 000007
と表される。ここで、βは移動度に関する特性パラメータである。式５から、有機ＥＬ素子１１３を発光させるためのドレイン電流ｉｄは、駆動トランジスタ１１４の閾値電圧Ｖｔｈに依存しない電流となっていることが解る。
【０１１６】
以上、発光画素行を駆動ブロック化することにより、駆動ブロック内では、駆動トランジスタ１１４の閾値電圧Ｖｔｈ補償が同時に実行される。また、有機ＥＬ素子１１３の発光も駆動ブロック内で同時に実行される。これにより、駆動トランジスタ１１４の駆動電流のオンオフの制御を駆動ブロック内で同期でき、また、当該駆動電流のソース以降の電流経路の制御を駆動ブロック内で同期できる。よって、第１制御線１３２及び第２制御線１３１を駆動ブロック内で共通化できる。
【０１１７】
また、走査線１３３（ｋ、１）〜１３３（ｋ、ｍ）においては、走査／制御線駆動回路１４とは個別に接続されているが、閾値電圧補償期間においては、駆動パルスのタイミングが同一である。よって、走査／制御線駆動回路１４は、出力するパルス信号の高周波化を抑制することができるので、駆動回路の出力負荷を低減できる。さらに、セレクタ回路１６において、制御線１４４へ与える制御信号の電圧レベルと、制御線１４３へ与える制御信号の電圧レベルとを排他的に変化させることにより、スイッチングトランジスタ１６１及び１６４のオンオフとスイッチングトランジスタ１６２及び１６３のオンオフとを排他的に行うことにより、信号電圧及び固定電圧は、第１信号線１５１及び第２信号線１５２へ排他的に供給される。これにより、１発光画素列に対して配置された２本の信号線に対し、信号線駆動回路１５の出力線を１本とできるため、信号線駆動回路１５を小型化することができ、データドライバ１５３の実装数及び出力線の減少に伴う駆動回路実装のためのコスト低減及び実装歩留まりの向上が図られる。
【０１１８】
一方、上述した、駆動回路の出力負荷の小さい駆動方法は、特許文献１に記載された従来の表示装置５００では実現困難である。図３０に記載された画素回路図においても、駆動トランジスタ５１２の閾値電圧Ｖｔｈを補償しているが、当該閾値電圧に相当する電圧が保持容量５１３に保持された後、駆動トランジスタ５１２のソース電位は変動し確定しない。このため、表示装置５００では、閾値電圧Ｖｔｈを保持した後、続いて信号電圧が加算された加算電圧の書き込みを即座に実行しなければならない。また、上記加算電圧もソース電位の変動の影響を受けるため、続いて発光動作を即座に実行しなければならない。つまり、従来の表示装置５００では、発光画素行ごとに、上述した閾値電圧補償、信号電圧書き込み及び発光を実行しなければならず、図３０に記載された発光画素５０１では駆動ブロック化はできない。
【０１１９】
これに対し、本発明の表示装置１の有する発光画素１１Ａ及び１１Ｂは、前述したように、駆動トランジスタ１１４のドレインにスイッチングトランジスタ１１６が付加されている。これにより、駆動トランジスタ１１４のゲート及びソース電位が安定化されるので、閾値電圧補正による電圧の書き込みから信号電圧の加算書き込みまでの時間、または、当該加算書き込みから発光までの時間を、発光画素行ごとに任意に設定することが可能となる。この回路構成により、駆動ブロック化が可能となり、同一駆動ブロック内での閾値電圧補正期間及び発光期間を一致させることが可能となる。
【０１２０】
ここで、特許文献１に記載された、２本の信号線を用いた従来の表示装置と、本発明の駆動ブロック化された表示装置とで、閾値電圧検出期間により規定される発光デューティの比較を行う。
【０１２１】
図１０は、走査線及び信号線の波形特性を説明する図である。同図において、各画素行の１水平期間ｔ１Ｈにおける閾値電圧Ｖｔｈの検出期間は、走査線がオン状態の期間であるＰＷＳに相当する。また、信号線においては、１水平期間ｔ１Ｈは、信号電圧を供給する期間であるＰＷＤと、固定電圧を供給する期間であるｔＤとを含む。また、ＰＷＳの立ち上がり時間及び立ち下がり時間を、それぞれ、ｔＲ（Ｓ）及びｔＦ（Ｓ）とし、ＰＷＤの立ち上がり時間及び立ち下がり時間を、それぞれ、ｔＲ（Ｄ）及びｔＦ（Ｄ）とすると、１水平期間ｔ１Ｈは以下のように表される。
【０１２２】
【数６】
2012032565.tif 000008
【０１２３】
さらに、ＰＷＤ＝ｔＤと仮定すると、
【０１２４】
【数７】
2012032565.tif 000009
【０１２５】
となる。式６及び式７より、
【０１２６】
【数８】
2012032565.tif 000010
【０１２７】
となる。また、Ｖｔｈ検出期間は固定電圧発生期間内に開始し終了しなければならないので、Ｖｔｈ検出時間を最大で確保したとして、
【０１２８】
【数９】
2012032565.tif 000011
【０１２９】
となり、式８及び式９より、
【０１３０】
【数１０】
2012032565.tif 000012
が得られる。
【０１３１】
上記式１０に対して、例として、走査線本数が１０８０本（＋ブランキング３０本）の垂直解像度を有し、１２０Ｈｚ駆動するパネルの発光デューティを比較する。
【０１３２】
従来の表示装置５００において、２本の信号線を有する場合の１水平期間ｔ１Ｈは、１本の信号線を有する場合の２倍であるから、
ｔ１Ｈ＝｛１秒／（１２０Ｈｚ×１１１０本）｝×２＝７．５μＳ×２＝１５μＳ
となる。ここで、ｔＲ（Ｄ）＝ｔＦ（Ｄ）＝２μＳ、ｔＲ（Ｓ）＝ｔＦ（Ｓ）＝１．５μＳとし、これらを式１０に代入すると、Ｖｔｈの検出期間であるＰＷＳは、２．５μＳとなる。
【０１３３】
ここで、十分な精度を有するためのＶｔｈ検出期間が１０００μＳ必要であるとすると、当該Ｖｔｈ検出に必要な水平期間は、１０００μＳ／２．５μＳ＝４００水平期間、が少なくとも非発光期間として必要となる。よって、２本の信号線を用いた従来の表示装置５００の発光デューティは、（１１１０水平期間−４００水平期間）／１１１０水平期間＝６４％以下となる。
【０１３４】
次に、本発明の駆動ブロック化された表示装置の発光デューティを求める。上記条件と同様に、十分な精度を有するためのＶｔｈ検出期間が１０００μＳ必要であるとすると、ブロック駆動の場合には、図５に記載された期間Ａ（閾値検出準備期間＋閾値検出期間）が上記１０００μＳに相当する。この場合、１フレームの非発光期間は、上記期間Ａと書き込み期間とを含むことから、少なくとも１０００μＳ×２＝２０００μＳとなる。よって、本発明の駆動ブロック化された表示装置の発光デューティは、（１フレーム時間−２０００μＳ）／１フレーム時間であり、１フレーム時間として（１秒／１２０Ｈｚ）を代入して、７６％以下となる。
【０１３５】
以上の比較結果より、２本の信号線を用いた従来の表示装置に対して、本発明のようにブロック駆動を組み合わせることにより、同じ閾値検出期間を設置したとしても発光デューティをより長く確保することができる。よって、発光輝度が十分確保され、かつ、駆動回路の出力負荷が低減された長寿命の表示装置を実現することが可能となる。
【０１３６】
逆に言えば、２本の信号線を用いた従来の表示装置と、本発明のようにブロック駆動を組み合わせた表示装置とを同じ発光デューティに設定した場合、本発明の表示装置の方が、閾値検出期間を長く確保することが解る。
【０１３７】
再び、本実施の形態に係る表示装置１の制御方法について説明する。
【０１３８】
一方、時刻ｔ８では、（ｋ＋１）番目の駆動ブロックにおける駆動トランジスタ１１４の閾値電圧補正が開始される。
【０１３９】
まず、時刻ｔ８の直前では、走査線１３３（ｋ＋１、１）〜１３３（ｋ＋１、ｍ）の電圧レベルは全てＬＯＷであり、第１制御線１３２（ｋ＋１）及び第２制御線１３１（ｋ＋１）もＬＯＷである。第２制御線１３１（ｋ＋１）をＬＯＷとした瞬間から、スイッチングトランジスタ１１６はオフ状態となる。これにより、有機ＥＬ素子１１３は消光し、（ｋ＋１）ブロックにおける発光画素の一斉発光が終了する。同時に、（ｋ＋１）ブロックにおける非発光期間が開始する。
【０１４０】
そして、時刻ｔ５とほぼ同時期である時刻ｔ８において、走査／制御線駆動回路１４は、走査線１３３（ｋ＋１、１）〜１３３（ｋ＋１、ｍ）の電圧レベルを同時にＬＯＷからＨＩＧＨに変化させ、スイッチングトランジスタ１１５をオン状態とする。なお、この時、既に第２制御線１３１（ｋ＋１）はＬＯＷとなってスイッチングトランジスタ１１６はオフとなっている（図７のＳ２１）。また、この時、信号線駆動回路１５は、第２信号線１５２の電圧を信号電圧から固定電圧に変化させてある（図７のＳ２２）。
【０１４１】
ここで、セレクタ回路１６を用いて、第２信号線１５２の電圧を信号電圧から固定電圧に変化させる方法について説明する。
【０１４２】
図８における時刻Ｔ１及びＴ３は、図５における時刻ｔ８に相当し、時刻Ｔ１においては走査線１３３（２、１）〜１３３（２、ｍ）の電圧レベルを同時にＬＯＷからＨＩＧＨに変化させ、時刻Ｔ３においては走査線１３３（４、１）〜１３３（４、ｍ）の電圧レベルを同時にＬＯＷからＨＩＧＨに変化させる。また、このとき、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ１及びＴ３における電圧レベルの変化により、セレクタ回路１６の一発光画素列における回路状態は図９Ａのようになる。つまり、ゲートが制御線１４３に接続されたスイッチングトランジスタ１６２及び１６３がオフ状態となり、ゲートが制御線１４４に接続されたスイッチングトランジスタ１６１及び１６４がオン状態となる。これにより、時刻Ｔ１及びＴ３において、第２駆動ブロック及び第４駆動ブロックの発光画素１１Ｂが接続された第２信号線１５２の電圧は固定電圧に変化し、第１信号線１５１の電圧は信号電圧に変化する。
【０１４３】
これにより、図５に記載された時刻ｔ８において、固定電圧が、（ｋ＋１）番目の駆動ブロックの有する全ての駆動トランジスタ１１４のゲートに印加される。
【０１４４】
次に、時刻ｔ９において、走査／制御線駆動回路１４は、第１制御線１３２（ｋ＋１）の電圧レベルをＬＯＷからＨＩＧＨに変化させ、一定期間経った後、時刻ｔ１０においてＬＯＷに変化させる（図７のＳ２３）。なお、このとき、第２制御線１３１（ｋ＋１）の電圧レベルはＬＯＷに維持されているので、駆動トランジスタ１１４のソース電極Ｓ（Ｍ）と有機ＥＬ素子１１３のカソード電極との間の電位差は、有機ＥＬ素子１１３の閾値電圧に漸近していく。これにより、電流制御部１００の静電保持容量１１７に蓄えられる電位差を、駆動トランジスタ１１４の閾値電圧が検出できる電位差とする。このようにして、閾値電圧の検出過程への準備が完了する。
【０１４５】
次に、時刻ｔ１１において、走査／制御線駆動回路１４は、第２制御線１３１（ｋ＋１）の電圧レベルをＬＯＷからＨＩＧＨに変化させてスイッチングトランジスタ１１６をオン状態とする。これにより、駆動トランジスタ１１４はオン状態となり、ドレイン電流を、静電保持容量１１７、１１８及びオフ状態となっている有機ＥＬ素子１１３へと流す。このとき、静電保持容量１１７、１１８及び有機ＥＬ素子１１３には駆動トランジスタ１１４のゲート−ソース間電圧が記録される。なお、このとき、有機ＥＬ素子１１３のアノード電極電位すなわち駆動トランジスタ１１４のソース電極電位は−Ｖｔｈ（＜０）よりも低い電位であり、有機ＥＬ素子１１３のカソード電位は０Ｖであるので逆バイアス状態となり、有機ＥＬ素子１１３は発光せず、静電容量ＣＥＬとして機能する。
【０１４６】
そして、時刻ｔ１１〜時刻ｔ１２の期間、発光画素１１Ｂの回路は定常状態となり、静電保持容量１１７及び１１８には駆動トランジスタ１１４の閾値電圧Ｖｔｈに相当する電圧が保持される。なお、この期間が長いほど、静電保持容量１１７及び１１８に保持される閾値電圧Ｖｔｈの検出精度が向上する。よって、この期間を十分長く確保することにより、高精度な電圧補償が実現される。
【０１４７】
次に、時刻ｔ１２において、走査／制御線駆動回路１４は、走査線１３３（ｋ＋１、１）〜１３３（ｋ＋１、ｍ）の電圧レベルを同時にＨＩＧＨからＬＯＷに変化させ、スイッチングトランジスタ１１５をオフ状態とする（図７のＳ２４）。これにより、駆動トランジスタ１１４はオフ状態となる。このとき、（ｋ＋１）番目の駆動ブロックの全ての発光画素１１Ｂの有する静電保持容量１１７には駆動トランジスタ１１４の閾値電圧Ｖｔｈに相当する電圧が同時に保持される。
【０１４８】
次に、時刻ｔ１３において、走査／制御線駆動回路１４は、第２制御線１３１（ｋ＋１）の電圧レベルをＨＩＧＨからＬＯＷに変化させる。
【０１４９】
以上、時刻ｔ１１〜時刻ｔ１２の期間では、駆動トランジスタ１１４の閾値電圧Ｖｔｈの補正が、（ｋ＋１）番目の駆動ブロック内において同時に実行されている。
【０１５０】
次に、時刻ｔ１３以降において、走査／制御線駆動回路１４は、走査線１３３（ｋ＋１、１）〜１３３（ｋ＋１、ｍ）の電圧レベルを、順次、ＬＯＷ→ＨＩＧＨ→ＬＯＷに変化させ、スイッチングトランジスタ１１５を、発光画素行ごとに順次オン状態とすることを開始する。また、この時、信号線駆動回路１５は、第２信号線１５２の電圧を固定電圧から信号電圧に変化させる（図７のＳ２５）。
【０１５１】
ここで、セレクタ回路１６を用いて、第２信号線１５２の電圧を固定電圧から信号電圧に変化させる方法について説明する。
【０１５２】
図８における時刻Ｔ２及びＴ４は、図５における時刻ｔ１３に相当し、時刻Ｔ２においては走査線１３３（２、１）〜１３３（２、ｍ）の電圧レベルを同時にＨＩＧＨからＬＯＷに変化させ、時刻Ｔ４においては走査線１３３（４、１）〜１３３（４、ｍ）の電圧レベルを同時にＨＩＧＨからＬＯＷに変化させる。また、このとき、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ２及びＴ４における電圧レベルの変化により、セレクタ回路１６の一発光画素列における回路状態は図９Ｂのようになる。つまり、ゲートが制御線１４３に接続されたスイッチングトランジスタ１６２及び１６３がオン状態となり、ゲートが制御線１４４に接続されたスイッチングトランジスタ１６１及び１６４がオフ状態となる。これにより、時刻Ｔ２及びＴ４において、それぞれ、第２駆動ブロック及び第４駆動ブロックの発光画素１１Ｂが接続された第２信号線１５２の電圧は信号電圧に変化し、第１信号線１５１の電圧は固定電圧に変化する。
【０１５３】
これにより、図５に記載された時刻ｔ１３において、駆動トランジスタ１１４のゲートに信号電圧が印加される。このとき、静電保持容量１１７には、この信号電圧Ｖｄａｔａに応じた電圧と、先に保持された駆動トランジスタ１１４の閾値電圧Ｖｔｈに相当する電圧とが加算された加算電圧が書き込まれる。
【０１５４】
以上、時刻ｔ１３以降の期間では、補正された信号電圧の書き込みが、（ｋ＋１）番目の駆動ブロック内で発光画素行ごとに、順次実行されている。
【０１５５】
次に、時刻ｔ１５以降において、第２制御線１３１（ｋ＋１）の電圧レベルをＬＯＷからＨＩＧＨに変化させる（図７のＳ２６）。これにより、上記加算電圧に応じた駆動電流が有機ＥＬ素子１１３に流れる。つまり、（ｋ＋１）番目の駆動ブロック内の全ての発光画素１１Ｂでは、一斉に発光が開始される。
【０１５６】
以上、時刻ｔ１５以降の期間では、有機ＥＬ素子１１３の発光が、（ｋ＋１）番目の駆動ブロック内において同時に実行されている。
【０１５７】
以上の動作が、表示パネル１０内の（ｋ＋２）番目の駆動ブロック以降においても順次実行される。
【０１５８】
図１１は、本発明の実施の形態１に係る駆動方法により発光した駆動ブロックの状態遷移図である。同図には、ある発光画素列における、駆動ブロックごとの発光期間及び非発光期間が表されている。縦方向は複数の駆動ブロックを、また、横軸は経過時間を示す。ここで、非発光期間とは、上述した閾値電圧補正期間及び信号電圧の書き込み期間を含む。
【０１５９】
本発明の実施の形態１に係る表示装置の制御方法によれば、発光期間は、同一駆動ブロックで一斉に設定される。よって、駆動ブロック間では、行走査方向に対して発光期間が階段状に現れる。
【０１６０】
以上、スイッチングトランジスタ１１６及び静電保持容量１１８が配置された発光画素回路、信号線駆動回路１５と信号線群１２との間に配置されたセレクタ回路、駆動ブロック化された各発光画素及びセレクタ回路への制御線、走査線及び信号線の配置、及び上記制御方法により、駆動トランジスタ１１４の閾値電圧補正期間及びそのタイミングを同一駆動ブロック内で一致させることが可能となる。また、さらに、発光期間及びそのタイミングも同一駆動ブロック内で一致させることが可能となる。さらに、セレクタ回路により、信号線駆動回路１５からの出力本数を低減できる。よって、各スイッチ素子の導通及び非導通を制御する信号や電流パスを制御する信号を出力する走査／制御線駆動回路１４や信号電圧を制御する信号線駆動回路１５の負荷が低減するとともに駆動回路のコスト低減、ならびにパネル実装歩留まりの向上が図られる。また、さらに、上記駆動ブロック化及び発光画素列ごとに配置された２本の信号線により、駆動トランジスタ１１４の閾値電圧補正期間を、全ての発光画素を書き換える時間である１フレーム期間Ｔｆのなかで大きくとることができる。これは、ｋ番目の駆動ブロックにおいて輝度信号がサンプリングされている期間に、（ｋ＋１）番目の駆動ブロックにおいて閾値電圧補正期間が設けられることによるものである。よって、閾値電圧補正期間は、発光画素行ごとに分割されるのではなく、駆動ブロックごと分割される。よって、表示領域が大面積化されても走査／制御線駆動回路１４の出力数をさほど増大させることなく、かつ、発光デューティを減少させることなく、１フレーム期間に対する相対的な閾値電圧補正期間を長く設定することが可能となる。これにより、高精度に補正された信号電圧に基づいた駆動電流が発光素子に流れ、画像表示品質が向上する。
【０１６１】
例えば、表示パネル１０をＮ個の駆動ブロックに分割した場合、各発光画素に与えられる閾値補正期間は、最大Ｔｆ／Ｎとなる。これに対し、発光画素行ごとに異なるタイミングで閾値電圧補正期間を設定する場合、発光画素行がＭ行（Ｍ＞＞Ｎ）であるとすると、最大Ｔｆ／Ｍとなる。また、特許文献１に記載されたような信号線を発光画素列ごとに２本配置した場合でも、最大２Ｔｆ／Ｍである。
【０１６２】
また、駆動ブロック化により、駆動トランジスタ１１４のドレインへの電圧印加のオンオフを制御する第２制御線、また、当該駆動電流のソース以降の電流経路を制御する第１制御線を駆動ブロック内で共通化できる。よって、走査／制御線駆動回路１４から出力される制御線の本数が削減される。よって、駆動回路の負荷が低減する。
【０１６３】
例えば、特許文献１に記載された従来の表示装置５００では、発光画素行あたり２本の制御線（給電線及び走査線）が配置されている。表示装置５００がＭ行の発光画素行から構成されているとすると、制御線は合計２Ｍ本となる。
【０１６４】
これに対し、本発明の実施の形態１に係る表示装置１では、走査／制御線駆動回路１４から、発光画素行あたり１本の走査線、駆動ブロックごとに２本の制御線が出力される。よって、表示装置１がＭ行の発光画素行から構成されているとすると、制御線（走査線を含む）の合計は（Ｍ＋２Ｎ）本となる。
【０１６５】
大面積化がなされ、発光画素の行数が大きい場合、Ｍ＞＞Ｎが実現されるので、この場合には、本発明に係る表示装置１の制御線本数は、従来の表示装置５００の制御線本数に比べ、約１／２に削減することができる。
【０１６６】
（実施の形態２）
以下、本発明の実施の形態２について、図面を参照しながら説明する。
【０１６７】
図１２は、本発明の実施の形態２に係る表示装置の有する表示パネルの一部を示す回路構成図である。同図には、２つの隣接する駆動ブロック及び各制御線、各走査線及び各信号線が記載されている。図面及び以下の説明では、各制御線、各走査線及び各信号線を“符号（ブロック番号、当該ブロックにおける行番号）”または“符号（ブロック番号）”で表している。
【０１６８】
同図に記載された表示装置は、実施の形態１に係る表示装置１と比較して、各発光画素の回路構成は同様であるが、第２制御線１３１が駆動ブロックごとに共通化されておらず、発光画素行ごとに図示されていない走査／制御線駆動回路１４に接続されている点のみが異なる。以下、実施の形態２に係る表示装置１と同じ点は説明を省略し、異なる点のみ説明する。
【０１６９】
図１２の上段に記載されたｋ番目の駆動ブロックでは、第２制御線１３１（ｋ、１）〜１３１（ｋ、ｍ）が当該駆動ブロック内の発光画素行ごとに配置されており、各発光画素１１Ａの有するスイッチングトランジスタ１１６のゲートに個別に接続されている。また、第１制御線１３２（ｋ）が当該駆動ブロック内の全ての発光画素１１Ａの有する静電保持容量１１８に共通して接続されている。一方、走査線１３３（ｋ、１）〜走査線１３３（ｋ、ｍ）は、それぞれ、発光画素行ごとに個別に接続されている。また、図１２の下段に記載された（ｋ＋１）番目の駆動ブロックでも、ｋ番目の駆動ブロックと同様の接続がなされている。ただし、ｋ番目の駆動ブロックに接続された第１制御線１３２（ｋ）と（ｋ＋１）番目の駆動ブロックに接続された第１制御線１３２（ｋ＋１）とは、異なる制御線であり、走査／制御線駆動回路１４から個別の制御信号が出力される。
【０１７０】
また、ｋ番目の駆動ブロックでは、第１信号線１５１が当該駆動ブロック内の全ての発光画素１１Ａの有するスイッチングトランジスタ１１５のソース及びドレインの他方に接続されている。一方、（ｋ＋１）番目の駆動ブロックでは、第２信号線１５２が当該駆動ブロック内の全ての発光画素１１Ｂの有するスイッチングトランジスタ１１５のソース及びドレインの他方に接続されている。
【０１７１】
上述したように、駆動ブロック化を行うことにより、Ｖｔｈ検出回路を制御する第１制御線１３２の本数が削減される。よって、これらの制御線に駆動信号を出力する走査／制御線駆動回路１４の負荷が低減する。
【０１７２】
また、本実施の形態においても、図１と同様に、セレクタ回路１６を介して、信号線駆動回路１５の出力線と第１信号線１５１および第２信号線１５２が接続されている。
【０１７３】
次に、本実施の形態に係る表示装置の制御方法について図１３を用いて説明する。
【０１７４】
図１３は、本発明の実施の形態２に係る表示装置の駆動方法の動作タイミングチャートである。同図において、横軸は時間を表している。また縦方向には、上から順に、ｋ番目の駆動ブロックの走査線１３３（ｋ、１）、１３３（ｋ、２）及び１３３（ｋ、ｍ）、第１信号線１５１、第２制御線１３１（ｋ、１）及び１３１（ｋ、ｍ）、及び第１制御線１３２（ｋ）に発生する電圧の波形図が示されている。また、これらに続き、（ｋ＋１）番目の駆動ブロックの走査線１３３（ｋ＋１、１）、１３３（ｋ＋１、２）及び１３３（ｋ＋１、ｍ）、第２信号線１５２、第２制御線１３１（ｋ＋１、１）及び１３１（ｋ＋１、ｍ）、及び第１制御線１３２（ｋ＋１）に発生する電圧の波形図が示されている。
【０１７５】
本実施の形態に係る駆動方法は、図５に記載された実施の形態１に係る駆動方法と比較して、駆動ブロック内での発光期間を一致させず、発光画素行ごとに信号電圧の書き込み期間と発光期間を設定している点のみが異なる。
【０１７６】
まず、時刻ｔ２０の直前では、走査線１３３（ｋ、１）〜１３３（ｋ、ｍ）の電圧レベルは全てＬＯＷであり、第１制御線１３２（ｋ）及び第２制御線１３１（ｋ、１）〜１３１（ｋ、ｍ）もＬＯＷである。図６（ａ）のように、第２制御線１３１（ｋ、１）〜１３１（ｋ、ｍ）をＬＯＷとした瞬間から、スイッチングトランジスタ１１６はオフ状態となる。これにより、有機ＥＬ素子１１３は消光し、ｋブロックにおける発光画素の画素行ごとの発光が終了する。同時に、ｋブロックにおける非発光期間が開始する。
【０１７７】
次に、時刻ｔ２０において、走査／制御線駆動回路１４は、走査線１３３（ｋ、１）〜１３３（ｋ、ｍ）の電圧レベルを同時にＬＯＷからＨＩＧＨに変化させ、スイッチングトランジスタ１１５をオン状態とする。なお、この時、既に第２制御線１３１（ｋ、１）〜１３１（ｋ、ｍ）はＬＯＷとなってスイッチングトランジスタ１１６はオフ状態となっている（図７のＳ１１）。また、この時、信号線駆動回路１５は、第１信号線１５１の電圧を信号電圧から固定電圧に変化させる（図７のＳ１２）。
【０１７８】
ここで、セレクタ回路１６を用いて、第１信号線１５１の電圧を信号電圧から固定電圧に変化させる方法について説明する。
【０１７９】
図８は、本発明の実施の形態２に係るセレクタ回路を駆動するための動作タイミングチャートである。図８における時刻Ｔ０及びＴ２は、図１３における時刻ｔ２０に相当し、時刻Ｔ０においては走査線１３３（１、１）〜１３３（１、ｍ）の電圧レベルを同時にＬＯＷからＨＩＧＨに変化させ、時刻Ｔ２においては走査線１３３（３、１）〜１３３（３、ｍ）の電圧レベルを同時にＬＯＷからＨＩＧＨに変化させる。また、このとき、走査／制御線駆動回路１４は、制御線１４４の電圧レベルをＨＩＧＨからＬＯＷに変化させ、制御線１４３の電圧レベルをＬＯＷからＨＩＧＨに変化させる。この時刻Ｔ０及びＴ２における電圧レベルの変化により、セレクタ回路１６の一発光画素列における回路状態は図９Ｂのようになる。つまり、ゲートが制御線１４３に接続されたスイッチングトランジスタ１６２及び１６３がオン状態となり、ゲートが制御線１４４に接続されたスイッチングトランジスタ１６１及び１６４がオフ状態となる。これにより、時刻Ｔ０及びＴ２において、それぞれ、第１駆動ブロック及び第３駆動ブロックの発光画素１１Ａが接続された第１信号線１５１の電圧は固定電圧に変化し、第２信号線１５２の電圧は信号電圧に変化する。
【０１８０】
これにより、図１３に記載された時刻ｔ２０において、固定電圧が、ｋ番目の駆動ブロックの有する全ての駆動トランジスタ１１４のゲートに印加される。
【０１８１】
次に、時刻ｔ２１において、走査／制御線駆動回路１４は、第１制御線１３２（ｋ）の電圧レベルをＬＯＷからＨＩＧＨに変化させ、一定期間経った後、時刻ｔ２２においてＬＯＷに変化させる（図７のＳ１３）。なお、この時、第２制御線１３１（ｋ、１）〜１３１（ｋ、ｍ）の電圧レベルはＬＯＷに維持されているので、駆動トランジスタ１１４のソース電極Ｓ（Ｍ）と有機ＥＬ素子１１３のカソード電極との間の電位差は、有機ＥＬ素子１１３の閾値電圧に漸近していく。時刻ｔ２２において、駆動トランジスタ１１４のソース電極Ｓ（Ｍ）の電位Ｖｓは、実施の形態１で記載した式２で規定される。これにより、電流制御部１００の静電保持容量１１７に発生する電位差を、駆動トランジスタ１１４の閾値電圧が検出できる電位差としている。このようにして、閾値電圧の検出過程への準備が完了する。
【０１８２】
次に、時刻ｔ２３において、走査／制御線駆動回路１４は、第２制御線１３１（ｋ、１）〜１３１（ｋ、ｍ）の電圧レベルを一斉にＬＯＷからＨＩＧＨに変化させてスイッチングトランジスタ１１６をオン状態とする。これにより、駆動トランジスタ１１４はオン状態となり、ドレイン電流を、静電保持容量１１７、１１８及びオフ状態となっている有機ＥＬ素子１１３へと流す。このとき、式２で規定されたＶｓは、−Ｖｔｈに漸近していく。これにより、静電保持容量１１７、１１８及び有機ＥＬ素子１１３には駆動トランジスタ１１４のゲート−ソース間電圧が記録される。なお、有機ＥＬ素子１１３のアノード電極電位すなわち駆動トランジスタ１１４のソース電極電位は−Ｖｔｈ（＜０）よりも低い電位であり、有機ＥＬ素子１１３のカソード電位は０Ｖであるので逆バイアス状態となり、有機ＥＬ素子１１３は発光せず、静電容量ＣＥＬとして機能する。
【０１８３】
そして、時刻ｔ２３〜時刻ｔ２４の期間、発光画素１１Ａの回路は定常状態となり、静電保持容量１１７及び１１８には駆動トランジスタ１１４の閾値電圧Ｖｔｈに相当する電圧が保持される。なお、閾値電圧Ｖｔｈに相当する電圧を静電保持容量１１７及び１１８に保持させるために流れる電流は微少であるため、定常状態となるまでには時間を要する。よって、この期間が長いほど、静電保持容量１１７及び１１８に保持される電圧は安定し、この期間を十分長く確保することにより、高精度な電圧補償が実現される。
【０１８４】
次に、時刻ｔ２４において、走査／制御線駆動回路１４は、第２制御線１３１（ｋ、１）〜１３１（ｋ、ｍ）の電圧レベルを一斉にＨＩＧＨからＬＯＷに変化させる（図７のＳ１４）。これにより、駆動トランジスタ１１４への電流供給が停止される。このとき、ｋ番目の駆動ブロックの全ての発光画素１１Ａの有する静電保持容量１１７及び１１８には駆動トランジスタ１１４の閾値電圧Ｖｔｈに相当する電圧が同時に保持される。
【０１８５】
次に、時刻ｔ２５において、走査／制御線駆動回路１４は、走査線１３３（ｋ、１）〜１３３（ｋ、ｍ）の電圧レベルを同時にＨＩＧＨからＬＯＷに変化させ、スイッチングトランジスタ１１５をオフ状態とする。
【０１８６】
以上、時刻ｔ２０〜時刻ｔ２５の期間では、駆動トランジスタ１１４の閾値電圧Ｖｔｈの補正が、ｋ番目の駆動ブロック内において同時に実行されている。
【０１８７】
次に、時刻ｔ２５以降では、走査／制御線駆動回路１４は、走査線１３３（ｋ、１）〜１３３（ｋ、ｍ）の電圧レベルを、順次、ＬＯＷ→ＨＩＧＨ→ＬＯＷに変化させ、スイッチングトランジスタ１１５を、発光画素行ごとに順次オン状態とする。また、この時、信号線駆動回路１５は、第１信号線１５１の信号電圧を固定電圧から信号電圧Ｖｄａｔａに変化させる（図７のＳ１５）。
【０１８８】
ここで、セレクタ回路１６を用いて、第１信号線１５１の電圧を固定電圧から信号電圧に変化させる方法について説明する。
【０１８９】
図８における時刻Ｔ１及びＴ３は、図１３における時刻ｔ２５に相当し、時刻Ｔ１においては走査線１３３（１、１）〜１３３（１、ｍ）の電圧レベルを同時にＨＩＧＨからＬＯＷに変化させ、時刻Ｔ３においては走査線１３３（３、１）〜１３３（３、ｍ）の電圧レベルを同時にＨＩＧＨからＬＯＷに変化させる。また、このとき、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ１及びＴ３における電圧レベルの変化により、セレクタ回路１６の一発光画素列における回路状態は図９Ａのようになる。つまり、ゲートが制御線１４３に接続されたスイッチングトランジスタ１６２及び１６３がオフ状態となり、ゲートが制御線１４４に接続されたスイッチングトランジスタ１６１及び１６４がオン状態となる。これにより、時刻Ｔ１及びＴ３において、それぞれ、第２駆動ブロック及び第４駆動ブロックの発光画素１１Ｂが接続された第２信号線１５２の電圧は固定電圧に変化し、第１信号線１５１の電圧は信号電圧に変化する。
【０１９０】
これにより、図１３に記載された時刻ｔ２５において、駆動トランジスタ１１４のゲートに信号電圧Ｖｄａｔａが印加される。このとき、静電保持容量１１７に保持される電位差Ｖｇｓは、Ｖｄａｔａと実施の形態１で記載した式３で規定された電位との差分となり、式４の関係で規定される。つまり、静電保持容量１１７には、この信号電圧Ｖｄａｔａに応じた電圧と、先に保持された駆動トランジスタ１１４の閾値電圧Ｖｔｈに相当する電圧とが加算された加算電圧が書き込まれる。
【０１９１】
また、走査／制御線駆動回路１４は、走査線１３３（ｋ、１）の電圧レベルが上記ＬＯＷ→ＨＩＧＨ→ＬＯＷと変化した後、つづいて第２制御線１３１（ｋ、１）の電圧レベルをＬＯＷからＨＩＧＨへ変化させる。この動作を、順次、発光画素行ごとに繰り返す。
【０１９２】
以上、時刻ｔ２５以降では、補正された信号電圧の書き込み及び発光が、ｋ番目の駆動ブロック内で発光画素行ごとに、順次実行されている。
【０１９３】
以上、時刻ｔ２６以降の期間では、有機ＥＬ素子１１３の発光が、ｋ番目の駆動ブロック内において発光画素行ごとに実行されている。ここで、駆動トランジスタ１１４を流れるドレイン電流ｉｄは、実施の形態１で記載した式４で規定されたＶｇｓから、駆動トランジスタ１１４の閾値電圧Ｖｔｈを減じた電圧値を用いて、式５で規定される。式５から、有機ＥＬ素子１１３を発光させるためのドレイン電流ｉｄは、駆動トランジスタ１１４の閾値電圧Ｖｔｈに依存しない電流となっていることが解る。
【０１９４】
以上、上述したように、発光画素行を駆動ブロック化することにより、駆動ブロック内では、駆動トランジスタ１１４の閾値電圧Ｖｔｈ補償が同時に実行される。これにより、当該駆動電流のソース以降の電流経路の制御を駆動ブロック内で同期できる。よって、第１制御線１３２を駆動ブロック内で共通化できる。
【０１９５】
また、走査線１３３（ｋ、１）〜１３３（ｋ、ｍ）においては、走査／制御線駆動回路１４とは個別に接続されているが、閾値電圧補償期間においては、駆動パルスのタイミングが同一である。よって、走査／制御線駆動回路１４は、出力するパルス信号の高周波化を抑制することができるので、駆動回路の出力負荷を低減できる。
【０１９６】
さらに、セレクタ回路１６において、制御線１４４へ与える制御信号の電圧レベルと、制御線１４３へ与える制御信号の電圧レベルとを排他的に変化させることにより、スイッチングトランジスタ１６１及び１６４のオンオフとスイッチングトランジスタ１６２及び１６３のオンオフとを排他的に行うことにより、信号電圧及び固定電圧は、第１信号線１５１及び第２信号線１５２へ排他的に供給される。これにより、１発光画素列に対して配置された２本の信号線に対し、信号線駆動回路１５の出力線を１本とできるため、信号線駆動回路１５を小型化することができ、データドライバ１５３の実装数及び出力線の減少に伴う駆動回路実装のためのコスト低減及びパネル実装歩留まりの向上が図られる。
【０１９７】
本実施の形態においても、実施の形態１と同様の観点から、特許文献１に記載された、２本の信号線を用いた従来の表示装置と比較して、発光デューティをより長く確保することができるという利点がある。
【０１９８】
よって、発光輝度が十分確保され、かつ、駆動回路の出力負荷が低減された長寿命の表示装置を実現することが可能となる。
【０１９９】
また、２本の信号線を用いた従来の表示装置と、本発明のようにブロック駆動を組み合わせた表示装置とを同じ発光デューティに設定した場合、本発明の表示装置の方が、閾値検出期間を長く確保することが解る。
【０２００】
なお、時刻ｔ２８〜時刻ｔ３５における（ｋ＋１）番目の駆動ブロックの動作は、上述したｋ番目の駆動ブロックの動作と同様のため説明を省略する。
【０２０１】
以上の動作が、表示パネル１０内の（ｋ＋２）番目の駆動ブロック以降においても順次実行される。
【０２０２】
図１４は、本発明の実施の形態２に係る駆動方法により発光した駆動ブロックの状態遷移図である。同図には、ある発光画素列における、駆動ブロックごとの発光期間及び非発光期間が表されている。縦方向は複数の駆動ブロックを、また、横軸は経過時間を示す。ここで、非発光期間とは、上述した閾値電圧補正期間を含む。
【０２０３】
本発明の実施の形態２に係る表示装置の制御方法によれば、発光期間は、同一駆動ブロック内でも発光画素行ごとに順次設定される。よって、駆動ブロック内においても、行走査方向に対して発光期間が連続的に現れる。
【０２０４】
以上、実施の形態２においても、スイッチングトランジスタ１１６及び静電保持容量１１８が配置された発光画素回路、信号線駆動回路１５と信号線群１２との間に配置されたセレクタ回路、駆動ブロック化された各発光画素への制御線、走査線及び信号線の配置、及び上記制御方法により、駆動トランジスタ１１４の閾値電圧補正期間及びそのタイミングを同一駆動ブロック内で一致させることが可能となる。さらに、セレクタ回路により、信号線駆動回路１５からの出力本数を低減できる。よって、電流パスを制御する信号を出力する走査／制御線駆動回路１４や信号電圧を制御する信号線駆動回路１５の負荷が低減するとともに駆動回路のコスト低減、ならびにパネル実装歩留まりの向上が図られる。また、さらに、上記駆動ブロック化及び発光画素列ごとに配置された２本の信号線により、駆動トランジスタ１１４の閾値電圧補正期間を、全ての発光画素を書き換える時間である１フレーム期間Ｔｆのなかで大きくとることができる。これは、ｋ番目の駆動ブロックにおいて輝度信号がサンプリングされている期間に、（ｋ＋１）番目の駆動ブロックにおいて閾値電圧補正期間が設けられることによるものである。よって、閾値電圧補正期間は、発光画素行ごとに分割されるのではなく、駆動ブロックごと分割される。よって、表示領域が大面積化されるほど、発光デューティを減少させることなく、１フレーム期間に対する相対的な閾値電圧補正期間を長く設定することが可能となる。これにより、高精度に補正された信号電圧に基づいた駆動電流が発光素子に流れ、画像表示品質が向上する。
【０２０５】
例えば、表示パネル１０をＮ個の駆動ブロックに分割した場合、各発光画素に与えられる閾値補正期間は、最大Ｔｆ／Ｎとなる。
【０２０６】
（実施の形態３）
以下、本発明の実施の形態について、図面を参照しながら説明する。
【０２０７】
本実施の形態に係る表示装置の電気的な構成は、発光画素の回路構成を除き、図１に記載された構成と同様である。つまり、本実施の形態に係る表示装置は、表示パネル１０と、制御回路２０とを備える。表示パネル１０は、後述する複数の発光画素２１Ａ及び２１Ｂと、信号線群１２と制御線群１３と走査／制御線駆動回路１４と、信号線駆動回路１５と、セレクタ回路１６とを備える。
【０２０８】
以下、実施の形態１及び２と重複する構成については、説明を省略し、発光画素２１Ａ及び２１Ｂに関連する構成のみ説明を行う。
【０２０９】
発光画素２１Ａ及び２１Ｂは、表示パネル１０上に、マトリクス状に配置されている。ここで、発光画素２１Ａ及び２１Ｂは、複数の発光画素行を一駆動ブロックとする２以上の駆動ブロックを構成している。発光画素２１Ａは、奇数番目の駆動ブロックを構成し、また、発光画素２１Ｂは偶数番目の駆動ブロックを構成する。
【０２１０】
図１５Ａは、本発明の実施の形態３に係る表示装置における奇数駆動ブロックの発光画素の具体的な回路構成図であり、図１５Ｂは、本発明の実施の形態３に係る表示装置における偶数駆動ブロックの発光画素の具体的な回路構成図である。図１５Ａ及び図１５Ｂに記載された画素回路は、実施の形態１における図２Ａ及び図２Ｂに記載された画素回路と比較して、スイッチングトランジスタ１１６の代わりに、スイッチングトランジスタ２１６が付加されている点が異なる。同様に、電流制御部２００は、実施の形態１における電流制御部１００とは、スイッチングトランジスタ１１６の代わりに、スイッチングトランジスタ２１６が付加されている点で構成が異なる。以下、図２Ａ及び図２Ｂに記載された表示装置の構成と重複する点は説明を省略する。
【０２１１】
図１５Ａ及び図１５Ｂにおいて、有機ＥＬ素子２１３は、例えば、カソードが負電源線である電源線１１２に接続されアノードが駆動トランジスタ２１４のソースに接続された発光素子であり、駆動トランジスタ２１４の駆動電流が流れることにより発光する。
【０２１２】
スイッチングトランジスタ２１６は、ゲートが第２制御線２３１に接続され、ソース及びドレインの一方が静電保持容量２１７の他方の端子に接続され、ソース及びドレインの他方が駆動トランジスタ２１４のソースに接続された第４スイッチングトランジスタである。スイッチングトランジスタ２１６は、信号線からの信号電圧書き込み期間においてはオフ状態となることにより、静電保持容量２１７に正確な信号電圧に対応した電圧を保持させる機能を有する。一方、閾値電圧検出期間及び発光期間においてはオン状態となることにより、駆動トランジスタ２１４のソースを第３容量素子である静電保持容量２１７及び第４容量素子である静電保持容量２１８に接続し、正確に静電保持容量２１７に閾値電圧と信号電圧に対応した電荷を保持させ、駆動トランジスタ２１４が静電保持容量２１７に保持された電圧を反映した駆動電流を発光素子に供給させる機能を有する。
【０２１３】
第２制御線２３１は、走査／制御線駆動回路１４に接続され、発光画素２１Ａ及び２１Ｂを含む画素行に属する各発光画素に接続されている。これにより、第２制御線２３１は、駆動トランジスタ２１４のソースと静電保持容量２１７及び静電保持容量２１８間のノードとを導通または非導通とする状態を発生する機能を有する。
【０２１４】
第１制御線２３２は、走査／制御線駆動回路１４に接続され、発光画素２１Ａ及び２１Ｂを含む画素行に属する各発光画素に接続されている。これにより、第１制御線２３２は、電圧レベルを切り換えることにより、駆動トランジスタ２１４の閾値電圧を検出する環境を整える機能を有する。
【０２１５】
次に、第２制御線２３１、第１制御線２３２、走査線２３３、第１信号線２５１及び第２信号線２５２の発光画素間における接続関係について説明する。
【０２１６】
図１６は、本発明の実施の形態３に係る表示装置の有する表示パネルの一部を示す回路構成図である。同図には、２つの隣接する駆動ブロック及び各制御線、各走査線及び各信号線が記載されている。図面及び以下の説明では、各制御線、各走査線及び各信号線を“符号（ブロック番号、当該ブロックにおける行番号）”または“符号（ブロック番号）”で表している。
【０２１７】
前述したように、駆動ブロックとは、複数の発光画素行で構成され、表示パネル１０の中には２以上の駆動ブロックが存在する。例えば、図１６に記載された各駆動ブロックは、ｍ行の発光画素行で構成されている。
【０２１８】
図１６の上段に記載されたｋ番目の駆動ブロックでは、第２制御線２３１（ｋ、１）〜２３１（ｋ、ｍ）が当該駆動ブロック内の発光画素行ごとに配置されており、各発光画素２１Ａの有するスイッチングトランジスタ２１６のゲートに個別に接続されている。また、第１制御線２３２（ｋ）が当該駆動ブロック内の全ての発光画素２１Ａの有する静電保持容量２１８に共通して接続されている。一方、走査線２３３（ｋ、１）〜走査線２３３（ｋ、ｍ）は、それぞれ、発光画素行ごとに個別に接続されている。
【０２１９】
また、図１６の下段に記載された（ｋ＋１）番目の駆動ブロックでも、ｋ番目の駆動ブロックと同様の接続がなされている。ただし、ｋ番目の駆動ブロックに接続された第１制御線２３２（ｋ）と（ｋ＋１）番目の駆動ブロックに接続された第１制御線２３２（ｋ＋１）とは、異なる制御線であり、走査／制御線駆動回路１４から個別の制御信号が出力される。
【０２２０】
また、ｋ番目の駆動ブロックでは、第１信号線２５１が当該駆動ブロック内の全ての発光画素２１Ａの有するスイッチングトランジスタ２１５のソース及びドレインの他方に接続されている。一方、（ｋ＋１）番目の駆動ブロックでは、第２信号線２５２が当該駆動ブロック内の全ての発光画素２１Ｂの有するスイッチングトランジスタ２１５のソース及びドレインの他方に接続されている。
【０２２１】
上述したように、駆動ブロック化を行うことにより、Ｖｔｈ検出回路を制御する第１制御線２３２の本数が削減される。よって、これらの制御線に駆動信号を出力する走査／制御線駆動回路１４の回路規模が低減する。またＶｔｈの検出時間を長く確保することができ、Ｖｔｈの検出精度が高くなり、結果表示品位が向上する。
【０２２２】
次に、本実施の形態に係る表示装置の制御方法について図１７を用いて説明する。なお、ここでは、図１５Ａ及び図１５Ｂに記載された具体的回路構成を有する表示装置についての制御方法を詳細に説明する。
【０２２３】
図１７は、本発明の実施の形態３に係る表示装置の駆動方法の動作タイミングチャートである。同図において、横軸は時間を表している。また縦方向には、上から順に、ｋ番目の駆動ブロックの走査線２３３（ｋ、１）、２３３（ｋ、２）及び２３３（ｋ、ｍ）、第２制御線２３１（ｋ、１）、２３１（ｋ、２）及び２３１（ｋ、ｍ）、第１制御線２３２（ｋ）及び第１信号線２５１に発生する電圧の波形図が示されている。また、これらに続き、（ｋ＋１）番目の駆動ブロックの走査線２３３（ｋ＋１、１）、２３３（ｋ＋１、２）及び２３３（ｋ＋１、ｍ）、第２制御線２３１（ｋ＋１、１）、２３１（ｋ＋１、２）及び２３１（ｋ＋１、ｍ）、第１制御線２３２（ｋ＋１）及び第２信号線２５２に発生する電圧の波形図が示されている。
【０２２４】
また、図１８は、本発明の実施の形態３に係る表示装置の有する発光画素の状態遷移図である。また、図１９は、本発明の実施の形態３に係る表示装置の動作フローチャートである。
【０２２５】
まず、時刻ｔ４０において、走査線２３３（ｋ、１）の電圧レベルをＨＩＧＨに変化させ、第１信号線２５１から固定電圧を、駆動トランジスタ２１４のゲートに印加する（図１９のＳ３１）。また、この時、信号線駆動回路１５は、第１信号線２５１の電圧を信号電圧から固定電圧に変化させる。
【０２２６】
ここで、セレクタ回路１６を用いて、第１信号線２５１の電圧を信号電圧から固定電圧に変化させる方法について説明する。
【０２２７】
図２０は、本発明の実施の形態３に係るセレクタ回路を駆動するための動作タイミングチャートである。同図において、横軸は時間を表している。また縦方向には、上から順に、第１駆動ブロックの走査線２３３（１、１）及び２３３（１、ｍ）、第２駆動ブロックの走査線２３３（２、１）及び２３３（２、ｍ）、第３駆動ブロックの走査線２３３（３、１）及び２３３（３、ｍ）、第４駆動ブロックの走査線２３３（４、１）及び２３３（４、ｍ）、第１信号線２５１、第２信号線２５２、制御線１４３、制御線１４４及び信号線駆動回路１５に発生する電圧の波形図が示されている。また、図９Ａは、図２０に記載された期間Ｔ１０〜Ｔ１１及び期間Ｔ１２〜Ｔ１３におけるセレクタ回路の状態遷移図に対応し、図９Ｂは、図２０に記載された期間Ｔ１１〜Ｔ１２及び期間Ｔ１３〜Ｔ１４におけるセレクタ回路の状態遷移図である。なお、図２０では、セレクタ回路動作を解り易くするため、駆動ブロック数を４としている。
【０２２８】
図２０において、期間Ｔ１０〜期間Ｔ１１は第１駆動ブロックの閾値電圧検出期間、期間Ｔ１１〜期間Ｔ１２は第２駆動ブロックの閾値電圧検出期間、期間Ｔ１２〜期間Ｔ１３は第３駆動ブロックの閾値電圧検出期間、期間Ｔ１３〜期間Ｔ１４は第４駆動ブロックの閾値電圧検出期間に相当する。よって、期間Ｔ１０〜期間Ｔ１１では、走査線２３３（１、１）〜２３３（１、ｍ）の電圧レベルがＨＩＧＨとなっており、期間Ｔ１１〜期間Ｔ１２では、走査線２３３（２、１）〜２３３（２、ｍ）の電圧レベルがＨＩＧＨとなっており、期間Ｔ１２〜期間Ｔ１３では、走査線２３３（３、１）〜２３３（３、ｍ）の電圧レベルがＨＩＧＨとなっており、期間Ｔ１３〜期間Ｔ１４では、走査線２３３（４、１）〜２３３（４、ｍ）の電圧レベルがＨＩＧＨとなっている。これに対応して、期間Ｔ１０〜期間Ｔ１１及び期間Ｔ１２〜期間Ｔ１３では、制御線１４４がＬＯＷレベルかつ制御線１４３がＨＩＧＨレベルとなることで第１信号線２５１の電圧が固定電圧となっている。一方、期間Ｔ１１〜期間Ｔ１２及び期間Ｔ１３〜期間Ｔ１４では、制御線１４４がＨＩＧＨレベルかつ制御線１４３がＬＯＷレベルとなることで第２信号線２５２の電圧が固定電圧となっている。なお、信号線駆動回路１５からは常に信号電圧が出力されている。
【０２２９】
図２０における時刻Ｔ１２及びＴ１４は、図１７における時刻ｔ４０に相当し、時刻Ｔ１２〜Ｔ１３の期間において、走査線２３３（１、１）〜２３３（１、ｍ）の電圧レベルを行順次にＬＯＷ→ＨＩＧＨ→ＬＯＷに変化させ、時刻Ｔ１４以降において、走査線２３３（３、１）〜２３３（３、ｍ）の電圧レベルを行順次にＬＯＷ→ＨＩＧＨ→ＬＯＷに変化させる。また、時刻Ｔ１２及びＴ１４において、走査／制御線駆動回路１４は、制御線１４４の電圧レベルをＨＩＧＨからＬＯＷに変化させ、制御線１４３の電圧レベルをＬＯＷからＨＩＧＨに変化させる。この時刻Ｔ１２及びＴ１４における電圧レベルの変化により、セレクタ回路１６の一発光画素列における回路状態は図９Ｂのようになる。つまり、ゲートが制御線１４３に接続されたスイッチングトランジスタ１６２及び１６３がオン状態となり、ゲートが制御線１４４に接続されたスイッチングトランジスタ１６１及び１６４がオフ状態となる。これにより、時刻Ｔ１２及びＴ１４において、それぞれ、第１駆動ブロック及び第３駆動ブロックの発光画素２１Ａが接続された第１信号線２５１の電圧は固定電圧に変化し、第２信号線２５２の電圧は信号電圧に変化する。
【０２３０】
これにより、図１７に記載された時刻ｔ４０において、固定電圧が、ｋ番目の駆動ブロックの有する全ての駆動トランジスタ２１４のゲートに印加される。このとき、図１８（ａ）に示すように、固定電圧は、例えば０Ｖである。また、時刻ｔ４０の直前においては発光モードであったので、この定常状態における駆動トランジスタ２１４のソース電位Ｖｓを、ＶＥＬとする。これと、第２制御線２３１（ｋ、１）の電圧レベルがＨＩＧＨ状態によりスイッチングトランジスタ２１６が導通状態であることから、Ｖｇｓ＝−ＶＥＬ＜ＶＴ（ＴＦＴ）となり、駆動トランジスタ２１４はオフ状態へと変化する。
【０２３１】
その後、時刻ｔ４１において、走査線２３３（ｋ、１）の電圧レベルをＬＯＷに変化させ、以下、ｋブロック内において第１信号線２５１を固定電圧に維持したまま、走査線２３３の電圧レベルを、画素行順にＬＯＷ→ＨＩＧＨ→ＬＯＷとすることにより、有機ＥＬ素子２１３は画素行順に消光する。つまり、ｋブロックにおける発光画素の発光が画素行順に終了する。同時に、ｋブロックにおける非発光期間が画素行順に開始する。
【０２３２】
次に、時刻ｔ４２において、走査／制御線駆動回路１４は、第１制御線２３２（ｋ）の電圧レベルをＬＯＷからＨＩＧＨに変化させ、一定期間経った後、ＬＯＷに変化させる（図１９のＳ３２）。また、このとき、第２制御線２３１（ｋ、１）〜２３１（ｋ、ｍ）の電圧レベルはＨＩＧＨに維持されている。ここで、スイッチングトランジスタ２１５がオフ状態で、第１制御線２３２（ｋ）をΔＶｒｅｓｅｔ（＞０）だけ変化させ、静電保持容量２１８の静電容量値をＣ２、有機ＥＬ素子２１３の静電容量及び閾値電圧を、それぞれＣＥＬ及びＶＴ（ＥＬ）とする。このとき、第１制御線２３２（ｋ）の電圧レベルをＨＩＧＨにした瞬間、駆動トランジスタ２１４のソース電極Ｓ（Ｍ）の電位Ｖｓは、Ｃ２とＣＥＬとで分配される電圧と、ＶＴ（ＥＬ）との和となり、
【０２３３】
【数１１】
2012032565.tif 000013
となる。その後、図１８（ｂ）に示すように、有機ＥＬ素子２１３の自己放電がなされることにより、上記Ｖｓは、定常状態では、ＶＴ（ＥＬ）に漸近していく。
【０２３４】
次に、時刻ｔ４３において、走査／制御線駆動回路１４は、走査線２３３（ｋ、１）〜２３３（ｋ、ｍ）の電圧レベルを一斉にＨＩＧＨに変化させる。また、この時、信号線駆動回路１５は、第１信号線２５１の電圧を信号電圧から固定電圧に変化させる。なお、セレクタ回路１６を用いて、第１信号線２５１の電圧を信号電圧から固定電圧に変化させる方法は、時刻ｔ４０において第１信号線２５１の電圧を信号電圧から固定電圧に変化させる方法と同様であるので、ここではその説明を省略する。
【０２３５】
続いて、走査／制御線駆動回路１４が第１制御線２３２（ｋ）の電圧レベルをＨＩＧＨからＬＯＷに変化させることにより、Ｖｓがバイアスされ、
【０２３６】
【数１２】
2012032565.tif 000014
となる。この第１制御線２３２（ｋ）のＨＩＧＨからＬＯＷへの変化により、駆動トランジスタ２１４のゲートソース間電圧であるＶｇｓには、駆動トランジスタ２１４の閾値電圧Ｖｔｈよりも大きな電圧を発生させている。つまり、静電保持容量２１７に発生する電位差を駆動トランジスタ２１４の閾値電圧が検出できる電位差とし、閾値電圧の検出過程への準備が完了する。これと同時に、図１８（ｃ）に示すように、駆動トランジスタ２１４はオン状態となり、ドレイン−ソース間電流を、静電保持容量２１７、２１８及び有機ＥＬ素子２１３へと流す。このとき、式１２で規定されたＶｓは、−Ｖｔｈに漸近していく。これにより、静電保持容量２１７、２１８には駆動トランジスタ２１４のＶｔｈが記録される。なお、このとき、有機ＥＬ素子２１３へ流れる電流は、アノード電極電位が−Ｖｔｈよりも低電位であり、カソード電位が０Ｖであるので有機ＥＬ素子２１３は逆バイアス状態となっているため、有機ＥＬ素子２１３を発光させるための電流とはならない。
【０２３７】
時刻ｔ４３〜時刻ｔ４４の期間、発光画素２１Ａの回路は定常状態となり、静電保持容量２１７及び２１８には駆動トランジスタ２１４の閾値電圧Ｖｔｈに相当する電圧が保持される。なお、閾値電圧Ｖｔｈに相当する電圧を静電保持容量２１７及び２１８に保持させるために流れる電流は微少であるため、定常状態となるまでには時間を要する。よって、この期間が長いほど、静電保持容量２１７に保持される電圧は安定し、この期間を十分長く確保することにより、高精度な電圧補償が実現される。
【０２３８】
次に、時刻ｔ４４において、走査／制御線駆動回路１４は、走査線２３３（ｋ、１）〜２３３（ｋ、ｍ）の電圧レベルを、一斉にＨＩＧＨからＬＯＷに変化させる（図１９のＳ３３）。これにより、静電保持容量２１７、２１８への駆動トランジスタ２１４のＶｔｈの記録が完了する。このとき、ｋ番目の駆動ブロックの全ての発光画素２１Ａの有する静電保持容量２１７及び２１８には駆動トランジスタ２１４の閾値電圧Ｖｔｈに相当する電圧が同時に保持される。なお、時刻ｔ４４の直前において、第２制御線２３１（ｋ、１）〜２３１（ｋ、ｍ）も一斉にＬＯＷレベルとされており、スイッチングトランジスタ２１６はオフ状態となっている。これによりＶｔｈ検出後の駆動トランジスタ２１４のリーク電流が静電保持容量２１７、２１８へ流れ込み、静電保持容量２１７、２１８に記録された駆動トランジスタ２１４の閾値電圧Ｖｔｈの値がずれることを抑制している。
【０２３９】
以上、時刻ｔ４３〜時刻ｔ４４の期間では、駆動トランジスタ２１４の閾値電圧Ｖｔｈの補正が、ｋ番目の駆動ブロック内において同時に実行されている。
【０２４０】
次に、時刻ｔ４４以降の期間において、走査／制御線駆動回路１４は、走査線２３３（ｋ、１）〜２３３（ｋ、ｍ）の電圧レベルを、順次、ＬＯＷ→ＨＩＧＨ→ＬＯＷに変化させ、スイッチングトランジスタ２１５を、発光画素行ごとに順次オン状態とする。また、この時、信号線駆動回路１５は、第１信号線２５１の信号電圧を各画素の輝度値に応じた信号電圧Ｖｄａｔａに変化させる（図１９のＳ３４）。
【０２４１】
ここで、セレクタ回路１６を用いて、第１信号線２５１の電圧を固定電圧から信号電圧に変化させる方法について説明する。
【０２４２】
図２０における時刻Ｔ１１及びＴ１３は、図１７における時刻ｔ４４に相当し、時刻Ｔ１１〜Ｔ１２の期間において、走査線２３３（１、１）〜２３３（１、ｍ）の電圧レベルを行順次にＬＯＷ→ＨＩＧＨ→ＬＯＷに変化させ、時刻Ｔ１３〜Ｔ１４の期間において、走査線２３３（３、１）〜２３３（３、ｍ）の電圧レベルを行順次にＬＯＷ→ＨＩＧＨ→ＬＯＷに変化させる。また、時刻Ｔ１１及びＴ１３において、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ１１及びＴ１３における電圧レベルの変化により、セレクタ回路１６の一発光画素列における回路状態は図９Ａのようになる。つまり、ゲートが制御線１４３に接続されたスイッチングトランジスタ１６２及び１６３がオフ状態となり、ゲートが制御線１４４に接続されたスイッチングトランジスタ１６１及び１６４がオン状態となる。これにより、時刻Ｔ１１及びＴ１３において、それぞれ、第１駆動ブロック及び第３駆動ブロックの発光画素２１Ａが接続された第１信号線２５１の電圧は信号電圧に変化し、第２信号線２５２の電圧は固定電圧に変化する。
【０２４３】
これにより、図１７に記載された時刻ｔ４４において、図１８（ｄ）に示すように、駆動トランジスタ２１４のゲートに信号電圧Ｖｄａｔａが印加される。このとき、静電保持容量２１７及び２１８の接点Ｍにおける電位ＶＭは、ＶｄａｔａがＣ１及びＣ２で分配された電圧と、時刻ｔ４４におけるＶｓ電位である−Ｖｔｈとの和となり、
【０２４４】
【数１３】
2012032565.tif 000015
となる。
【０２４５】
つまり、静電保持容量２１７に保持される電位差ＶｇＭは、Ｖｄａｔａと上記式１３で規定された電位との差分であり、
【０２４６】
【数１４】
2012032565.tif 000016
となる。つまり、静電保持容量２１７には、この信号電圧Ｖｄａｔａに応じた電圧と、先に保持された駆動トランジスタ２１４の閾値電圧Ｖｔｈに相当する電圧とが加算された加算電圧が書き込まれる。
【０２４７】
また、時刻ｔ４６以降の期間において、走査／制御線駆動回路１４は、第２制御線２３１（ｋ、１）〜２３１（ｋ、ｍ）の電圧レベルを、順次、ＬＯＷ→ＨＩＧＨに変化させ、スイッチングトランジスタ２１６を、発光画素行ごとに順次オン状態とする（図１９のＳ３５）。これにより、駆動トランジスタ２１４のゲート−ソース間に式１３で示された電圧が印加され、図１８（ｅ）に示されたドレイン電流が流れることにより、閾値補正された信号電圧に対応した発光が、画素行ごとになされる。
【０２４８】
以上、時刻ｔ４６以降の期間では、補正された信号電圧の書き込み及び発光、ｋ番目の駆動ブロック内で発光画素行ごとに、順次実行されている。
【０２４９】
ここで、駆動トランジスタ２１４を流れるドレイン電流ｉｄは、式１４で規定されたＶｇＭから、駆動トランジスタ２１４の閾値電圧Ｖｔｈを減じた電圧値を用いて、
【０２５０】
【数１５】
2012032565.tif 000017
と表される。ここで、βは移動度に関する特性パラメータである。式１５から、有機ＥＬ素子２１３を発光させるためのドレイン電流ｉｄは、駆動トランジスタ２１４の閾値電圧Ｖｔｈに依存せず、さらに有機ＥＬ素子２１３の容量成分に関係しない電流となっていることが解る。
【０２５１】
以上、上述したように、発光画素行を駆動ブロック化することにより、駆動ブロック内では、駆動トランジスタ２１４の閾値電圧Ｖｔｈ補償が同時に実行される。これにより、当該駆動電流のソース以降の電流経路の制御を駆動ブロック内で同期できる。よって、第１制御線２３２を駆動ブロック内で共通化できる。
【０２５２】
また、走査線２３３（ｋ、１）〜２３３（ｋ、ｍ）においては、走査／制御線駆動回路１４とは個別に接続されているが、閾値電圧補償期間においては、駆動パルスのタイミングが同一である。よって、走査／制御線駆動回路１４は、出力するパルス信号の高周波化を抑制することができるので、駆動回路の出力負荷を低減できる。
【０２５３】
さらに、セレクタ回路１６において、制御線１４４へ与える制御信号の電圧レベルと、制御線１４３へ与える制御信号の電圧レベルとを排他的に変化させることにより、スイッチングトランジスタ１６１及び１６４のオンオフとスイッチングトランジスタ１６２及び１６３のオンオフとを排他的に行うことにより、信号電圧及び固定電圧は、第１信号線２５１及び第２信号線２５２へ排他的に供給される。これにより、１発光画素列に対して配置された２本の信号線に対し、信号線駆動回路１５の出力線を１本とできるため、信号線駆動回路１５を小型化することができ、データドライバ１５３の実装数及び出力線の減少に伴う駆動回路実装のためのコスト低減及びパネル実装歩留まりの向上が図られる。
【０２５４】
本実施の形態においても、実施の形態１と同様の観点から、特許文献１に記載された、２本の信号線を用いた従来の表示装置と比較して、発光デューティをより長く確保することができるという利点がある。
【０２５５】
よって、発光輝度が十分確保され、かつ、駆動回路の出力負荷が低減された長寿命の表示装置を実現することが可能となる。
【０２５６】
また、２本の信号線を用いた従来の表示装置と、本発明のようにブロック駆動を組み合わせた表示装置とを同じ発光デューティに設定した場合、本発明の表示装置の方が、閾値検出期間を長く確保することが解る。
【０２５７】
なお、時刻ｔ５０〜時刻ｔ５６における（ｋ＋１）番目の駆動ブロックの動作は、上述したｋ番目の駆動ブロックの動作と同様のため説明を省略する。
【０２５８】
以上の動作が、表示パネル１０内の（ｋ＋２）番目の駆動ブロック以降においても順次実行される。
【０２５９】
なお、本実施の形態に係る制御方法により発光した駆動ブロックの状態遷移図は、図１４に示された状態遷移図と同様のため、説明を省略する。
【０２６０】
以上、実施の形態３においても、スイッチングトランジスタ２１６及び静電保持容量２１８が配置された発光画素回路、信号線駆動回路１５と信号線群１２との間に配置されたセレクタ回路、駆動ブロック化された各発光画素への制御線、走査線及び信号線の配置、及び上記制御方法により、駆動トランジスタ２１４の閾値電圧補正期間及びそのタイミングを同一駆動ブロック内で一致させることが可能となる。さらに、セレクタ回路により、信号線駆動回路１５からの出力本数を低減できる。よって、電流パスを制御する信号を出力する走査／制御線駆動回路１４や信号電圧を制御する信号線駆動回路１５の負荷が低減するとともに駆動回路のコスト低減、ならびにパネル実装歩留まりの向上が図られる。また、さらに、上記駆動ブロック化及び発光画素列ごとに配置された２本の信号線により、駆動トランジスタ２１４の閾値電圧補正期間を、全ての発光画素を書き換える時間である１フレーム期間Ｔｆのなかで大きくとることができる。これは、ｋ番目の駆動ブロックにおいて輝度信号がサンプリングされている期間に、（ｋ＋１）番目の駆動ブロックにおいて閾値電圧補正期間が設けられることによるものである。よって、閾値電圧補正期間は、発光画素行ごとに分割されるのではなく、駆動ブロックごとに分割される。よって、表示領域が大面積化されるほど、発光デューティを減少させることなく、１フレーム期間に対する相対的な閾値電圧補正期間を長く設定することが可能となる。これにより、高精度に補正された信号電圧に基づいた駆動電流が発光素子に流れ、画像表示品質が向上する。
【０２６１】
例えば、表示パネル１０をＮ個の駆動ブロックに分割した場合、各発光画素に与えられる閾値補正期間は、最大Ｔｆ／Ｎとなる。
【０２６２】
（実施の形態４）
以下、本発明の実施の形態について、図面を参照しながら説明する。
【０２６３】
本実施の形態に係る表示装置の電気的な構成は、発光画素の回路構成を除き、図１に記載された構成と同様である。つまり、本実施の形態に係る表示装置は、表示パネル１０と、制御回路２０とを備える。表示パネル１０は、後述する複数の発光画素３１Ａ及び３１Ｂと、信号線群１２と制御線群１３と走査／制御線駆動回路１４と、信号線駆動回路１５と、セレクタ回路１６とを備える。
【０２６４】
制御線群１３は、発光画素ごとに配置された走査線、制御線及び電源線からなる。
【０２６５】
走査／制御線駆動回路１４は、制御線群１３の各走査線へ走査信号を、制御線群１３の各制御線へ制御信号を、また、各電源線へ可変電圧を出力することにより、発光画素の有する回路素子を駆動する。
【０２６６】
発光画素３１Ａ及び３１Ｂは、表示パネル１０上に、マトリクス状に配置されている。ここで、発光画素３１Ａ及び３１Ｂは、複数の発光画素行を一駆動ブロックとする２以上の駆動ブロックを構成している。発光画素３１Ａは、奇数番目の駆動ブロックを構成し、また、発光画素３１Ｂは偶数番目の駆動ブロックを構成する。
【０２６７】
以下、実施の形態１〜３と重複する構成については、説明を省略し、発光画素３１Ａ及び３１Ｂに関連する構成のみ説明を行う。
【０２６８】
図２１Ａは、本発明の実施の形態４に係る表示装置における奇数駆動ブロックの発光画素の具体的な回路構成図であり、図２１Ｂは、本発明の実施の形態４に係る表示装置における偶数駆動ブロックの発光画素の具体的な回路構成図である。図２１Ａ及び図２１Ｂに記載された発光画素３１Ａ及び３１Ｂは、いずれも、有機ＥＬ素子３１３と、駆動トランジスタ３１４と、スイッチングトランジスタ３１５と、静電保持容量３１６及び３１７と、走査線３３３と、第１信号線３５１と、第２信号線３５２とを備える。ここで、駆動トランジスタ３１４と、静電保持容量３１６及び３１７とは、電流制御部３００を構成している。電流制御部３００は、第１信号線３５１又は第２信号線３５２から供給される信号電圧を駆動トランジスタ３１４のソースドレイン電流である信号電流に変換する機能を有する。図２１Ａ及び図２１Ｂに記載された画素回路は、図２Ａ及び図２Ｂに記載された画素回路と比較して、スイッチングトランジスタ１１６が配置されていない点が異なる。以下、図２Ａ及び図２Ｂに記載された表示装置の構成と重複する点は説明を省略する。
【０２６９】
有機ＥＬ素子３１３は、例えば、カソードが第２電源線である電源線３１２に接続されアノードが駆動トランジスタ３１４のソースに接続された発光素子であり、駆動トランジスタ３１４の駆動電流が流れることにより発光する。
【０２７０】
駆動トランジスタ３１４は、ドレインが第１電源線である電源線３１０に接続され、ゲートが静電保持容量３１６の第１電極に接続されている。駆動トランジスタ３１４は、ゲートに、信号電圧に対応した電圧が印加されることにより、当該電圧に対応したドレイン電流に変換する。そして、このドレイン電流は、駆動電流として有機ＥＬ素子３１３に供給される。駆動トランジスタ３１４は、例えば、ｎ型の薄膜トランジスタ（ｎ型ＴＦＴ）で構成される。
【０２７１】
スイッチングトランジスタ３１５は、ゲートが走査線３３３に接続され、ソース及びドレインの一方が駆動トランジスタ３１４のゲートに接続されている。また、そのソース及びドレインの他方は、奇数駆動ブロックの発光画素３１Ａにおいては、第１信号線３５１に接続され、第１スイッチングトランジスタとして機能し、偶数駆動ブロックの発光画素３１Ｂにおいては、第２信号線３５２に接続され、第２スイッチングトランジスタとして機能する。
【０２７２】
静電保持容量３１６は、一方の端子が駆動トランジスタ３１４のゲートに接続され、他方の端子が駆動トランジスタ３１４のソースに接続された第６容量素子である。静電保持容量３１６は、第１信号線３５１または第２信号線３５２から供給された信号電圧に対応した電荷を保持し、例えば、スイッチングトランジスタ１１５がオフ状態となった後に、駆動トランジスタ３１４から有機ＥＬ素子３１３へ供給する駆動電流を制御する機能を有する。
【０２７３】
また、静電保持容量３１６は、駆動トランジスタ３１４のゲート及びスイッチングトランジスタ１１５に接続され、駆動トランジスタ３１４の閾値電圧を検出する機能を有する。
【０２７４】
静電保持容量３１７は、静電保持容量３１６の他方の端子と参照電圧源（図２１Ａ及び図２１Ｂには参照電圧Ｖｒｅｆと記すが電源線３１２であっても良い）との間に接続された保持容量素子である。静電保持容量３１７は、まず、定常状態において駆動トランジスタ３１４のソース電位を記憶し、信号電圧がスイッチングトランジスタ１１５から印加された場合でもそのソース電位の情報は静電保持容量３１６と静電保持容量３１７との間のノードに残る。なおこのタイミングでのソース電位とは駆動トランジスタ３１４の閾値電圧である。その後、上記閾値電圧の保持から発光までのタイミングが発光画素行ごとに異なっても、静電保持容量３１６の他方の端子の電位が確定されるので駆動トランジスタ３１４のゲート電圧が確定される。一方、駆動トランジスタ３１４のソース電位は既に定常状態であるので、静電保持容量３１７は、結果的に駆動トランジスタ３１４のソース電位を保持する機能を有する。
【０２７５】
なお、静電保持容量３１７は、独立した回路素子として付加される必要はなく、有機ＥＬ素子３１３が有する寄生容量であってもよい。
【０２７６】
電源線３１０は、駆動トランジスタ３１４のドレインに第１電圧または第２電圧を供給する。第１電圧は、第１信号線３５１及び第２信号線３５２から供給される固定電圧よりも低い電圧であり、当該電圧が駆動トランジスタ３１４のドレインに印加されることにより、前記駆動トランジスタ３１４のソース電位をリセットすることが可能となる。また、第２電圧は、上記固定電圧よりも高い電圧であり、当該電圧が駆動トランジスタ３１４のドレインに印加されることにより、静電保持容量３１６に、閾値電圧に対応した電圧を保持させ、または信号電圧に対応した駆動電流により有機ＥＬ素子３１３を発光させることが可能となる。制御回路２０は、走査／制御線駆動回路１４及び信号線駆動回路１５とともに、各発光画素の動作を制御する制御部及びセレクタ制御部を構成し、セレクタ回路１６の有するスイッチングトランジスタをオンオフするタイミングを制御する。
【０２７７】
さらに、制御回路２０は、上記第１電圧及び第２電圧の供給タイミングを制御する。
【０２７８】
次に、本実施の形態に係る表示装置の制御方法について図２２を用いて説明する。なお、ここでは、図２１Ａ及び図２１Ｂに記載された具体的回路構成を有する表示装置についての制御方法を詳細に説明する。なお、各駆動ブロックはｍ行の発光画素行から構成されているとする。
【０２７９】
図２２は、本発明の実施の形態４に係る表示装置の駆動方法の動作タイミングチャートである。同図において、横軸は時間を表している。また縦方向には、上から順に、ｋ番目の駆動ブロックの１行目に配置された走査線３３３（ｋ、１）、２行目に配置された走査線３３０（ｋ、２）及びｍ行目に配置された走査線３３３（ｋ、ｍ）、第１信号線３５１、ｋ番目の駆動ブロックの１行目に配置された電源線３１０（ｋ、１）、２行目に配置された電源線３１０（ｋ、２）及びｍ行目に配置された電源線３１０（ｋ、ｍ）に発生する電圧の波形図が示されている。また、これらに続き、（ｋ＋１）番目の駆動ブロックの１行目に配置された走査線３３３（ｋ＋１、１）、２行目に配置された走査線３３３（ｋ＋１、２）及びｍ行目に配置された走査線３３３（ｋ＋１、ｍ）、第２信号線３５２、（ｋ＋１）番目の駆動ブロックの１行目に配置された電源線３１０（ｋ＋１、１）、２行目に配置された電源線３１０（ｋ＋１、２）及びｍ行目に配置された電源線３１０（ｋ＋１、ｍ）に発生する電圧の波形図が示されている。また、図２３は、本発明の実施の形態４に係る表示装置の動作フローチャートである。
【０２８０】
まず、時刻ｔ６１までに、制御回路２０は、電源線３１０（ｋ、１）〜３１０（ｋ、ｍ）の電圧レベルを、固定電圧よりも低い第１電圧であるＬＯＷに順次設定し、駆動トランジスタ３１４のソース電位をリセットする（図２３のＳ５１）。このとき、第１電圧は、例えば、−１０Ｖであり、駆動トランジスタ３１４のソース電位は−１０Ｖにリセットされる。
【０２８１】
次に、時刻ｔ６２において、制御回路２０は、走査線３３３（ｋ、１）〜３３３（ｋ、ｍ）の電圧レベルを同時にＬＯＷからＨＩＧＨに変化させ、スイッチングトランジスタ３１５をオン状態とする（図２３のＳ５２）。また、この時、制御回路２０は、第１信号線３５１の電圧レベルを、信号電圧から固定電圧に変化させてある。
【０２８２】
ここで、第１信号線３５１及び第２信号線３５２の電圧レベルの変化について説明する。
【０２８３】
図８は、本発明の実施の形態４に係るセレクタ回路を駆動するための動作タイミングチャートである。図８における時刻Ｔ０及びＴ２は、図２２における時刻ｔ６２に相当し、時刻Ｔ０においては走査線３３３（１、１）〜１３３（１、ｍ）の電圧レベルを同時にＬＯＷからＨＩＧＨに変化させ、時刻Ｔ２においては走査線３３３（３、１）〜３３３（３、ｍ）の電圧レベルを同時にＬＯＷからＨＩＧＨに変化させる。また、このとき、走査／制御線駆動回路１４は、制御線１４４の電圧レベルをＨＩＧＨからＬＯＷに変化させ、制御線１４３の電圧レベルをＬＯＷからＨＩＧＨに変化させる。この時刻Ｔ０及びＴ２における電圧レベルの変化により、セレクタ回路１６の一発光画素列における回路状態は図９Ｂのようになる。つまり、ゲートが制御線１４３に接続されたスイッチングトランジスタ１６２及び１６３がオン状態となり、ゲートが制御線１４４に接続されたスイッチングトランジスタ１６１及び１６４がオフ状態となる。これにより、時刻Ｔ０及びＴ２において、それぞれ、第１駆動ブロック及び第３駆動ブロックの発光画素３１Ａが接続された第１信号線３５１の電圧は固定電圧に変化し、第２信号線３５２の電圧は信号電圧に変化する。
【０２８４】
これにより、図２２に記載された時刻ｔ６２において、固定電圧がｋ番目の駆動ブロックの有する全ての駆動トランジスタ３１４のゲートに印加される。このとき、固定電圧は、例えば、０Ｖである。
【０２８５】
次に、時刻ｔ６３において、制御回路２０は、電源線３１０（ｋ、１）〜３１０（ｋ、ｍ）の電圧レベルを、第１電圧から固定電圧よりも高い第２電圧に変化させる（図２３のＳ５３）。このとき、第２電圧は、例えば、１０Ｖである。これにより、閾値電圧の検出過程への準備が完了する。
【０２８６】
時刻ｔ６３〜時刻ｔ６４の期間、発光画素３１Ａの回路は定常状態となり、時刻ｔ６４までに静電保持容量３１６には駆動トランジスタ３１４の閾値電圧Ｖｔｈに相当する電圧が保持される。なお、閾値電圧Ｖｔｈに相当する電圧を静電保持容量３１６に保持させるために流れる電流は微少であるため、定常状態となるまでには時間を要する。よって、この期間が長いほど、静電保持容量３１６に保持される電圧は安定し、この期間を十分長く確保することにより、高精度な電圧補償が実現される。
【０２８７】
次に、時刻ｔ６４において、制御回路２０は、走査線３３３（ｋ、１）〜３３３（ｋ、ｍ）の電圧レベルを同時にＨＩＧＨからＬＯＷに変化させ、スイッチングトランジスタ３１５をオフ状態とする（図２３のＳ５４）。これにより、駆動トランジスタ３１４への固定電圧印加が停止される。このとき、ｋ番目の駆動ブロックの全ての発光画素３１Ａの有する静電保持容量３１６には駆動トランジスタ３１４の閾値電圧Ｖｔｈに相当する電圧が同時に保持され、補償されるべき駆動トランジスタ３１４の閾値電圧Ｖｔｈが確定する。
【０２８８】
以上、時刻ｔ６１〜時刻ｔ６４の期間では、駆動トランジスタ３１４の閾値電圧Ｖｔｈの補正が、ｋ番目の駆動ブロック内において同時に実行される。
【０２８９】
次に、時刻ｔ１５において、制御回路２０は、第１信号線３５１の電圧レベルを、固定電圧から信号電圧に変化させる。
【０２９０】
ここで、第１信号線１５１及び第２信号線１５２の電圧レベルの変化について説明する。
【０２９１】
図８における時刻Ｔ１及びＴ３は、図２２における時刻ｔ６４に相当し、時刻Ｔ１においては走査線３３３（１、１）〜１３３（１、ｍ）の電圧レベルを同時にＨＩＧＨからＬＯＷに変化させ、時刻Ｔ３においては走査線３３３（３、１）〜３３３（３、ｍ）の電圧レベルを同時にＨＩＧＨからＬＯＷに変化させる。また、このとき、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ１及びＴ３における電圧レベルの変化により、セレクタ回路１６の一発光画素列における回路状態は図９Ａのようになる。つまり、ゲートが制御線１４３に接続されたスイッチングトランジスタ１６２及び１６３がオフ状態となり、ゲートが制御線１４４に接続されたスイッチングトランジスタ１６１及び１６４がオン状態となる。これにより、時刻Ｔ１及びＴ３において、それぞれ、第１駆動ブロック及び第３駆動ブロックの発光画素３１Ａが接続された第１信号線３５１の電圧は信号電圧に変化し、第２信号線３５２の電圧は固定電圧に変化する。
【０２９２】
これにより、図２２に記載された時刻ｔ６４において、信号電圧がｋ番目の駆動ブロックの有する全ての駆動トランジスタ３１４のゲートに印加される。このとき、信号電圧は、例えば、０Ｖ〜５Ｖである。
【０２９３】
また、時刻ｔ６５〜時刻ｔ６６の期間において、制御回路２０は、走査線３３３（ｋ、１）〜３３３（ｋ、ｍ）の電圧レベルを、順次、ＬＯＷ→ＨＩＧＨ→ＬＯＷに変化させ、スイッチングトランジスタ３１５を、発光画素行ごとに順次オン状態とする（図２３のＳ５５）。これにより、駆動トランジスタ３１４のゲートには、信号電圧が印加される。このとき、静電保持容量３１６には、この信号電圧に応じた電圧と、先に保持された駆動トランジスタ３１４の閾値電圧Ｖｔｈに相当する電圧とが加算された加算電圧が書き込まれる。またこれと同時に、駆動トランジスタ３１４の駆動電流が有機ＥＬ素子３１３に流れ、発光画素行順に有機ＥＬ素子３１３が発光する。
【０２９４】
以上、時刻ｔ６５〜時刻ｔ６６の期間では、高精度に補正された信号電圧の書き込み及び発光が、ｋ番目の駆動ブロック内で発光画素行順に実行されている。
【０２９５】
また、ｔ１６以降において、制御回路２０は、ｋ番目の駆動ブロック内の電源線３１０（ｋ、１）〜３１０（ｋ、ｍ）の電圧レベルを、発光画素行順に第２電圧から第１電圧へ変化させることにより、発光画素行順に消光させる。
【０２９６】
以上、発光画素行を駆動ブロック化することにより、駆動トランジスタ３１４の閾値電圧を検出する期間を駆動ブロック内で一致させることが可能となり、最大で１フレーム期間を駆動ブロック数で分割した期間を閾値電圧検出期間として割り当てることが可能となる。よって、高精度に補正された駆動電流が有機ＥＬ素子３１３に流れ、画像表示品質を向上させることが可能となる。また、制御回路２０は、閾値電圧検出期間において駆動ブロック内で同時制御する、つまり、同一の駆動ブロックに対し同一の制御信号を出力できる。
【０２９７】
さらに、セレクタ回路１６において、制御線１４４へ与える制御信号の電圧レベルと、制御線１４３へ与える制御信号の電圧レベルとを排他的に変化させることにより、スイッチングトランジスタ１６１及び１６４のオンオフとスイッチングトランジスタ１６２及び１６３のオンオフとを排他的に行うことにより、信号電圧及び固定電圧は、第１信号線３５１及び第２信号線３５２へ排他的に供給される。これにより、１発光画素列に対して配置された２本の信号線に対し、信号線駆動回路１５の出力線を１本とできるため、信号線駆動回路１５を小型化することができ、データドライバ１５３の実装数及び出力線の減少に伴う駆動回路実装のためのコスト低減及びパネル実装歩留まりの向上が図られる。
【０２９８】
本実施の形態においても、実施の形態１と同様の観点から、特許文献１に記載された、２本の信号線を用いた従来の表示装置と比較して、発光デューティをより長く確保することができるという利点がある。
【０２９９】
よって、発光輝度が十分確保され、かつ、駆動回路の出力負荷が低減された長寿命の表示装置を実現することが可能となる。
【０３００】
また、２本の信号線を用いた従来の表示装置と、本発明のようにブロック駆動を組み合わせた表示装置とを同じ発光デューティに設定した場合、本発明の表示装置の方が、閾値検出期間を長く確保することが解る。
【０３０１】
なお、時刻ｔ７１〜時刻ｔ７６における（ｋ＋１）番目の駆動ブロックの動作は、上述したｋ番目の駆動ブロックの動作と同様のため説明を省略する。
【０３０２】
以上の動作が、表示パネル１０内の（ｋ＋２）番目の駆動ブロック以降においても順次実行される。
【０３０３】
なお、本実施の形態に係る制御方法により発光した駆動ブロックの状態遷移図は、図１４に示された状態遷移図と同様のため、説明を省略する。
【０３０４】
以上、実施の形態４においても、静電保持容量３１６が配置された発光画素回路、信号線駆動回路１５と信号線群１２との間に配置されたセレクタ回路１６、駆動ブロック化された各発光画素への走査線、電源線及び信号線の配置、及び上記制御方法により、駆動トランジスタ３１４の閾値電圧補正期間及びそのタイミングを同一駆動ブロック内で一致させることが可能となる。さらに、セレクタ回路により、信号線駆動回路１５からの出力本数を低減できる。よって、電流パスを制御する信号を出力する走査／制御線駆動回路１４や信号電圧を制御する信号線駆動回路１５の負荷が低減するとともに駆動回路のコスト低減、ならびにパネル実装歩留まりの向上が図られる。また、さらに、上記駆動ブロック化及び発光画素列ごとに配置された２本の信号線により、駆動トランジスタ３１４の閾値電圧補正期間を、全ての発光画素を書き換える時間である１フレーム期間Ｔｆのなかで大きくとることができる。これは、ｋ番目の駆動ブロックにおいて輝度信号がサンプリングされている期間に、（ｋ＋１）番目の駆動ブロックにおいて閾値電圧補正期間が設けられることによるものである。よって、閾値電圧補正期間は、発光画素行ごとに分割されるのではなく、駆動ブロックごとに分割される。よって、表示領域が大面積化されるほど、発光デューティを減少させることなく、１フレーム期間に対する相対的な閾値電圧補正期間を長く設定することが可能となる。これにより、高精度に補正された信号電圧に基づいた駆動電流が発光素子に流れ、画像表示品質が向上する。
【０３０５】
例えば、表示パネル１０をＮ個の駆動ブロックに分割した場合、各発光画素に与えられる閾値補正期間は、最大Ｔｆ／Ｎとなる。
【０３０６】
（実施の形態５）
以下、本発明の実施の形態について、図面を参照しながら説明する。
【０３０７】
本実施の形態に係る表示装置の電気的な構成は、発光画素の回路構成を除き、図１に記載された構成と同様である。つまり、本実施の形態に係る表示装置は、表示パネル１０と、制御回路２０とを備える。表示パネル１０は、後述する複数の発光画素４１Ａ及び４１Ｂと、信号線群１２と制御線群１３と走査／制御線駆動回路１４と、信号線駆動回路１５と、セレクタ回路１６とを備える。
【０３０８】
以下、実施の形態１〜３と重複する構成については、説明を省略し、発光画素４１Ａ及び４１Ｂに関連する構成のみ説明を行う。
【０３０９】
発光画素４１Ａ及び４１Ｂは、表示パネル１０上に、マトリクス状に配置されている。ここで、発光画素４１Ａ及び４１Ｂは、複数の発光画素行を一駆動ブロックとする２以上の駆動ブロックを構成している。発光画素４１Ａは、奇数番目の駆動ブロックを構成し、また、発光画素４１Ｂは偶数番目の駆動ブロックを構成する。
【０３１０】
以下、実施の形態１〜３と重複する構成については、説明を省略し、発光画素４１Ａ及び４１Ｂに関連する構成のみ説明を行う。
【０３１１】
図２４Ａは、本発明の実施の形態５に係る表示装置における奇数駆動ブロックの発光画素の具体的な回路構成図であり、図２４Ｂは、本発明の実施の形態５に係る表示装置における偶数駆動ブロックの発光画素の具体的な回路構成図である。図２４Ａ及び図２４Ｂに記載された発光画素４１Ａ及び４１Ｂは、いずれも、有機ＥＬ素子４１３と、駆動トランジスタ４１４と、スイッチングトランジスタ４１５、４１６及び４１７と、静電保持容量４１８と、制御線４３１と、走査線４３３と、第１信号線４５１と、第２信号線４５２とを備える。ここで、駆動トランジスタ４１４と、スイッチングトランジスタ４１６、４１７及び４１８と、静電保持容量４１８とは、電流制御部４００を構成している。電流制御部４００は、第１信号線４５１又は第２信号線４５２から供給される信号電圧を駆動トランジスタ４１４のソースドレイン電流である信号電流に変換する機能を有する。
【０３１２】
図２４Ａ及び図２４Ｂにおいて、スイッチングトランジスタ４１６は、ゲートが走査線４３３に接続され、ソース及びドレインの一方が駆動トランジスタ４１４のゲート及び静電保持容量４１８の一方の端子である第１電極に接続され、ソース及びドレインの他方が参照電源線４１９に接続された第５スイッチングトランジスタである。スイッチングトランジスタ４１６は、参照電源線４１９の参照電圧ＶＲＥＦを駆動トランジスタ４１４のゲートに印加するタイミングを決定する機能を有する。
【０３１３】
スイッチングトランジスタ４１７は、ゲートが制御線４３１に接続され、ソース及びドレインの一方が第５容量素子である静電保持容量４１８の他方の端子に接続され、ソース及びドレインの他方が駆動トランジスタ４１４のソースに接続された第６スイッチングトランジスタである。スイッチングトランジスタ４１７は、信号線からの信号電圧書き込み期間においてはオフ状態となることにより、当該期間において静電保持容量４１８から駆動トランジスタ４１４のソースへのリーク電流が発生しないので、静電保持容量４１８に正確な信号電圧に対応した電圧を保持させる機能を有する。一方、初期化期間においてオン状態となることにより、駆動トランジスタ４１４のソースを初期化電位に設定する機能を有し、駆動トランジスタ４１４と有機ＥＬ素子４１３とを瞬時にリセット状態とすることができる。スイッチングトランジスタ４１５、４１６及び４１７は、例えば、ｎ型の薄膜トランジスタ（ｎ型ＴＦＴ）で構成される。
【０３１４】
ここで、上記初期化期間とは、信号電圧に対応した電圧が静電保持容量４１８に書き込まれる前に、駆動トランジスタ４１４のゲート電位及びソース電位を初期化電位にリセットしておくための期間である。また、初期化期間は、実施の形態１〜４で説明した閾値電圧検出期間の前であって閾値電圧検出期間と連続的に、または、閾値電圧検出期間に代わって設定される。
【０３１５】
制御線４３１は、走査／制御線駆動回路１４に接続され、発光画素４１Ａ及び４１Ｂを含む画素行に属する各発光画素に接続されている。これにより、制御線４３１は、駆動トランジスタ４１４のソースと静電保持容量４１８の第２電極とを導通または非導通とする状態を発生する機能を有する。
【０３１６】
第１信号線４５１及び第２信号線４５２は、信号線駆動回路１５に接続され、それぞれ、発光画素４１Ａ及び４１Ｂを含む画素列に属する各発光画素へ接続され、駆動トランジスタをリセットするための固定電圧と、発光強度を決定する信号電圧とを供給する機能を有する。
【０３１７】
なお、図２４Ａ及び図２４Ｂには記載されていないが、電源線１１０及び電源線１１２は、それぞれ、正電源線及び負電源線であり、他の発光画素にも接続されており電圧源に接続されている。また、参照電源線４１９は、他の発光画素にも接続されておりＶＲＥＦの電位の電圧源に接続されている。
【０３１８】
次に、制御線４３１、走査線４３３、第１信号線４５１及び第２信号線４５２の発光画素間における接続関係について説明する。
【０３１９】
図２５は、本発明の実施の形態５に係る表示装置の有する表示パネルの一部を示す回路構成図である。同図には、２つの隣接する駆動ブロック及び各制御線、各走査線及び各信号線が記載されている。図面及び以下の説明では、各制御線、各走査線及び各信号線を“符号（ブロック番号、当該ブロックにおける行番号）”、または、“符号（ブロック番号）”で表している。
【０３２０】
前述したように、駆動ブロックとは、複数の発光画素行で構成され、表示パネル１０の中には２以上の駆動ブロックが存在する。例えば、図２５に記載された各駆動ブロックは、ｍ行の発光画素行で構成されている。
【０３２１】
図２５の上段に記載されたｋ番目の駆動ブロックでは、制御線４３１（ｋ）が当該駆動ブロック内の全ての発光画素４１Ａの有するスイッチングトランジスタ４１７のゲートに共通して接続されている。一方、走査線４３３（ｋ、１）〜走査線４３３（ｋ、ｍ）は、それぞれ、発光画素行ごとに個別に接続されている。
【０３２２】
また、図２５の下段に記載された（ｋ＋１）番目の駆動ブロックでも、ｋ番目の駆動ブロックと同様の接続がなされている。ただし、ｋ番目の駆動ブロックに接続された制御線４３１（ｋ）と（ｋ＋１）番目の駆動ブロックに接続された制御線４３１（ｋ＋１）とは、異なる制御線であり、走査／制御線駆動回路１４から個別の制御信号が出力される。
【０３２３】
また、ｋ番目の駆動ブロックでは、第１信号線４５１が当該駆動ブロック内の全ての発光画素４１Ａの有するスイッチングトランジスタ４１５のソース及びドレインの他方に接続されている。一方、（ｋ＋１）番目の駆動ブロックでは、第２信号線４５２が当該駆動ブロック内の全ての発光画素４１Ｂの有するスイッチングトランジスタ４１５のソース及びドレインの他方に接続されている。
【０３２４】
上記駆動ブロック化により、駆動トランジスタ４１４のソースと静電保持容量４１８の第２電極との接続を制御する制御線４３１の本数が削減される。よって、これらの制御線に駆動信号を出力する走査／制御線駆動回路１４の出力本数が低減し、回路規模の削減を可能にする。
【０３２５】
次に、本実施の形態に係る表示装置の制御方法について図２６を用いて説明する。なお、ここでは、図２４Ａ及び図２４Ｂに記載された具体的回路構成を有する表示装置についての制御方法を詳細に説明する。
【０３２６】
図２６は、本発明の実施の形態５に係る表示装置の駆動方法の動作タイミングチャートである。同図において、横軸は時間を表している。また縦方向には、上から順に、ｋ番目の駆動ブロックの走査線４３３（ｋ、１）、４３３（ｋ、２）及び４３３（ｋ、ｍ）、第１信号線４５１及び制御線４３１（ｋ）に発生する電圧の波形図が示されている。また、これらに続き、（ｋ＋１）番目の駆動ブロックの走査線４３３（ｋ＋１、１）、４３３（ｋ＋１、２）及び４３３（ｋ＋１、ｍ）、第２信号線４５２及び制御線４３１（ｋ＋１）に発生する電圧の波形図が示されている。また、図２７は、本発明の実施の形態に係る表示装置の動作フローチャートである。
【０３２７】
まず、時刻ｔ８１において、走査／制御線駆動回路１４は、走査線４３３（ｋ、１）〜４３３（ｋ、ｍ）の電圧レベルを同時にＬＯＷからＨＩＧＨに変化させ、ｋ番目の駆動ブロックに属する発光画素４１Ａの有するスイッチングトランジスタ４１５をオン状態とする。また、走査線４３３（ｋ、１）〜４３３（ｋ、ｍ）の電圧レベルの上記変化により、同時に、スイッチングトランジスタ４１６をオン状態とする（図２７のＳ７１）。このとき、既に制御線４３１（ｋ）の電圧レベルはＨＩＧＨでありスイッチングトランジスタ４１７はオン状態となっている。また、信号線駆動回路１５は、第１信号線４５１の電圧を、信号電圧から固定電圧ＶＲ１に変化させる。
【０３２８】
ここで、第１信号線４５１及び第２信号線４５２の電圧レベルの変化について説明する。
【０３２９】
図８は、本発明の実施の形態５に係るセレクタ回路を駆動するための動作タイミングチャートである。図８における時刻Ｔ０及びＴ２は、図２６における時刻ｔ８１に相当し、時刻Ｔ０においては走査線４３３（１、１）〜４３３（１、ｍ）の電圧レベルを同時にＬＯＷからＨＩＧＨに変化させ、時刻Ｔ２においては走査線４３３（３、１）〜４３３（３、ｍ）の電圧レベルを同時にＬＯＷからＨＩＧＨに変化させる。また、このとき、走査／制御線駆動回路１４は、制御線１４４の電圧レベルをＨＩＧＨからＬＯＷに変化させ、制御線１４３の電圧レベルをＬＯＷからＨＩＧＨに変化させる。この時刻Ｔ０及びＴ２における電圧レベルの変化により、セレクタ回路１６の一発光画素列における回路状態は図９Ｂのようになる。つまり、ゲートが制御線１４３に接続されたスイッチングトランジスタ１６２及び１６３がオン状態となり、ゲートが制御線１４４に接続されたスイッチングトランジスタ１６１及び１６４がオフ状態となる。これにより、時刻Ｔ０及びＴ２において、それぞれ、第１駆動ブロック及び第３駆動ブロックの発光画素４１Ａが接続された第１信号線４５１の電圧は固定電圧に変化し、第２信号線４５２の電圧は信号電圧に変化する。
【０３３０】
これにより、図２６に記載された時刻ｔ８１において、駆動トランジスタ４１４のゲート及び静電保持容量４１８の第１電極には、参照電源線４１９の参照電圧ＶＲＥＦが印加され、スイッチングトランジスタ４１７の導通により、駆動トランジスタ４１４のソース及び静電保持容量４１８の第２電極には、第１信号線４５１の固定電圧ＶＲ１が印加される。つまり、駆動トランジスタ４１４のゲート電位及びソース電位が、それぞれ、ＶＲＥＦ及びＶＲ１で初期化される。上述した駆動トランジスタ４１４のゲート及びソースに、それぞれ、参照電圧ＶＲＥＦ及び固定電圧ＶＲ１を印加する動作は、第１初期化電圧印加ステップに相当する。
【０３３１】
また、時刻ｔ８１において、有機ＥＬ素子４１３の発光を停止させるため、参照電圧ＶＲＥＦ及び固定電圧ＶＲ１は、それぞれ、式１６及び式１７で表される関係を満たすように予め設定されている。
【０３３２】
ＶＲＥＦ−ＶＣＡＴ＜Ｖｔｈ＋Ｖｔ（ＥＬ）          （式１６）
ＶＲ１−ＶＣＡＴ＜Ｖｔ（ＥＬ）          （式１７）
上記式１６及び式１７を満たす数値例として、例えば、ＶＲＥＦ＝ＶＣＡＴ＝ＶＲ１＝０Ｖである。
【０３３３】
ここで、Ｖｔｈ及びＶｔ（ＥＬ）は、それぞれ、駆動トランジスタ４１４及び有機ＥＬ素子４１３の閾値電圧であり、ＶＣＡＴは、有機ＥＬ素子４１３のカソード電圧である。上記式１６は、時刻ｔ８１において、参照電源線４１９→駆動トランジスタ４１４→有機ＥＬ素子４１３→電源線１１２という電流パスで電流が流れない条件である。一方、上記式１７は、第１信号線４５１→スイッチングトランジスタ４１５→スイッチングトランジスタ４１７→有機ＥＬ素子４１３→電源線１１２という電流パスで電流が流れない条件である。
【０３３４】
以上、時刻ｔ８１では、ｋ番目の駆動ブロックに属する発光画素４１Ａの有する有機ＥＬ素子４１３の発光を停止し、駆動トランジスタ４１４の初期化動作を開始する。
【０３３５】
次に、時刻ｔ８２において、走査／制御線駆動回路１４は、走査線４３３（ｋ、１）〜４３３（ｋ、ｍ）の電圧レベルを同時にＨＩＧＨからＬＯＷに変化させ、ｋ番目の駆動ブロックに属する発光画素４１Ａの有するスイッチングトランジスタ４１５をオフ状態とする（図２７のＳ７２）。また、走査線４３３（ｋ、１）〜４３３（ｋ、ｍ）の電圧レベルの上記変化により、同時に、スイッチングトランジスタ４１６をオフ状態とする。これにより、時刻ｔ８１から開始された駆動トランジスタ４１４のリセット動作が終了する。時刻ｔ８２におけるスイッチングトランジスタ４１５及び４１６を非導通とする動作は、第１非導通ステップに相当する。
【０３３６】
上述した第１初期化電圧印加ステップ及び第１非導通ステップは、第１初期化ステップに相当する。
【０３３７】
なお、駆動トランジスタ４１４に印加されるゲート−ソース電圧とドレイン電流との特性は、ヒステリシスを有するため、上述したリセット期間を十分に確保して当該ゲート電位及びソース電位を精度よく初期化しておく必要がある。初期化期間が不十分のまま閾値補正または書き込み動作が実行されると、上記ヒステリシス等により発光画素ごとの閾値電圧または移動度の変動履歴が長時間残留することとなり、画像の輝度ムラが十分に抑制されず、残像などの表示劣化を抑制できない。また、この初期化期間を十分長く確保することにより、駆動トランジスタ４１４のゲート電位及びソース電位は安定し、高精度な初期化動作が実現される。
【０３３８】
以上、時刻ｔ８１〜時刻ｔ８２の期間では、駆動トランジスタ４１４の初期化動作が、ｋ番目の駆動ブロック内において同時に実行され、ｋ番目の駆動ブロックの全ての発光画素４１Ａの有する駆動トランジスタ４１４のゲート及びソースには、安定した初期化電圧であるＶＲＥＦ及びＶＲ１が設定される。
【０３３９】
次に、時刻ｔ８３において、走査／制御線駆動回路１４は、制御線４３１（ｋ）の電圧レベルをＨＩＧＨからＬＯＷに変化させ、ｋ番目の駆動ブロックに属する発光画素４１Ａの有するスイッチングトランジスタ４１７をオフ状態とする。これにより、時刻ｔ８４から開始される信号電圧の書き込み期間において、スイッチングトランジスタ４１７が非導通状態となることにより、当該期間において静電保持容量４１８から駆動トランジスタ４１４のソースへのリーク電流が発生しないので、静電保持容量４１８に正確な信号電圧に対応した電圧を保持させることが可能となる。
【０３４０】
次に、時刻ｔ８４〜時刻ｔ８５の間に、走査／制御線駆動回路１４は、走査線４３３（ｋ、１）の電圧レベルを、ＬＯＷ→ＨＩＧＨ→ＬＯＷに変化させ、１行目の発光画素の有するスイッチングトランジスタ４１５を、オン状態とする（図２７のＳ７３）。また、走査線４３３（ｋ、１）の電圧レベルの上記変化により、同時に、スイッチングトランジスタ４１６をオン状態とする。また、この時、信号線駆動回路１５は、第１信号線４５１の信号電圧を固定電圧から信号電圧Ｖｄａｔａに変化させている。
【０３４１】
ここで、第１信号線４５１及び第２信号線４５２の電圧レベルの変化について説明する。
【０３４２】
図８における時刻Ｔ１及びＴ３は、図２６における時刻ｔ８２に相当し、時刻Ｔ１においては走査線４３３（１、１）〜４３３（１、ｍ）の電圧レベルを同時にＨＩＧＨからＬＯＷに変化させ、時刻Ｔ３においては走査線４３３（３、１）〜４３３（３、ｍ）の電圧レベルを同時にＨＩＧＨからＬＯＷに変化させる。また、このとき、走査／制御線駆動回路１４は、制御線１４４の電圧レベルをＬＯＷからＨＩＧＨに変化させ、制御線１４３の電圧レベルをＨＩＧＨからＬＯＷに変化させる。この時刻Ｔ１及びＴ３における電圧レベルの変化により、セレクタ回路１６の一発光画素列における回路状態は図９Ａのようになる。つまり、ゲートが制御線１４３に接続されたスイッチングトランジスタ１６２及び１６３がオフ状態となり、ゲートが制御線１４４に接続されたスイッチングトランジスタ１６１及び１６４がオン状態となる。これにより、時刻Ｔ１及びＴ３において、それぞれ、第１駆動ブロック及び第３駆動ブロックの発光画素４１Ａが接続された第１信号線４５１の電圧は信号電圧に変化し、第２信号線４５２の電圧は固定電圧に変化する。
【０３４３】
これにより、図２６に記載された時刻ｔ８４において、静電保持容量４１８の第２電極に信号電圧Ｖｄａｔａが印加され、駆動トランジスタ４１４のゲートには、参照電源線４１９の参照電圧ＶＲＥＦが印加される。Ｖｄａｔａの数値例として、例えば、Ｖｄａｔａ＝−５Ｖ〜０Ｖである。
【０３４４】
なお、時刻ｔ８４〜時刻ｔ８５においては、スイッチングトランジスタ４１７が非導通となっており、駆動トランジスタ４１４のソース電位は、初期化期間での電位であるＶＲ１を維持していることから、有機ＥＬ素子４１３の順方向に発光電流は流れない。
【０３４５】
よって、静電保持容量４１８には、両電極が高精度に初期化された後、信号電圧Ｖｄａｔａに応じた電圧が書き込まれる。上記電圧の書き込み動作は、第１輝度保持ステップに相当する。
【０３４６】
次に、時刻ｔ８６までの期間において、上述した時刻ｔ８４〜時刻ｔ８５の書き込み動作を、ｋ番目の駆動ブロックに属する２行目からｍ行目の発光画素について、行順次に実行する。
【０３４７】
次に、時刻ｔ８７において、走査／制御線駆動回路１４は、制御線４３１（ｋ）の電圧レベルを、ＬＯＷからＨＩＧＨに変化させ、ｋ番目の駆動ブロックに属する発光画素４１Ａの有するスイッチングトランジスタ４１７をオン状態とする（図２７のＳ７４）。このとき、既に、走査線４３３（ｋ、１）〜４３３（ｋ、ｍ）の電圧レベルは同時にＨＩＧＨからＬＯＷに変化しているので、スイッチングトランジスタ４１５及び４１６は非導通状態である。よって、時刻ｔ８４〜時刻ｔ８６の書き込み期間において静電保持容量４１８に保持された電圧が駆動トランジスタ４１４のゲート−ソース間電圧であるＶｇｓとなり、式１８で表される。
【０３４８】
Ｖｇｓ＝（ＶＲＥＦ−Ｖｄａｔａ）                （式１８）
ここで、Ｖｇｓは、例えば、０Ｖ〜５Ｖとなるため、駆動トランジスタ４１４はオン状態となり、ドレイン電流が有機ＥＬ素子４１３へと流れ込み、ｋ番目の駆動ブロックに属する発光画素４１Ａでは、上記式１８に規定されたＶｇｓに応じて一斉に発光する。この一斉発光動作は、第１発光ステップに相当する。
【０３４９】
このとき、駆動トランジスタ４１４のソース電位は、有機ＥＬ素子４１３のカソード電位ＶＣＡＴからＶｔ（ＥＬ）だけ高い電位となり、式１９で表される。
【０３５０】
ＶＳ＝Ｖｔ（ＥＬ）＋ＶＣＡＴ          （式１９）
また、上記式１８で規定されるＶｇｓ及び式１９で規定されるソース電位から、駆動トランジスタ４１４のゲート電位は、式２０で表される。
【０３５１】
ＶＧ＝（ＶＲＥＦ−Ｖｄａｔａ）＋Ｖｔ（ＥＬ）＋ＶＣＡＴ      （式２０）
【０３５２】
以上、発光画素行を駆動ブロック化することにより、駆動ブロック内では、駆動トランジスタ４１４の初期化動作が同時に実行される。また、発光画素行を駆動ブロック化することにより、制御線４３１を駆動ブロック内で共通化できる。
【０３５３】
また、走査線４３３（ｋ、１）〜４３３（ｋ、ｍ）においては、走査／制御線駆動回路１４とは個別に接続されているが、リセット期間においては、駆動パルスのタイミングが同一である。よって、走査／制御線駆動回路１４は、出力するパルス信号の高周波化を抑制することができるので、駆動回路の出力負荷を低減できる。
【０３５４】
上述したように、本発明の表示装置の有する発光画素４１Ａ及び４１Ｂは、駆動トランジスタ４１４のゲートと参照電源線４１９との間にスイッチングトランジスタ４１６が付加され、駆動トランジスタ４１４のソースと静電保持容量４１８の第２電極との間にスイッチングトランジスタ４１７が付加されている。これにより、駆動トランジスタ４１４のゲート及びソース電位が安定化されるので、初期化完了から信号電圧の書き込みまでの時間、及び、当該書き込みから発光までの時間を、発光画素行ごとに任意に設定することが可能となる。この回路構成により、駆動ブロック化が可能となり、同一駆動ブロック内での閾値電圧補正期間及び発光期間を一致させることが可能となる。
【０３５５】
さらに、セレクタ回路１６において、制御線１４４へ与える制御信号の電圧レベルと、制御線１４３へ与える制御信号の電圧レベルとを排他的に変化させることにより、スイッチングトランジスタ１６１及び１６４のオンオフとスイッチングトランジスタ１６２及び１６３のオンオフとを排他的に行うことにより、信号電圧及び固定電圧は、第１信号線４５１及び第２信号線４５２へ排他的に供給される。これにより、１発光画素列に対して配置された２本の信号線に対し、信号線駆動回路１５の出力線を１本とできるため、信号線駆動回路１５を小型化することができ、データドライバ１５３の実装数及び出力線の減少に伴う駆動回路実装のためのコスト低減及びパネル実装歩留まりの向上が図られる。
【０３５６】
本実施の形態においても、実施の形態１と同様の観点から、特許文献１に記載された、２本の信号線を用いた従来の表示装置と比較して、発光デューティをより長く確保することができるという利点がある。
【０３５７】
よって、発光輝度が十分確保され、かつ、駆動回路の出力負荷が低減された長寿命の表示装置を実現することが可能となる。
【０３５８】
また、２本の信号線を用いた従来の表示装置と、本発明のようにブロック駆動を組み合わせた表示装置とを同じ発光デューティに設定した場合、本発明の表示装置の方が、駆動トランジスタ４１４のゲート電位及びソース電位を初期化するための初期化期間を長く確保することが解る。
【０３５９】
なお、時刻ｔ９１〜時刻ｔ９７における（ｋ＋１）番目の駆動ブロックの動作は、上述したｋ番目の駆動ブロックの動作と同様のため説明を省略する。
【０３６０】
以上の動作が、表示パネル１０内の（ｋ＋２）番目の駆動ブロック以降においても順次実行される。
【０３６１】
なお、本実施の形態に係る制御方法により発光した駆動ブロックの状態遷移図は、図１１に示された状態遷移図と同様のため、説明を省略する。
【０３６２】
以上、実施の形態５において、スイッチングトランジスタ４１６及び４１７が配置された発光画素回路、信号線駆動回路１５と信号線群１２との間に配置されたセレクタ回路１６、駆動ブロック化された各発光画素への制御線、走査線及び信号線の配置、及び上記制御方法により、駆動トランジスタ４１４の初期化期間及びそのタイミングを同一駆動ブロック内で一致させることが可能となる。さらに、セレクタ回路により、信号線駆動回路１５からの出力本数を低減できる。よって、電流パスを制御する信号を出力する走査／制御線駆動回路１４や信号電圧を制御する信号線駆動回路１５の負荷が低減するとともに駆動回路のコスト低減、ならびにパネル実装歩留まりの向上が図られる。また、さらに、上記駆動ブロック化及び発光画素列ごとに配置された２本の信号線により、駆動トランジスタ４１４の初期化期間を、全ての発光画素を書き換える時間である１フレーム期間Ｔｆのなかで大きくとることができる。これは、ｋ番目の駆動ブロックにおいて輝度信号がサンプリングされている期間に、（ｋ＋１）番目の駆動ブロックにおいて初期化期間が設けられることによるものである。よって、初期化期間は、発光画素行ごとに分割されるのではなく、駆動ブロックごと分割される。よって、表示領域が大面積化されても走査／制御線駆動回路１４の出力数をさほど増大させることなく、かつ、発光デューティを減少させることなく、１フレーム期間に対する相対的な初期化期間を長く設定することが可能となる。これにより、高精度に補正された信号電圧に基づいた駆動電流が発光素子に流れ、画像表示品質が向上する。
【０３６３】
例えば、表示パネル１０をＮ個の駆動ブロックに分割した場合、各発光画素に与えられる初期化期間は、最大Ｔｆ／Ｎとなる。これに対し、発光画素行ごとに異なるタイミングで初期化期間を設定する場合、発光画素行がＭ行（Ｍ＞＞Ｎ）であるとすると、最大Ｔｆ／Ｍとなる。また、特許文献１に記載されたような信号線を発光画素列ごとに２本配置した場合でも、最大２Ｔｆ／Ｍである。
【０３６４】
また、駆動ブロック化により、駆動トランジスタ４１４のソースと静電保持容量４１８の第２電極との導通を制御する制御線を駆動ブロック内で共通化できる。よって、走査／制御線駆動回路１４から出力される制御線の本数が削減される。よって、駆動回路の負荷が低減する。
【０３６５】
例えば、特許文献１に記載された従来の表示装置５００では、発光画素行あたり２本の制御線（給電線及び走査線）が配置されている。表示装置５００がＭ行の発光画素行から構成されているとすると、制御線は合計２Ｍ本となる。
【０３６６】
これに対し、本発明の実施の形態に係る表示装置１では、走査／制御線駆動回路１４から、発光画素行あたり１本の走査線、駆動ブロックごとに１本の制御線が出力される。よって、表示装置１がＭ行の発光画素行から構成されているとすると、制御線（走査線を含む）の合計は（Ｍ＋Ｎ）本となる。
【０３６７】
大面積化がなされ、発光画素の行数が大きい場合、Ｍ＞＞Ｎが実現されるので、この場合には、本発明に係る表示装置１の制御線本数は、従来の表示装置５００の制御線本数に比べ、約１／２に削減することができる。
【０３６８】
以上、実施の形態１〜５について説明してきたが、本発明に係る表示装置は、上述した実施の形態に限定されるものではない。実施の形態１〜５における任意の構成要素を組み合わせて実現される別の実施の形態や、実施の形態１〜５に対して本発明の主旨を逸脱しない範囲で当業者が思いつく各種変形を施して得られる変形例や、本発明に係る表示装置を内蔵した各種機器も本発明に含まれる。
【０３６９】
なお、以上述べた実施の形態では、スイッチングトランジスタのゲートの電圧レベルがＨＩＧＨの場合にオン状態になるｎ型トランジスタとして記述しているが、これらをｐ型トランジスタで形成した発光画素にも、上記実施の形態で説明した駆動ブロック化が適用でき、上述した各実施の形態と同様の効果を奏する。
【０３７０】
例えば、実施の形態５において、図２４Ａに記載された発光画素４１Ａにおいて、駆動トランジスタ４１４、スイッチングトランジスタ４１５、４１６及び４１７をｐ型トランジスタとし、電源線１１０側を負電圧、電源線１１２を正電圧とし、有機ＥＬ素子４１３の代わりに、駆動トランジスタのドレインと電源線１１０との間に有機ＥＬ素子を、駆動トランジスタから電源線１１０の方向が順方向となるように接続する。図２４Ｂに記載された発光画素４１Ｂについても同様である。また、図２６の動作タイミングチャートにおいて、走査線の極性を反転させる。上記表示装置でも、実施の形態５と同様の効果を奏する。
【０３７１】
また、例えば、本発明に係る表示装置は、図２８に記載されたような薄型フラットＴＶに内蔵される。本発明に係る表示装置が内蔵されることにより、映像信号を反映した高精度な画像表示が可能な薄型フラットＴＶが実現される。
【産業上の利用可能性】
【０３７２】
本発明の表示装置及びその制御方法は、特に、画素信号電流により画素の発光強度を制御することで輝度を変動させるアクティブ型の有機ＥＬフラットパネルディスプレイ及びその制御方法として有用である。
【符号の説明】
【０３７３】
１、５００    表示装置
１０    表示パネル
１１Ａ、１１Ｂ、２１Ａ、２１Ｂ、３１Ａ、３１Ｂ、４１Ａ、４１Ｂ、５０１    発光画素
１２    信号線群
１３    制御線群
１４    走査／制御線駆動回路
１５    信号線駆動回路
１６    セレクタ回路
１６Ａ    第１セレクタ
１６Ｂ    第２セレクタ
２０    制御回路
１００、２００、３００、４００    電流制御部
１１０、１１２、３１０、３１２    電源線
１１３、２１３、３１３、４１３    有機ＥＬ素子
１１４、２１４、３１４、４１４、５１２    駆動トランジスタ
１１５、１１６、１６１、１６２、１６３、１６４、２１５、２１６、３１５、４１５、４１６、４１７、５１１    スイッチングトランジスタ
１１７、１１８、２１７、２１８、３１６、３１７、４１８    静電保持容量
１１９    固定電圧線
１３１、２３１    第２制御線
１３２、２３２    第１制御線
１３３、２３３、３３３、４３３、７０１、７０２、７０３    走査線
１４１、１４２、１４３、１４４、４３１    制御線
１５１、２５１、３５１、４５１    第１信号線
１５２、２５２、３５２、４５２    第２信号線
１５３    データドライバ
４１９    参照電源線
５０２    画素アレイ部
５０３    信号セレクタ
５０４    走査線駆動部
５０５    給電線駆動部
５１３    保持容量素子
５１４    発光素子
５１５    接地配線
６０１、６０２、６０ｎ    信号線
８０１、８０２、８０３    給電線
【図１】
2012032565.tif 000018
【図２Ａ】
2012032565.tif 000019
【図２Ｂ】
2012032565.tif 000020
【図３】
2012032565.tif 000021
【図４】
2012032565.tif 000022
【図５】
2012032565.tif 000023
【図６】
2012032565.tif 000024
【図７】
2012032565.tif 000025
【図８】
2012032565.tif 000026
【図９Ａ】
2012032565.tif 000027
【図９Ｂ】
2012032565.tif 000028
【図１０】
2012032565.tif 000029
【図１１】
2012032565.tif 000030
【図１２】
2012032565.tif 000031
【図１３】
2012032565.tif 000032
【図１４】
2012032565.tif 000033
【図１５Ａ】
2012032565.tif 000034
【図１５Ｂ】
2012032565.tif 000035
【図１６】
2012032565.tif 000036
【図１７】
2012032565.tif 000037
【図１８】
2012032565.tif 000038
【図１９】
2012032565.tif 000039
【図２０】
2012032565.tif 000040
【図２１Ａ】
2012032565.tif 000041
【図２１Ｂ】
2012032565.tif 000042
【図２２】
2012032565.tif 000043
【図２３】
2012032565.tif 000044
【図２４Ａ】
2012032565.tif 000045
【図２４Ｂ】
2012032565.tif 000046
【図２５】
2012032565.tif 000047
【図２６】
2012032565.tif 000048
【図２７】
2012032565.tif 000049
【図２８】
2012032565.tif 000050
【図２９】
2012032565.tif 000051
【図３０】
2012032565.tif 000052
【図３１】
2012032565.tif 000053
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
マトリクス状に配置された複数の発光画素を有する表示装置であって、
発光画素列ごとに設けられた出力線に、発光画素の輝度を決定する信号電圧を出力する信号線駆動回路と、
発光画素列ごとに配置され、前記信号電圧を前記発光画素に与える第１信号線及び第２信号線と、
前記出力線から出力される前記信号電圧を、前記第１信号線及び第２信号線のいずれかに選択的に供給する、発光画素列ごとに配置された第１セレクタと、
固定電圧源から供給される固定電圧を、前記第１信号線及び第２信号線のいずれかに選択的に供給する、発光画素列ごとに配置された第２セレクタと、
前記第１信号線及び前記第２信号線に対して、前記信号電圧及び前記固定電圧が互いに排他的に供給されるよう、前記第１セレクタ及び前記第２セレクタを制御するセレクタ制御部と、
第１電源線及び第２電源線と、
発光画素行ごとに配置された走査線とを備え、
前記複数の発光画素は、複数の発光画素行を一駆動ブロックとした２以上の駆動ブロックを構成し、
前記複数の発光画素のそれぞれは、
一方の端子が前記第２電源線に接続され、前記信号電圧に応じた信号電流が流れることにより発光する発光素子と、
前記第１電源線及び前記発光素子の他方の端子に接続され、前記信号電圧が印加されることにより前記信号電圧を前記信号電流に変換する駆動トランジスタ、及び、前記駆動トランジスタのゲートに接続され、前記固定電圧が印加されることにより前記駆動トランジスタの閾値電圧に応じた電圧または前記駆動トランジスタのゲート電位及びソース電位を初期化する初期化電圧を保持する静電保持容量を含む電流制御部とを備え、
ｋ（ｋは自然数）番目の駆動ブロックに属する前記発光画素は、さらに、ゲートが前記走査線に接続され、ソース及びドレインの一方が前記第１信号線に接続され、ソース及びドレインの他方が前記電流制御部に接続され、前記第１信号線と前記電流制御部との導通及び非導通を切り換える第１スイッチングトランジスタを備え、
（ｋ＋１）番目の駆動ブロックに属する前記発光画素は、さらに、ゲートが前記走査線に接続され、ソース及びドレインの一方が前記第２信号線に接続され、ソース及びドレインの他方が前記電流制御部に接続され、前記第２信号線と前記電流制御部との導通及び非導通を切り換える第２スイッチングトランジスタを備え、
同一の前記駆動ブロック内の全ての発光画素では、前記電流制御部に前記固定電圧が印加されることにより前記閾値電圧が検出される閾値検出期間及び前記電流制御部が初期化される初期化期間の少なくとも一方が共通化されており、異なる前記駆動ブロック間では、前記駆動ブロック内で共通化された前記閾値検出期間及び前記初期化期間の少なくとも一方が独立している
表示装置。
【請求項２】
前記第１セレクタは、前記出力線と前記第１信号線との導通及び非導通を切り換える第１スイッチ素子と、前記出力線と前記第２信号線との導通及び非導通を切り換える第２スイッチ素子とを備え、
前記第２セレクタは、前記固定電圧源と前記第１信号線との導通及び非導通を切り換える第３スイッチ素子と、前記固定電圧源と前記第２信号線との導通及び非導通を切り換える第４スイッチ素子とを備え、
前記セレクタ制御部は、前記第１スイッチ素子、前記第２スイッチ素子、前記第３スイッチ素子及び前記第４スイッチ素子をオンまたはオフさせることにより、前記第１セレクタ及び前記第２セレクタを制御する
請求項１に記載の表示装置。
【請求項３】
前記第１スイッチ素子をオンまたはオフさせるための制御線と、前記第４スイッチ素子をオンまたはオフさせるための制御線とが共通化されており、前記第２スイッチ素子をオンまたはオフさせるための制御線と、前記第３スイッチ素子をオンまたはオフさせるための制御線とが共通化されていることにより、
前記セレクタ制御部は、前記第１スイッチ素子と前記第４スイッチ素子とのオンオフを同期させ、前記第２スイッチ素子と前記第３スイッチ素子とのオンオフを同期させ、前記第１スイッチ素子及び前記第４スイッチ素子のオンオフと前記第２スイッチ素子及び前記第３スイッチ素子のオンオフとを排他的に行う
請求項２に記載の表示装置。
【請求項４】
さらに、発光画素行ごとに配置され、前記電流制御部に接続された第１制御線を備え、
前記第１制御線は、同一の前記駆動ブロック内の全ての発光画素では共通化されており、異なる前記駆動ブロック間では独立している
請求項１〜３のいずれか１項に記載の表示装置。
【請求項５】
さらに、発光画素行ごとに配置され、前記電流制御部に接続された第２制御線を備え、
前記電流制御部は、さらに、
ゲートが前記第２制御線に接続され、ソース及びドレインが前記第１電源線と前記発光素子の他方の端子との間に挿入され、前記駆動トランジスタのドレイン電流のオンオフを切り換える第３スイッチングトランジスタを備え、
前記駆動トランジスタは、ソース及びドレインの一方が前記発光素子の他方の端子に接続され、ゲート−ソース間に印加される前記信号電圧を、ドレイン電流である前記信号電流に変換し、
前記静電保持容量は、第１容量素子と第２容量素子とを含み、
前記第１容量素子は、一方の端子が前記駆動トランジスタのゲートに接続され、他方の端子が前記駆動トランジスタのソースに接続され、
前記第２容量素子は、一方の端子が前記駆動トランジスタのソースに接続され、他方の端子が前記第１制御線に接続され、
前記第１スイッチングトランジスタは、ゲートが前記走査線に接続され、ソース及びドレインの一方が前記第１信号線に接続され、ソース及びドレインの他方が前記駆動トランジスタのゲートに接続され、
前記第２スイッチングトランジスタは、ゲートが前記走査線に接続され、ソース及びドレインの一方が前記第２信号線に接続され、ソース及びドレインの他方が前記駆動トランジスタのゲートに接続されている
請求項４に記載の表示装置。
【請求項６】
前記第２制御線は、同一駆動ブロック内の全ての発光画素では共通化されており、異なる駆動ブロック間では独立している
請求項５に記載の表示装置。
【請求項７】
さらに、発光画素行ごとに配置された第２制御線を備え、
前記電流制御部は、さらに、
ゲートが前記第２制御線に接続され、ソース及びドレインの一方が前記駆動トランジスタのソースに接続された第４スイッチングトランジスタを備え、
前記駆動トランジスタは、ソース及びドレインの一方が前記発光素子の他方の端子に接続され、ゲート−ソース間に印加される前記信号電圧を、ドレイン電流である前記信号電流に変換し、
前記静電保持容量は、第３容量素子と第４容量素子とを含み、
前記第３容量素子は、一方の端子が前記駆動トランジスタのゲートに接続され、他方の端子が前記第４スイッチングトランジスタのソース及びドレインの他方に接続され、
前記第４容量素子は、一方の端子が前記第３容量素子の他方の端子に接続され、他方の端子が前記第１制御線に接続され、
前記第１スイッチングトランジスタは、ゲートが前記走査線に接続され、ソース及びドレインの一方が前記第１信号線に接続され、ソース及びドレインの他方が前記駆動トランジスタのゲートに接続され、
前記第２スイッチングトランジスタは、ゲートが前記走査線に接続され、ソース及びドレインの一方が前記第２信号線に接続され、ソース及びドレインの他方が前記駆動トランジスタのゲートに接続されている
請求項４に記載の表示装置。
【請求項８】
前記電流制御部は、さらに、
ゲートが前記走査線に接続され、ソース及びドレインの一方が参照電源線に接続された第５スイッチングトランジスタと、
ゲートが前記第１制御線に接続され、ソース及びドレインの一方が前記駆動トランジスタのソースに接続された第６スイッチングトランジスタとを備え、
前記駆動トランジスタは、ソース及びドレインの一方が第１電源線に接続され、ソース及びドレインの他方が前記発光素子の他方の端子に接続され、ゲート−ソース間に印加される前記信号電圧を前記信号電流に変換し、
前記静電保持容量は、一方の端子が前記駆動トランジスタのゲートに接続された第５容量素子を含み、
前記第１スイッチングトランジスタは、ゲートが前記走査線に接続され、ソース及びドレインの一方が前記第５容量素子の他方の端子に接続され、ソース及びドレインの他方が前記第１信号線に接続され、
前記第２スイッチングトランジスタは、ゲートが前記走査線に接続され、ソース及びドレインの一方が前記第５容量素子の他方の端子に接続され、ソース及びドレインの他方が前記第２信号線に接続され、
前記第５スイッチングトランジスタは、ソース及びドレインの他方が前記第５容量素子の一方の端子に接続され、
前記第６スイッチングトランジスタは、ソース及びドレインの他方が前記第５容量素子の他方の端子に接続されている
請求項４に記載の表示装置。
【請求項９】
前記第１電源線は、発光画素行ごとに配置され、前記固定電圧よりも低い電圧である第１電圧と、前記固定電圧よりも高い電圧である第２電圧とを供給し、
前記駆動トランジスタは、ソース及びドレインの一方が前記発光素子の他方の端子に接続され、ソース及びドレインの他方が前記第１電源線に接続され、ゲート−ソース間に印加される前記信号電圧を、ドレイン電流である前記信号電流に変換し、
前記静電保持容量は、一方の端子が前記駆動トランジスタのゲートに接続され、他方の端子が前記駆動トランジスタのソース及びドレインの一方に接続され、少なくとも前記信号電圧あるいは前記固定電圧に対応した電圧を保持する第６容量素子を含み、
前記第１スイッチングトランジスタは、ゲートが前記走査線に接続され、ソース及びドレインの一方が前記第１信号線に接続され、ソース及びドレインの他方が前記駆動トランジスタのゲートに接続され、
前記第２スイッチングトランジスタは、ゲートが前記走査線に接続され、ソース及びドレインの一方が前記第２信号線に接続され、ソース及びドレインの他方が前記駆動トランジスタのゲートに接続され、  同一の前記駆動ブロック内の全ての発光画素に対し、前記閾値検出期間及び前記初期化期間の少なくとも一方においては前記第１電圧及び前記第２電圧の供給を同じタイミングで制御し、異なる前記駆動ブロック間では、前記タイミングと異なるタイミングで前記第１電圧及び前記第２電圧の供給を制御する制御部を備える
請求項１〜３のいずれか１項に記載の表示装置。
【請求項１０】
前記発光素子は、前記信号電圧に応じて発光する有機ＥＬ（Ｅｌｅｃｔｒｏ Ｌｕｍｉｎｅｓｃｅｎｃｅ）素子である
請求項１〜９のいずれか１項に記載の表示装置。
【請求項１１】
発光画素列ごとに配置された第１信号線及び第２信号線のうちいずれかの信号線から供給された信号電圧を当該電圧に対応した信号電流に変換する駆動トランジスタ、及び、前記駆動トランジスタのゲートに接続され、前記駆動トランジスタの閾値電圧に応じた電圧または前記駆動トランジスタのゲート電位及びソース電位を初期化する初期化電圧を保持する静電保持容量を含む電流制御部と、前記信号電流が流れることにより発光する発光素子とを備える発光画素がマトリクス状に配置され、複数の前記発光画素行を一駆動ブロックとした２以上の駆動ブロックを構成する表示装置の制御方法であって、
前記信号電圧を出力する信号線駆動回路と前記第１信号線とを非接続とし前記固定電圧を出力する固定電圧源と前記第１信号線とを接続することにより、ｋ（ｋは自然数）番目の駆動ブロックの有する全ての前記電流制御部に、前記固定電圧源から前記第１信号線を介して前記固定電圧を同時に印加し、前記駆動トランジスタの閾値電圧または初期化電圧に対応した電圧を同時に保持させる第１電圧保持ステップと、
前記第１電圧保持ステップの後、前記固定電圧源と前記第１信号線とを非接続とし前記信号線駆動回路と前記第１信号線とを接続することにより、前記ｋ番目の駆動ブロックの有する前記発光画素において、前記電流制御部に、前記信号線駆動回路から前記第１信号線を介して前記信号電圧を印加し、当該信号電圧に対応する電圧を発光画素行順に保持させる第１輝度保持ステップと、
前記第１電圧保持ステップの後、前記信号線駆動回路と前記第２信号線とを非接続とし前記固定電圧源と前記第２信号線とを接続することにより、（ｋ＋１）番目の駆動ブロックの有する全ての前記電流制御部に、前記固定電圧源から前記第２信号線を介して前記固定電圧を同時に印加し、前記駆動トランジスタの閾値電圧または初期化電圧に対応した電圧を同時に保持させる第２電圧保持ステップとを含む
表示装置の制御方法。
【手続補正２】
【補正対象書類名】明細書
【補正対象項目名】００２０
【補正方法】変更
【補正の内容】
【００２０】
上記目的を達成するために、本発明の一態様に係る表示装置は、マトリクス状に配置された複数の発光画素を有する表示装置であって、発光画素列ごとに設けられた出力線に、発光画素の輝度を決定する信号電圧を出力する信号線駆動回路と、発光画素列ごとに配置され、前記信号電圧を前記発光画素に与える第１信号線及び第２信号線と、前記出力線から出力される前記信号電圧を、前記第１信号線及び第２信号線のいずれかに選択的に供給する、発光画素列ごとに配置された第１セレクタと、固定電圧源から供給される固定電圧を、前記第１信号線及び第２信号線のいずれかに選択的に供給する、発光画素列ごとに配置された第２セレクタと、前記第１信号線及び前記第２信号線に対して、前記信号電圧及び前記固定電圧が互いに排他的に供給されるよう、前記第１セレクタ及び前記第２セレクタを制御するセレクタ制御部と、第１電源線及び第２電源線と、発光画素行ごとに配置された走査線とを備え、前記複数の発光画素は、複数の発光画素行を一駆動ブロックとした２以上の駆動ブロックを構成し、前記複数の発光画素のそれぞれは、一方の端子が前記第２電源線に接続され、前記信号電圧に応じた信号電流が流れることにより発光する発光素子と、前記第１電源線及び前記発光素子の他方の端子に接続され、前記信号電圧が印加されることにより前記信号電圧を前記信号電流に変換する駆動トランジスタ、及び、前記駆動トランジスタのゲートに接続され、前記固定電圧が印加されることにより前記駆動トランジスタの閾値電圧に応じた電圧または前記駆動トランジスタのゲート電位及びソース電位を初期化する初期化電圧を保持する静電保持容量を含む電流制御部とを備え、ｋ（ｋは自然数）番目の駆動ブロックに属する前記発光画素は、さらに、ゲートが前記走査線に接続され、ソース及びドレインの一方が前記第１信号線に接続され、ソース及びドレインの他方が前記電流制御部に接続され、前記第１信号線と前記電流制御部との導通及び非導通を切り換える第１スイッチングトランジスタを備え、（ｋ＋１）番目の駆動ブロックに属する前記発光画素は、さらに、ゲートが前記走査線に接続され、ソース及びドレインの一方が前記第２信号線に接続され、ソース及びドレインの他方が前記電流制御部に接続され、前記第２信号線と前記電流制御部との導通及び非導通を切り換える第２スイッチングトランジスタを備え、同一の前記駆動ブロック内の全ての発光画素では、前記電流制御部に前記固定電圧が印加されることにより前記閾値電圧が検出される閾値検出期間及び前記電流制御部が初期化される初期化期間の少なくとも一方が共通化されており、異なる前記駆動ブロック間では、前記駆動ブロック内で共通化された前記閾値検出期間及び前記初期化期間の少なくとも一方が独立していることを特徴とする。
【国際調査報告】
2012032565.tif 000054
2012032565.tif 000055
2012032565.tif 000056
2012032565.tif 000057